(57)【要約】      （修正有）【課題】符号化または復号の負荷の増大を抑制することができるようにするスケーラブル画像符号化装置、またはスケーラブル画像復号装置を提供する。【解決手段】スケーラブル画像符号化装置またはスケーラブル画像復号装置において、領域シンクロ部は、複数レイヤよりなる画像データのカレントレイヤについて、ピクチャを複数に分割する所定の領域毎に符号化された他のレイヤの、符号化に関する情報を参照する領域を制御する制御情報の制御に従って、他のレイヤの一部の領域の符号化に関する情報を参照し、前記画像データのカレントレイヤを符号化若しくは復号する。【選択図】図２１
2020017998.tif 000002
【特許請求の範囲】
【請求項１】
複数レイヤよりなる画像データのカレントレイヤについて、ピクチャを複数に分割する所定の領域毎に符号化された他のレイヤの複数の前記領域の中から、符号化に関する情報の参照を許可する領域を指定するか、前記符号化に関する情報の参照を禁止する領域を指定するか、または、前記符号化に関する情報を参照する領域を指定することにより前記符号化に関する情報を参照することができる領域を制限する制御情報を設定する設定部と、
前記画像データのカレントレイヤを符号化して、前記設定部により設定された制御情報を含む符号化データを生成する符号化部と
を備える画像符号化装置。
【請求項２】
前記制御情報は、前記領域を、ラスタスキャン順に割り当てられた識別番号、ピクチャ内における前記領域の縦方向および横方向の位置を示す情報、若しくは、前記符号化データにおける前記領域のデータの位置を示す情報により指定する
請求項１に記載の画像符号化装置。
【請求項３】
前記設定部は、前記符号化に関する情報を参照する領域を制御するかを示す情報を設定し、
前記符号化部は、前記設定部により設定された、前記符号化に関する情報を参照する領域を制御するかを示す情報を含む前記符号化データを生成する
請求項１に記載の画像符号化装置。
【請求項４】
前記符号化に関する情報は、前記画像データの符号化の際に利用される予測画像の生成に用いられる情報である
請求項１に記載の画像符号化装置。
【請求項５】
前記予測画像の生成に用いられる情報は、前記画像データのテクスチャ予測に用いられる情報と、前記画像データのシンタクス予測に用いられる情報とを含み、
前記制御情報は、前記テクスチャ予測に用いられる情報を参照する領域と、前記シンタクス予測に用いられる情報を参照する領域とを、互いに独立に制御する情報である
請求項４に記載の画像符号化装置。
【請求項６】
前記設定部は、前記画像データの前記カレントレイヤの、ピクチャを複数に分割する所定の領域毎に前記制御情報を設定する
請求項１に記載の画像符号化装置。
【請求項７】
前記設定部は、前記カレントレイヤの領域分割が前記他のレイヤの領域分割と同様であるかを示す情報を設定し、
前記符号化部は、前記設定部により設定された、前記カレントレイヤの領域分割が前記他のレイヤの領域分割と同様であるかを示す情報を含む前記符号化データを生成する
請求項６に記載の画像符号化装置。
【請求項８】
前記領域は、前記画像データのスライス若しくはタイルである
請求項１に記載の画像符号化装置。
【請求項９】
複数レイヤよりなる画像データのカレントレイヤについて、ピクチャを複数に分割する所定の領域毎に符号化された他のレイヤの複数の前記領域の中から、符号化に関する情報の参照を許可する領域を指定するか、前記符号化に関する情報の参照を禁止する領域を指定するか、または、前記符号化に関する情報を参照する領域を指定することにより前記符号化に関する情報を参照することができる領域を制限する制御情報を設定し、
前記画像データのカレントレイヤを符号化して、設定された制御情報を含む符号化データを生成する
画像符号化方法。
【発明の詳細な説明】
【技術分野】
【０００１】
本開示は画像符号化装置および方法に関し、特に、符号化または復号の負荷の増大を抑制することができるようにした画像符号化装置および方法に関する。
【背景技術】
【０００２】
近年、画像情報をデジタルとして取り扱い、その際、効率の高い情報の伝送、蓄積を目的とし、画像情報特有の冗長性を利用して、離散コサイン変換等の直交変換と動き補償により圧縮する符号化方式を採用して画像を圧縮符号する装置が普及しつつある。この符号化方式には、例えば、MPEG（Moving Picture Experts Group）などがある。
【０００３】
特に、MPEG2(ISO/IEC 13818-2)は、汎用画像符号化方式として定義されており、飛び越し走査画像及び順次走査画像の双方、並びに標準解像度画像及び高精細画像を網羅する標準である。例えば、MPEG2は、プロフェッショナル用途及びコンシューマ用途の広範なアプリケーションに現在広く用いられている。MPEG2圧縮方式を用いることにより、例えば720×480画素を持つ標準解像度の飛び越し走査画像であれば4乃至8Mbpsの符号量（ビットレート）が割り当てられる。また、MPEG2圧縮方式を用いることにより、例えば1920×1088画素を持つ高解像度の飛び越し走査画像であれば18乃至22 Mbpsの符号量（ビットレート）が割り当てられる。これにより、高い圧縮率と良好な画質の実現が可能である。
【０００４】
MPEG2は主として放送用に適合する高画質符号化を対象としていたが、MPEG1より低い符号量（ビットレート）、つまりより高い圧縮率の符号化方式には対応していなかった。携帯端末の普及により、今後そのような符号化方式のニーズは高まると思われ、これに対応してMPEG4符号化方式の標準化が行われた。画像符号化方式に関しては、1998年12月にISO/IEC 14496-2としてその規格が国際標準に承認された。
【０００５】
更に、近年、当初テレビ会議用の画像符号化を目的として、H.26L （ITU-T（International Telecommunication Union Telecommunication Standardization Sector） Q6/16 VCEG（Video Coding Expert Group））という標準の規格化が進められた。H.26LはMPEG2やMPEG4といった従来の符号化方式に比べ、その符号化、復号化により多くの演算量が要求されるものの、より高い符号化効率が実現されることが知られている。また、現在、MPEG4の活動の一環として、このH.26Lをベースに、H.26Lではサポートされない機能をも取り入れ、より高い符号化効率を実現する標準化がJoint Model of Enhanced-Compression Video Codingとして行われた。
【０００６】
標準化のスケジュールとしては、２００３年３月にはH.264及びMPEG-4 Part10 （Advanced Video Coding、以下AVCと記す）という名の元に国際標準となった。
【０００７】
さらに、このH．264/AVCの拡張として、RGBや4:2:2、4:4:4といった、業務用に必要な符号化ツールや、MPEG-2で規定されていた8x8DCTや量子化マトリクスをも含んだFRExt (Fidelity Range Extension) の標準化が２００５年２月に完了した。これにより、H．264/AVCを用いて、映画に含まれるフィルムノイズをも良好に表現することが可能な符号化方式となって、Blu-Ray Disc（商標）等の幅広いアプリケーションに用いられる運びとなった。
【０００８】
しかしながら、昨今、ハイビジョン画像の4倍の、4000×2000画素程度の画像を圧縮したい、あるいは、インターネットのような、限られた伝送容量の環境において、ハイビジョン画像を配信したいといった、更なる高圧縮率符号化に対するニーズが高まっている。このため、先述の、ITU-T傘下のVCEGにおいて、符号化効率の改善に関する検討が継続され行なわれている。
【０００９】
そこで、現在、AVCより更なる符号化効率の向上を目的として、ITU-Tと、ISO/IECの共同の標準化団体であるJCTVC（Joint Collaboration Team - Video Coding）により、HEVC（High Efficiency Video Coding）と呼ばれる符号化方式の標準化が進められている。HEVC規格については、2013年1月にドラフト版仕様であるCommittee draftが発行されている（例えば、非特許文献１参照）。
【００１０】
HEVCにおいては、AVCにおいても規定されていたスライス（Slice）に加え、タイル（Tile）やウェーブフロントパラレルプロセッシング（Wavefront Parallel Processing）による並列処理を行うことが可能である。
【００１１】
ところで、これまでの、MPEG-2やAVCといった画像符号化方式は、画像を複数のレイヤに階層化して符号化するスケーラビリティ（scalability）機能を有していた。
【００１２】
すなわち、例えば携帯電話のような、処理能力の低い端末に対しては、ベースレイヤ（base layer）のみの画像圧縮情報を伝送し、空間時間解像度の低い、或いは、画質の良くない動画像を再生し、テレビやパーソナルコンピュータのような、処理能力の高い端末に対しては、ベースレイヤ（base layer）に加えて、エンハンスメントレイヤ（enhancement layer）の画像圧縮情報を伝送し、空間時間解像度の高い、或いは、画質の高い動画像を再生するといったように、トランスコード処理を行うことなく、端末やネットワークの能力に応じた画像圧縮情報を、サーバから送信することが可能となる。
【先行技術文献】
【非特許文献】
【００１３】
【非特許文献１】Benjamin Bross, Woo-Jin Han, Gary J. Sullivan, Jens-Rainer Ohm, Gary J. Sullivan, Ye-Kui Wang, Thomas Wiegand, " High Efficiency Video Coding (HEVC) text specification draft 10 (for FDIS & Consent)", JCTVC-L1003_v4, Joint Collaborative Team on Video Coding (JCT-VC) of ITU-T SG 16 WP 3 and ISO/IEC JTC 1/SC 29/WG 11 12th Meeting: Geneva, CH, 14-23 Jan. 2013
【発明の概要】
【発明が解決しようとする課題】
【００１４】
しかしながら、従来の方法では、エンハンスメントレイヤの符号化・復号において、例えば復号画像情報や動き情報等といったベースレイヤの符号化に関する情報を参照する場合、ベースレイヤのピクチャ全体が参照の対象とされた。
【００１５】
そのため、エンハンスメントレイヤの符号化・復号において、ベースレイヤの符号化に関する情報を参照するためのメモリアクセス数が増大する等、負荷が増大する恐れがあった。
【００１６】
本開示は、このような状況に鑑みてなされたものであり、符号化または復号の負荷の増大を抑制することができるようにするものである。
【課題を解決するための手段】
【００１７】
本技術の一側面は、複数レイヤよりなる画像データのカレントレイヤについて、ピクチャを複数に分割する所定の領域毎に符号化された他のレイヤの複数の前記領域の中から、符号化に関する情報の参照を許可する領域を指定するか、前記符号化に関する情報の参照を禁止する領域を指定するか、または、前記符号化に関する情報を参照する領域を指定することにより前記符号化に関する情報を参照することができる領域を制限する制御情報を設定する設定部と、前記画像データのカレントレイヤを符号化して、前記設定部により設定された制御情報を含む符号化データを生成する符号化部とを備える画像符号化装置である。
【００１８】
本技術の一側面は、また、複数レイヤよりなる画像データのカレントレイヤについて、ピクチャを複数に分割する所定の領域毎に符号化された他のレイヤの複数の前記領域の中から、符号化に関する情報の参照を許可する領域を指定するか、前記符号化に関する情報の参照を禁止する領域を指定するか、または、前記符号化に関する情報を参照する領域を指定することにより前記符号化に関する情報を参照することができる領域を制限する制御情報を設定し、前記画像データのカレントレイヤを符号化して、設定された制御情報を含む符号化データを生成する画像符号化方法である。
【００１９】
本技術の一側面においては、複数レイヤよりなる画像データのカレントレイヤについて、ピクチャを複数に分割する所定の領域毎に符号化された他のレイヤの複数の領域の中から、符号化に関する情報の参照を許可する領域を指定するか、符号化に関する情報の参照を禁止する領域を指定するか、または、符号化に関する情報を参照する領域を指定することにより符号化に関する情報を参照することができる領域を制限する制御情報が設定され、その画像データのカレントレイヤが符号化されて、設定された制御情報を含む符号化データが生成される。
【発明の効果】
【００２０】
本開示によれば、画像を符号化・復号することができる。特に、符号化または復号の負荷の増大を抑制することができる。
【図面の簡単な説明】
【００２１】
【図１】コーディングユニットの構成例を説明する図である。
【図２】階層画像符号化方式の例を示す図である。
【図３】スペーシャルなスケーラブル符号化の例を説明する図である。
【図４】テンポラルなスケーラブル符号化の例を説明する図である。
【図５】信号雑音比のスケーラブル符号化の例を説明する図である。
【図６】スライスの例を説明する図である。
【図７】タイルの例を説明する図である。
【図８】ベースレイヤ参照の制御の例を説明する図である。
【図９】タイル設定の例を説明する図である。
【図１０】ベースレイヤ参照の制御の、他の例を説明する図である。
【図１１】並列処理の例を説明する図である。
【図１２】タイルの識別番号の割り当て方の例を説明する図である。
【図１３】ピクチャパラメータセットのシンタクスの例を説明する図である。
【図１４】ピクチャパラメータセットのシンタクスの例を説明する、図１３に続く図である。
【図１５】スライスヘッダのシンタクスの例を説明する図である。
【図１６】スライスヘッダのシンタクスの例を説明する、図１５に続く図である。
【図１７】スライスヘッダのシンタクスの例を説明する、図１６に続く図である。
【図１８】画像符号化装置の主な構成例を示すブロック図である。
【図１９】ベースレイヤ画像符号化部の主な構成例を示すブロック図である。
【図２０】エンハンスメントレイヤ画像符号化部の主な構成例を示すブロック図である。
【図２１】領域シンクロ部の主な構成例を示すブロック図である。
【図２２】画像符号化処理の流れの例を説明するフローチャートである。
【図２３】ベースレイヤ符号化処理の流れの例を説明するフローチャートである。
【図２４】エンハンスメントレイヤ符号化処理の流れの例を説明するフローチャートである。
【図２５】エンハンスメントレイヤ符号化処理の流れの例を説明する、図２４に続くフローチャートである。
【図２６】画像復号装置の主な構成例を示すブロック図である。
【図２７】ベースレイヤ画像復号部の主な構成例を示すブロック図である。
【図２８】エンハンスメントレイヤ画像復号部の主な構成例を示すブロック図である。
【図２９】領域シンクロ部の主な構成例を示すブロック図である。
【図３０】画像復号処理の流れの例を説明するフローチャートである。
【図３１】ベースレイヤ復号処理の流れの例を説明するフローチャートである。
【図３２】エンハンスメントレイヤ復号処理の流れの例を説明するフローチャートである。
【図３３】エンハンスメントレイヤ復号処理の流れの例を説明する、図３２に続くフローチャートである。
【図３４】多視点画像符号化方式の例を示す図である。
【図３５】本技術を適用した多視点画像符号化装置の主な構成例を示す図である。
【図３６】本技術を適用した多視点画像復号装置の主な構成例を示す図である。
【図３７】コンピュータの主な構成例を示すブロック図である。
【図３８】テレビジョン装置の概略的な構成の一例を示すブロック図である。
【図３９】携帯電話機の概略的な構成の一例を示すブロック図である。
【図４０】記録再生装置の概略的な構成の一例を示すブロック図である。
【図４１】撮像装置の概略的な構成の一例を示すブロック図である。
【図４２】スケーラブル符号化利用の一例を示すブロック図である。
【図４３】スケーラブル符号化利用の他の例を示すブロック図である。
【図４４】スケーラブル符号化利用のさらに他の例を示すブロック図である。
【図４５】ビデオセットの概略的な構成の一例を示すブロック図である。
【図４６】ビデオプロセッサの概略的な構成の一例を示すブロック図である。
【図４７】ビデオプロセッサの概略的な構成の他の例を示すブロック図である。
【図４８】コンテンツ再生システムの構成を示した説明図である。
【図４９】コンテンツ再生システムにおけるデータの流れを示した説明図である。
【図５０】MPDの具体例を示した説明図である。
【図５１】コンテンツ再生システムのコンテンツサーバの構成を示した機能ブロック図である。
【図５２】コンテンツ再生システムのコンテンツ再生装置の構成を示した機能ブロック図である。
【図５３】コンテンツ再生システムのコンテンツサーバの構成を示した機能ブロック図である。
【図５４】無線通信システムの各装置による通信処理例を示すシーケンスチャートである。
【図５５】無線通信システムの各装置による通信処理例を示すシーケンスチャートである。
【図５６】無線通信システムの各装置による通信処理において送受信されるフレームフォーマット（frame format）の構成例を模式的に示す図である。
【図５７】無線通信システムの各装置による通信処理例を示すシーケンスチャートである。
【発明を実施するための形態】
【００２２】
以下、本開示を実施するための形態（以下実施の形態とする）について説明する。なお、説明は以下の順序で行う。
１．本技術の主な説明
２．第１の実施の形態（画像符号化装置）
３．第２の実施の形態（画像復号装置）
４．第３の実施の形態（多視点画像符号化・多視点画像復号装置）
５．第４の実施の形態（コンピュータ）
６．応用例
７．スケーラブル符号化の応用例
８．第５の実施の形態（セット・ユニット・モジュール・プロセッサ）
９．MPEG-DASHのコンテンツ再生システムの応用例
１０．Wi-Fi規格の無線通信システムの応用例
【００２３】
＜１．本技術の主な説明＞
＜符号化方式＞
以下においては、HEVC（High Efficiency Video Coding）方式の画像符号化・復号に適用する場合を例に、本技術を説明する。
【００２４】
＜コーディングユニット＞
AVC（Advanced Video Coding）方式においては、マクロブロックとサブマクロブロックによる階層構造が規定されている。しかしながら、１６画素×１６画素のマクロブロックでは、次世代符号化方式の対象となるような、UHD（Ultra High Definition；４０００画素×２０００画素）といった大きな画枠に対して最適ではない。
【００２５】
これに対して、HEVC方式においては、図１に示されるように、コーディングユニット（CU（Coding Unit））が規定されている。
【００２６】
CUは、Coding Tree Block（CTB）とも呼ばれ、AVC方式におけるマクロブロックと同様の役割を果たす、ピクチャ単位の画像の部分領域である。後者は、１６×１６画素の大きさに固定されているのに対し、前者の大きさは固定されておらず、それぞれのシーケンスにおいて、画像圧縮情報中において指定されることになる。
【００２７】
例えば、出力となる符号化データに含まれるシーケンスパラメータセット（SPS（Sequence Parameter Set））において、CUの最大サイズ（LCU（Largest Coding Unit））と最小サイズ（SCU（Smallest Coding Unit））が規定される。
【００２８】
それぞれのLCU内においては、SCUのサイズを下回らない範囲で、split-flag=1とすることにより、より小さなサイズのCUに分割することができる。図１の例では、LCUの大きさが１２８であり、最大階層深度が５となる。２Ｎ×２Ｎの大きさのCUは、split_flagの値が「１」である時、１つ下の階層となる、Ｎ×Ｎの大きさのCUに分割される。
【００２９】
更に、CUは、イントラ若しくはインター予測の処理単位となる領域（ピクチャ単位の画像の部分領域）であるプレディクションユニット（Prediction Unit（PU））に分割され、また、直交変換の処理単位となる領域（ピクチャ単位の画像の部分領域）である、トランスフォームユニット（Transform Unit（TU））に分割される。現在、HEVC方式においては、４×４及び８×８に加え、１６×１６及び３２×３２直交変換を用いることが可能である。
【００３０】
以上のHEVC方式のように、CUを定義し、そのCUを単位として各種処理を行うような符号化方式の場合、AVC方式におけるマクロブロックはLCUに相当し、ブロック（サブブロック）はCUに相当すると考えることができる。また、AVC方式における動き補償ブロックは、PUに相当すると考えることができる。ただし、CUは、階層構造を有するので、その最上位階層のLCUのサイズは、例えば128×128画素のように、AVC方式のマクロブロックより大きく設定されることが一般的である。
【００３１】
よって、以下、LCUは、AVC方式におけるマクロブロックをも含むものとし、CUは、AVC方式におけるブロック（サブブロック）をも含むものとする。つまり、以下の説明に用いる「ブロック」は、ピクチャ内の任意の部分領域を示し、その大きさ、形状、および特性等は限定されない。つまり、「ブロック」には、例えば、TU、PU、SCU、CU、LCU、サブブロック、マクロブロック、またはスライス等任意の領域（処理単位）が含まれる。もちろん、これら以外の部分領域（処理単位）も含まれる。サイズや処理単位等を限定する必要がある場合は、適宜説明する。
【００３２】
＜モード選択＞
ところで、AVCそしてHEVC符号化方式において、より高い符号化効率を達成するには、適切な予測モードの選択が重要である。
【００３３】
かかる選択方式の例として、JM (Joint Model) と呼ばれるH.264/MPEG-4 AVCの参照ソフトウエア (http://iphome.hhi.de/suehring/tml/index.htm において公開されている) に実装されている方法を挙げることが出来る。
【００３４】
JMにおいては、以下に述べる、High Complexity Modeと、Low Complexity Modeの2通りのモード判定方法を選択することが可能である。どちらも、それぞれの予測モードModeに関するコスト関数値を算出し、これを最小にする予測モードを当該ブロック乃至マクロブロックに対する最適モードとして選択する。
【００３５】
High Complexity Modeにおけるコスト関数は、以下の式（１）のように示される。
【００３６】
【数１】
2020017998.tif 000003
【００３７】
ここで、Ωは、当該ブロック乃至マクロブロックを符号化するための候補モードの全体集合、Dは、当該予測モードで符号化した場合の、復号画像と入力画像の差分エネルギーである。λは、量子化パラメータの関数として与えられるLagrange未定乗数である。Ｒは、直交変換係数を含んだ、当該モードで符号化した場合の総符号量である。
【００３８】
つまり、High Complexity Modeでの符号化を行うには、上記パラメータＤ及びＲを算出するため、全ての候補モードにより、一度、仮エンコード処理を行う必要があり、より高い演算量を要する。
【００３９】
Low Complexity Modeにおけるコスト関数は、以下の式（２）のように示される。
【００４０】
【数２】
2020017998.tif 000004
【００４１】
ここで、Dは、High Complexity Modeの場合と異なり、予測画像と入力画像の差分エネルギーとなる。QP2Quant(QP)は、量子化パラメータQPの関数として与えられ、HeaderBitは、直交変換係数を含まない、動きベクトルや、モードといった、Headerに属する情報に関する符号量である。
【００４２】
すなわち、Low Complexity Modeにおいては、それぞれの候補モードに関して、予測処理を行う必要があるが、復号画像までは必要ないため、符号化処理まで行う必要はない。このため、High Complexity Modeより低い演算量での実現が可能である。
【００４３】
＜階層符号化＞
ところで、これまでの、MPEG2、AVCといった画像符号化方式は、スケーラビリティ（scalability）機能を有していた。スケーラブル符号化（階層符号化）とは、画像を複数レイヤ化（階層化）し、レイヤ毎に符号化する方式である。図２は、階層画像符号化方式の一例を示す図である。
【００４４】
図２に示されるように、画像の階層化においては、スケーラビリティ機能を有する所定のパラメータを基準として１の画像が複数の階層（レイヤ）に分割される。つまり、階層化された画像（階層画像）は、その所定のパラメータの値が互いに異なる複数の階層（レイヤ）の画像を含む。この階層画像の複数のレイヤは、他のレイヤの画像を利用せずに自身のレイヤの画像のみを用いて符号化・復号を行うベースレイヤと、他のレイヤの画像を利用して符号化・復号を行うノンベースレイヤ（エンハンスメントレイヤとも称する）とによりなる。ノンベースレイヤは、ベースレイヤの画像を利用するようにしても良いし、他のノンベースレイヤの画像を利用するようにしてもよい。
【００４５】
一般的に、ノンベースレイヤは、冗長性が低減されるように、自身の画像と、他のレイヤの画像との差分画像のデータ（差分データ）により構成される。例えば、１の画像をベースレイヤとノンベースレイヤ（エンハンスメントレイヤとも称する）に２階層化した場合、ベースレイヤのデータのみで元の画像よりも低品質な画像が得られ、ベースレイヤのデータとノンベースレイヤのデータを合成することで、元の画像（すなわち高品質な画像）が得られる。
【００４６】
このように画像を階層化することにより、状況に応じて多様な品質の画像を容易に得ることができる。例えば携帯電話のような、処理能力の低い端末に対しては、ベースレイヤ（base layer）のみの画像圧縮情報を伝送し、空間時間解像度の低い、或いは、画質の良くない動画像を再生し、テレビやパーソナルコンピュータのような、処理能力の高い端末に対しては、ベースレイヤ（base layer）に加えて、エンハンスメントレイヤ（enhancement layer）の画像圧縮情報を伝送し、空間時間解像度の高い、或いは、画質の高い動画像を再生するといったように、トランスコード処理を行うことなく、端末やネットワークの能力に応じた画像圧縮情報を、サーバから送信することが可能となる。
【００４７】
＜スケーラブルなパラメータ＞
このような階層画像符号化・階層画像復号（スケーラブル符号化・スケーラブル復号）において、スケーラビリティ（scalability）機能を有するパラメータは、任意である。例えば、図３に示されるような空間解像度をそのパラメータとしてもよい（spatial scalability）。このスペーシャルスケーラビリティ（spatial scalability）の場合、レイヤ毎に画像の解像度が異なる。つまり、図３に示されるように、各ピクチャが、元の画像より空間的に低解像度のベースレイヤと、ベースレイヤの画像と合成することにより元の画像（元の空間解像度）が得られるエンハンスメントレイヤの２階層に階層化される。もちろん、この階層数は一例であり、任意の階層数に階層化することができる。
【００４８】
また、このようなスケーラビリティ性を持たせるパラメータとして、他には、例えば、図４に示されるような、時間解像度を適用しても良い（temporal scalability）。このテンポラルスケーラビリティ（temporal scalability）の場合、レイヤ毎にフレームレートが異なる。つまり、この場合、図４に示されるように、互いに異なるフレームレートのレイヤに階層化されており、低フレームレートのレイヤに、高フレームレートのレイヤを加えることで、より高フレームレートの動画像を得ることができ、全てのレイヤを加えることで、元の動画像（元のフレームレート）を得ることができる。この階層数は一例であり、任意の階層数に階層化することができる。
【００４９】
さらに、このようなスケーラビリティ性を持たせるパラメータとして、例えば、信号雑音比（SNR（Signal to Noise ratio））を適用しても良い（SNR scalability）。このSNRスケーラビリティ（SNR scalability）の場合、レイヤ毎にSN比が異なる。つまり、図５に示されるように、各ピクチャが、元の画像よりSNRの低いベースレイヤと、ベースレイヤの画像と合成することにより元の画像（元のSNR）が得られるエンハンスメントレイヤの２階層に階層化される。すなわち、ベースレイヤ（base layer）画像圧縮情報においては、低PSNRの画像に関する情報が伝送されており、これに、エンハンスメントレイヤ（enhancement layer）画像圧縮情報を加えることで、高PSNR画像を再構築することが可能である。もちろん、この階層数は一例であり、任意の階層数に階層化することができる。
【００５０】
スケーラビリティ性を持たせるパラメータは、上述した例以外であっても、もちろんよい。例えば、ベースレイヤ（base layer）が８ビット（bit）画像よりなり、これにエンハンスメントレイヤ（enhancement layer）を加えることにより、10ビット（bit）画像が得られるビット深度スケーラビリティ（bit-depth scalability）がある。
【００５１】
また、ベースレイヤ（base layer）が4:2:0フォーマットのコンポーネント画像よりなり、これにエンハンスメントレイヤ（enhancement layer）を加えることにより、4:2:2フォーマットのコンポーネント画像が得られるクロマスケーラビリティ（chroma scalability）がある。
【００５２】
＜領域分割＞
ところで、HEVCにおいては、AVCにおいても規定されていたスライス（Slice）に加え、タイル（Tile）やウェーブフロントパラレルプロセッシング（Wavefront Parallel Processing）による並列処理を行うことが可能である。
【００５３】
図６は、HEVCにおいて定められているスライス（Slice）の例を示す図である。AVCと同様、スライスは、ラスタスキャン順に符号化処理を行う単位として、ピクチャ内を、図６に示されるように、複数に分割する領域である。但し、HEVCにおいては、スライス分割はLCU単位でのみ可能である。図６において、全体の四角はピクチャを示し、その中の小さな四角はLCUを示している。また、模様分けされたLCUのグループがスライスを示している。例えば、斜線模様で示される上から１行目および２行目のLCUからなるスライスは、このピクチャの１番目のスライス（Slice#1）である。また、白地で示される上から３行目および４行目のLCUからなるスライスは、このピクチャの２番目のスライス（Slice#2）である。さらに、グレー地で示される上から５行目および６行目のLCUからなるスライスは、このピクチャの３番目のスライス（Slice#3）である。また、網目模様で示される上から７行目および８行目のLCUからなるスライスは、このピクチャの４番目のスライス（Slice#4）である。もちろん、ピクチャに形成されるスライスやLCUの数、並びに、スライス分割の仕方は、任意であり、図６の例に限定されない。
【００５４】
図７は、HEVCにおいて定められているタイル（Tile）の例を示す図である。タイルは、上述したスライスと同様に、LCUを単位としてピクチャ内を分割する領域である。ただし、スライスは、各LCUがラスタスキャン順に処理されるようにピクチャを分割する領域であるのに対し、タイルは、図７に示されるように、ピクチャを、任意の矩形に分割する領域である。
【００５５】
図７において、全体の四角はピクチャを示し、その中の小さな四角はLCUを示している。また、模様分けされたLCUのグループがタイルを示している。例えば、斜線模様で示される左上の縦４個x横４個のLCUからなるスライスは、このピクチャの１番目のタイル（Tile#1）である。また、白地で示される右上の縦４個x横４個のLCUからなるタイルは、このピクチャの２番目のタイル（Tile#2）である。さらに、グレー地で示される左下の縦４個x横４個のLCUからなるタイルは、このピクチャの３番目のタイル（Tile#3）である。また、網目模様で示される右下の縦４個x横４個のLCUからなるタイルは、このピクチャの４番目のタイル（Tile#4）である。もちろん、ピクチャに形成されるタイルやLCUの数、並びに、タイル分割の仕方は、任意であり、図７の例に限定されない。
【００５６】
以上のように形成されるそれぞれのタイル内で、各LCUは、ラスタスキャン順に処理される。このようなタイルは、スライスに比べて境界の長さが短くて済むため、画面分割による符号化効率の低下が少なくて済むという特徴を有する。
【００５７】
なお、以上のように分割されたそれぞれのスライスやタイルは、符号化・復号における予測やCABAC等の依存関係が存在しないため、互いに独立に処理を行うことが可能である。つまり、例えば、各スライス（またはタイル）のデータを、互いに異なるCPU（Central Processing Unit）（若しくは互いに異なるコア）を用いて、並列に処理することができる。
【００５８】
＜階層符号化における領域分割＞
ところで、上述した階層符号化においては、エンハンスメントレイヤの符号化において、ベースレイヤの符号化に関する情報を利用することができる。この符号化に関する情報の内容は任意であるが、例えば、復号画像等のようなテクスチャ情報、動き情報やイントラ予測モード情報等のようなシンタクス情報等がある。
【００５９】
階層符号化においては、ベースレイヤのピクチャの符号化が行われた後、そのベースレイヤの符号化に関する情報を参照するエンハンスメントレイヤの、そのピクチャに対応するピクチャの符号化が行われる。つまり、ベースレイヤの符号化後、得られたベースレイヤの符号化に関する情報がエンハンスメントレイヤの符号化に供給され、適宜利用される。復号も同様の手順で行われる。
【００６０】
しかしながら、従来の方法では、このようにエンハンスメントレイヤの符号化・復号において、符号化に関する情報の参照先とする領域を制御する方法はなかった。つまり、例えば、この符号化に関する情報が、領域毎に異なるようなものであっても、常にベースレイヤのピクチャ全体が参照対象となっていた。そのため、ベースレイヤのピクチャの、明らかに参照先として不要な領域も参照対象とされるため、メモリアクセス数等が不要に増大し、エンハンスメントレイヤの符号化・復号の負荷が不要に増大する恐れがあった。
【００６１】
また、階層符号化においても、上述したようにスライスやタイル等の領域間での処理の依存関係を無くすことにより、その領域毎に処理を独立化し、例えば各領域の処理を並列処理化することができる。つまり、この場合、領域毎に、ベースレイヤの符号化・復号と、エンハンスメントレイヤの符号化・復号とを順次行うことができる。
【００６２】
しかしながら、エンハンスメントレイヤの符号化・復号において、ベースレイヤの符号化に関する情報を参照する場合、従来の方法では、ピクチャ全体が参照対象となってしまい、他の領域との間に依存関係が生じてしまう。そのため、領域毎の並列処理化が困難になる恐れがあった。
【００６３】
＜参照対象の制限＞
そこで、エンハンスメントレイヤの符号化・復号において、他のレイヤ（例えばベースレイヤ若しくは他のエンハンスメントレイヤ）の、符号化に関する情報の参照対象とする領域を制御するようにする。例えば、符号化に関する情報を参照する領域を、他のレイヤのピクチャの、一部の領域に制限するようにする。
【００６４】
図８は、このような参照対象の制限の様子の例を示す図である。図８の例の場合、ベースレイヤの網目模様で示されるタイルのみが、符号化に関する情報の参照対象に指定されている。この場合、その他の領域（白地の領域）の符号化に関する情報は、参照対象に含まれておらず、エンハンスメントレイヤの符号化・復号において、メモリから読みだされることがない。したがって、その分、エンハンスメントレイヤの符号化・復号の負荷の増大が抑制される。
【００６５】
この制限の方法は任意であるが、例えば、他のレイヤの、符号化に関する情報の参照を許可する領域を指定するようにしてもよい。また、例えば、他のレイヤの、符号化に関する情報の参照を禁止する領域を指定するようにしてもよい。さらに、例えば、他のレイヤの、符号化に関する情報を参照する領域を指定するようにしてもよい。
【００６６】
なお、この符号化に関する情報の参照対象の制御単位を、例えばタイルやスライスといった符号化・復号の処理単位となる領域とすることにより、この領域間の依存関係を低減させることができ、処理の独立化や並列化をより容易にすることができる。
【００６７】
＜領域制御の具体例＞
このような制御のより具体的な例について説明する。
【００６８】
例えば、図８の例のように、ベースレイヤの符号化の際に、ピクチャをタイルに分割し、その一部のタイルのみ、符号化に関する情報を参照することができるように制御するとする。この場合、例えば、その一部のタイルについて、符号化に関する情報の参照を許可する。例えば、ベースレイヤの符号化において、符号化に関する情報の参照を許可するタイルを指定する制御情報を生成し、それをエンハンスメントレイヤの符号化に提供する。
【００６９】
エンハンスメントレイヤの符号化は、この制御情報に従って実行される。すなわち、エンハンスメントレイヤの符号化においては、この制御情報により許可されたタイルの符号化に関する情報のみ参照することができる。
【００７０】
なお、ベースレイヤの符号化において、どの領域を、符号化に関する情報の参照を許可するかの設定方法は任意である。例えば、ユーザやアプリケーション等が符号化に関する情報の参照を許可する領域を指定するようにしてもよいし、符号化に関する情報の参照を許可する領域が予め定められていても良い。
【００７１】
例えば、動画像の各ピクチャ共通の位置に、レターボックス等のような明らかに参照不要な領域が存在する場合、その領域を「符号化に関する情報の参照を許可する領域」から除外する、すなわち、それ以外の領域を「符号化に関する情報の参照を許可する領域」として、動画像データの各ピクチャを符号化する前に、予め指定するようにしてもよい。
【００７２】
また、例えば、ユーザが、各ピクチャの「符号化に関する情報の参照を許可する領域」を指定するようにしてもよいし、ユーザが画像の特徴を指定し、アプリケーション等が各ピクチャにおいてその特徴を含む領域を、「符号化に関する情報の参照を許可する領域」として指定するようにしてもよい。さらに、アプリケーション等が、各ピクチャにおいて、所定の特徴（若しくはユーザに指定された特徴）を含む領域を形成するように領域分割（例えばタイル分割やスライス分割等）を行うようにしてもよい。
【００７３】
例えば、ベースレイヤの符号化において、入力画像が、人物を含む画像であるとする（図９のＡ）。アプリケーションは、その画像について顔認識処理を行い、人の顔を含む部分領域を検出する（図９のＢ）。そして、アプリケーションは、その部分領域をタイルの１つとするように、ピクチャをタイル分割する（図９のＣ）。そして、アプリケーションは、人の顔を含むタイル（すなわち検出した部分領域）を、「符号化に関する情報の参照を許可する領域」として指定する（図９のＤの網目模様のタイル）。
【００７４】
このように、エンハンスメントレイヤの符号化により符号化に関する情報が参照されることを意識して領域分割（タイルやスライスの形成）を行うようにしても良い。このようにすることにより、「符号化に関する情報の参照を許可する領域」を低減させることができる。つまり、エンハンスメントレイヤの符号化において、参照可能なベースレイヤの範囲をより狭くすることができるので、負荷の増大を抑制することができる。
【００７５】
なお、上述したように、符号化に関する情報を参照する領域の制御は、少なくとも領域（タイルやスライス等）より大きな単位で行われる。例えば、ピクチャ毎に行われるようにしてもよい。また、例えば、シーケンス毎に行われるようにしてもよい。さらに、動画像データ毎に行われるようにしても良い。また、このような制御情報を予め用意するようにしてもよい。
【００７６】
なお、以上においては、「符号化に関する情報の参照を許可する領域」を指定するように説明したが、制御方法は、これに限らず、例えば、逆に、「符号化に関する情報の参照を禁止する領域」を指定するようにしてもよい。この場合、参照を禁止された一部のタイル以外のタイルが参照対象とされる。
【００７７】
この場合も、例えば、ベースレイヤの符号化において、符号化に関する情報の参照を禁止するタイルを指定する制御情報を生成し、それをエンハンスメントレイヤの符号化に提供するようにすればよい。
【００７８】
エンハンスメントレイヤの符号化は、参照を許可する場合と同様に、この制御情報に従って実行される。すなわち、エンハンスメントレイヤの符号化においては、この制御情報により禁止されたタイル以外のタイルの符号化に関する情報のみ参照することができる。
【００７９】
もちろん、この場合の設定方法は、参照を許可する場合と同様に任意である。なお、ベースレイヤの、符号化に関する情報の参照を許可する（若しくは禁止する）領域は、単数でも複数でもよい。
【００８０】
なお、このように符号化に関する情報の参照を許可する場合も禁止する場合も、エンハンスメントレイヤの符号化において、ピクチャをタイル（若しくはスライス）に分割するか否かは任意である。また、分割するとしてもどのように分割するかも任意である。仮に、エンハンスメントレイヤを、タイルやスライス等の領域毎に符号化する場合であっても、各領域の符号化は、それぞれ、上述した制御情報に基づいて行われる。つまり、いずれの領域の符号化においても、この制御情報により許可された（若しくは禁止されたタイル（若しくはスライス）以外の）タイル（若しくはスライス）の符号化に関する情報のみ参照することができる。
【００８１】
そして、このようにエンハンスメントレイヤをタイルやスライス等の領域毎に符号化する場合、符号化に関する情報の参照を許可する（若しくは禁止する）領域は、エンハンスメントレイヤの領域毎に設定するようにしてもよい。つまり、ベースレイヤの、符号化に関する情報の参照を許可する（若しくは禁止する）領域が、エンハンスメントレイヤの各領域で統一されていなくてもよい。
【００８２】
例えば、制御情報が、エンハンスメントレイヤの各領域とベースレイヤの各領域との紐付け（シンクロ）を行う情報（対応表等）であってもよい。その場合、エンハンスメントレイヤの各領域の符号化においては、その対応表により紐付けされたベースレイヤの領域の符号化に関する情報のみが参照可能とされる。
【００８３】
このように、エンハンスメントレイヤの領域毎に、符号化に関する情報の参照先を制御することにより、より適切な制御が可能になる。したがって、符号化または復号の負荷の増大を抑制することができる。また、領域間の依存関係を低減させることができる。
【００８４】
例えば、図１０のように、エンハンスメントレイヤの各領域が、ベースレイヤの互いに異なる領域の符号化に関する情報の参照を許可されるようにしてもよい。図１０の例の場合、エンハンスメントレイヤのタイルE0の符号化における、ベースレイヤの符号化に関する情報の参照先は、ベースレイヤのタイルB0に限定されている。また、エンハンスメントレイヤのタイルE1の符号化における、ベースレイヤの符号化に関する情報の参照先は、ベースレイヤのタイルB1に限定されている。さらに、エンハンスメントレイヤのタイルE2の符号化における、ベースレイヤの符号化に関する情報の参照先は、ベースレイヤのタイルB2に限定されている。そして、エンハンスメントレイヤのタイルE3の符号化における、ベースレイヤの符号化に関する情報の参照先は、ベースレイヤのタイルB3に限定されている。
【００８５】
図１０の例のように、エンハンスメントレイヤの各領域が、ベースレイヤの互いに異なる領域の符号化に関する情報を参照するようにすることにより、領域間の依存関係を低減させ、図１１に示されるように、並列処理をより容易にすることができる。
【００８６】
図１１の例の場合、１番目のCPU#0が、フレーム#0のベースレイヤのタイル#0（B0_0）、フレーム#0のエンハンスメントレイヤのタイル#0（E0_0）、フレーム#1のベースレイヤのタイル#0（B0_1）、フレーム#1のエンハンスメントレイヤのタイル#0（E0_1）、フレーム#2のベースレイヤのタイル#0（B0_2）、フレーム#2のエンハンスメントレイヤのタイル#0（E0_2）のような順で、各フレームのタイル#0についての符号化を行う。
【００８７】
これに並行して、２番目のCPU#1が、フレーム#0のベースレイヤのタイル#1（B1_0）、フレーム#0のエンハンスメントレイヤのタイル#1（E1_0）、フレーム#1のベースレイヤのタイル#1（B1_1）、フレーム#1のエンハンスメントレイヤのタイル#1（E1_1）、フレーム#2のベースレイヤのタイル#1（B1_2）、フレーム#2のエンハンスメントレイヤのタイル#1（E1_2）のような順で、各フレームのタイル#1についての符号化を行うようにすることができる。
【００８８】
また、これらの処理に並行して、３番目のCPU#2が、フレーム#0のベースレイヤのタイル#2（B2_0）、フレーム#0のエンハンスメントレイヤのタイル#2（E2_0）、フレーム#1のベースレイヤのタイル#2（B2_1）、フレーム#1のエンハンスメントレイヤのタイル#2（E2_1）、フレーム#2のベースレイヤのタイル#2（B2_2）、フレーム#2のエンハンスメントレイヤのタイル#2（E2_2）のような順で、各フレームのタイル#2についての符号化を行うようにすることができる。
【００８９】
さらに、これらの処理に並行して、４番目のCPU#3が、フレーム#0のベースレイヤのタイル#2（B3_0）、フレーム#0のエンハンスメントレイヤのタイル#3（E3_0）、フレーム#1のベースレイヤのタイル#3（B3_1）、フレーム#1のエンハンスメントレイヤのタイル#3（E3_1）、フレーム#2のベースレイヤのタイル#3（B3_2）、フレーム#2のエンハンスメントレイヤのタイル#3（E3_2）のような順で、各フレームのタイル#3についての符号化を行うようにすることができる。
【００９０】
なお、このような制御情報におけるベースレイヤの領域（タイルやスライス等）の指定は、符号化データ（ビットストリーム）に含まれる各領域のデータの位置（例えば先頭からのオフセット値）によって行うようにしてもよいが、ベースレイヤの各領域に識別番号を割り当て、その識別番号により指定するようにしてもよい。
【００９１】
例えば、図１２のように、各領域にラスタスキャン順に識別番号を割り当て、この識別番号を用いて、符号化に関する情報の参照を許可若しくは禁止する領域の指定を行うようにしてもよい。もちろん、この識別番号の割り当て方は任意であり、上述したラスタスキャン順は一例である。
【００９２】
以上においては、符号化の場合を例に説明したが、復号の場合も同様である。
【００９３】
＜制御情報の伝送＞
なお、以上のような符号化に関する情報の参照を制御する制御情報は、符号化側から復号側に伝送されるようにしてもよい。制御情報を復号側に伝送することにより、復号においてその制御情報を利用することができる。つまり、符号化の場合と同様に、復号の負荷を低減させることができる。なお、その場合、この制御情報は、例えば、ピクチャパラメータセット（PPS（Picture Parameter Set））若しくはスライスヘッダ（SliceHeader）において規定されるようにしてもよい。もちろん、制御情報は任意の方法で伝送することができる。例えば、シーケンスパラメータセットやビデオパラメータセット等において規定されるようにしても良い。また、制御情報を画像データの符号化データとは別のデータとして伝送するようにしても良い。
【００９４】
ピクチャパラメータセットにより制御情報を伝送する場合の、エンハンスメントレイヤのピクチャパラメータセットのシンタクスの例を図１３および図１４に示す。
【００９５】
この例の場合、図１３に示されるように、処理対象であるカレントレイヤ（すなわちエンハンスメントレイヤ）の領域分割が、他のレイヤ（すなわちベースレイヤ）の領域分割と同様であるかを示す情報としてtile_setting_from_ref_layer_flagが伝送される。この値が１である場合、エンハンスメントレイヤにおける領域分割（例えばタイル分割）の仕方が、ベースレイヤにおけるそれと同様であることを示す。
【００９６】
例えば、エンハンスメントレイヤの領域分割がベースレイヤの領域分割と同様である場合、エンハンスメントレイヤの復号において、ベースレイヤの領域分割情報を参照してエンハンスメントレイヤの領域分割を把握することができるので、エンハンスメントレイヤの領域分割に関する情報（例えば、図１３のnum_tile_columns_minus1, num_tile_rows_minus1, uniform_spacing_flag等）の伝送が不要になる。したがって、符号化効率の低減を抑制することができる。
【００９７】
また、図１４に示されるように、符号化に関する情報を参照する領域を制御するかを示す情報としてinter_layer_tile_prediction_restriction_flagが伝送される。その値が１である時、上述したような符号化に関する情報の参照を制御する制御情報が伝送される（図１４の上から２行目乃至９行目）。なお、図１４の例の場合、エンハンスメントレイヤが領域毎に符号化され、そのエンハンスメントレイヤの領域毎に、ベースレイヤのどの領域の符号化に関する情報を参照するかを制御する制御情報が伝送される。
【００９８】
このように、符号化に関する情報を参照する領域を制御するかを示す情報を伝送することにより、符号化に関する情報を参照する領域を制御しない場合に制御情報の伝送を省略する（符号化に関する情報を参照する領域を制御する場合のみ、制御情報を伝送するようにする）ことができる。したがって、符号化効率の低減を抑制することができる。
【００９９】
なお、図１４の例の場合、エンハンスメントレイヤの処理対象であるカレント領域は、その領域アレイにおける横方向および縦方向の位置（ｉ，ｊ）によって指定される。また、その各領域毎に、参照先となるベースレイヤの領域の数（num_ref_tiles_minus1）とその領域とが指定される。さらに、参照先となるベースレイヤの領域は、識別番号（ref_tile[k]）によって指定される。この識別番号は、ベースレイヤの各領域に対して、図１２の例のようにラスタスキャン順に割り当てられたものである。
【０１００】
以上のような、エンハンスメントレイヤのカレント領域の指定と、参照先とされるベースレイヤの領域の指定は、上述した例以外の任意の方法で指定することもできる。例えば、エンハンスメントレイヤのカレント領域を、識別番号で指定するようにしてもよい。また、例えば、ベースレイヤの参照先とされる領域を、領域アレイにおける横方向および縦方向の位置（ｉ，ｊ）によって指定するようにしてもよいし、符号化データにおける領域データの位置を示す情報（例えば先頭からのオフセット値）によって指定するようにしてもよい。
【０１０１】
スライスヘッダにより制御情報を伝送する場合の、エンハンスメントレイヤのスライスヘッダのシンタクスの例を図１５乃至図１７に示す。図１５乃至図１７に示されるように、スライスヘッダの場合も、図１３および図１４を参照して説明したピクチャパラメータセットの場合と同様の方法によって、制御情報が伝送される。
【０１０２】
なお、図１３乃至図１７の例においては、領域としてタイルを例に説明したが、領域がスライスの場合も同様である。
【０１０３】
また、上述したように、符号化に関する情報には、例えば、復号画像等のようなテクスチャ情報、動き情報やイントラ予測モード情報等のようなシンタクス情報が含まれる。つまり、例えば、他のレイヤの情報を参照して予測を行うレイヤ間予測（インターレイヤプレディクション（Inter-layer Prediction）とも称する）には、ベースレイヤの復号画像情報等のテクスチャ情報を予測に用いるレイヤ間テクスチャ予測（インターレイヤテクスチャプレディクション（Inter-layer texture prediction）とも称する）と、ベースレイヤの動き情報やイントラ予測モード情報等のシンタクス情報を予測に用いるレイヤ間シンタクス予測（インターレイヤシンタクスプレディクション（Inter-layer syntax prediction）とも称する）とがある。本技術は、各予測処理における符号化に関する情報の参照先の制御を、互いに独立に行うようにしてもよい。つまり、例えば、テクスチャ情報の参照先領域と、シンタクス領域の参照先領域とを、互いに独立に指定するようにしてもよい。
【０１０４】
＜２．第１の実施の形態＞
＜画像符号化装置＞
次に、以上のような本技術を実現する装置とその方法について説明する。図１８は、本技術を適用した画像処理装置の一態様である、画像符号化装置を示す図である。図１８に示される画像符号化装置１００は、階層画像符号化を行う装置である。図１８に示されるように、画像符号化装置１００は、ベースレイヤ画像符号化部１０１、エンハンスメントレイヤ画像符号化部１０２、および多重化部１０３を有する。
【０１０５】
ベースレイヤ画像符号化部１０１は、ベースレイヤ画像を符号化し、ベースレイヤ画像符号化ストリームを生成する。エンハンスメントレイヤ画像符号化部１０２は、エンハンスメントレイヤ画像を符号化し、エンハンスメントレイヤ画像符号化ストリームを生成する。多重化部１０３は、ベースレイヤ画像符号化部１０１において生成されたベースレイヤ画像符号化ストリームと、エンハンスメントレイヤ画像符号化部１０２において生成されたエンハンスメントレイヤ画像符号化ストリームとを多重化し、階層画像符号化ストリームを生成する。多重化部１０３は、生成した階層画像符号化ストリームを復号側に伝送する。
【０１０６】
ベースレイヤ画像符号化部１０１は、ベースレイヤ画像の符号化において、カレントピクチャに対してタイルやスライス等の領域分割を行い、その領域（タイルやスライス等）毎に符号化を行う。また、ベースレイヤ画像符号化部１０１は、その符号化において得られたベースレイヤの符号化に関する情報を、エンハンスメントレイヤ画像符号化部１０２に供給する。
【０１０７】
エンハンスメントレイヤ画像符号化部１０２は、エンハンスメントレイヤ画像の符号化において、カレントピクチャに対してタイルやスライス等の領域分割を行い、その領域（タイルやスライス等）毎に符号化を行う。その際、エンハンスメントレイヤ画像符号化部１０２は、ベースレイヤの符号化に関する情報の参照先とする領域を制御する。より具体的には、エンハンスメントレイヤ画像符号化部１０２は、エンハンスメントレイヤの各領域と、符号化に関する情報の参照先とするベースレイヤの領域との紐付けを行い、その対応関係を示す制御情報を生成する。
【０１０８】
エンハンスメントレイヤ画像符号化部１０２は、その制御情報の制御に従って、ベースレイヤの符号化に関する情報の参照を適宜行い、エンハンスメントレイヤ画像を符号化する。また、エンハンスメントレイヤ画像符号化部１０２は、その制御情報を、多重化部１０３を介して（階層画像符号化ストリームとして）、復号側に伝送する。
【０１０９】
＜ベースレイヤ画像符号化部＞
図１９は、図１８のベースレイヤ画像符号化部１０１の主な構成例を示すブロック図である。図１９に示されるように、ベースレイヤ画像符号化部１０１は、A/D変換部１１１、画面並べ替えバッファ１１２、演算部１１３、直交変換部１１４、量子化部１１５、可逆符号化部１１６、蓄積バッファ１１７、逆量子化部１１８、および逆直交変換部１１９を有する。また、ベースレイヤ画像符号化部１０１は、演算部１２０、ループフィルタ１２１、フレームメモリ１２２、選択部１２３、イントラ予測部１２４、インター予測部１２５、予測画像選択部１２６、およびレート制御部１２７を有する。さらに、ベースレイヤ画像符号化部１０１は、ベースレイヤ領域分割設定部１２８を有する。
【０１１０】
A/D変換部１１１は、入力された画像データ（ベースレイヤ画像情報）をA/D変換し、変換後の画像データ（デジタルデータ）を、画面並べ替えバッファ１１２に供給し、記憶させる。画面並べ替えバッファ１１２は、記憶した表示の順番のフレームの画像を、GOP（Group Of Picture）に応じて、符号化のためのフレームの順番に並べ替え、フレームの順番を並び替えた画像を、演算部１１３に供給する。また、画面並べ替えバッファ１１２は、フレームの順番を並び替えた画像を、イントラ予測部１２４およびインター予測部１２５にも供給する。
【０１１１】
演算部１１３は、画面並べ替えバッファ１１２から読み出された画像から、予測画像選択部１２６を介してイントラ予測部１２４若しくはインター予測部１２５から供給される予測画像を減算し、その差分情報を直交変換部１１４に出力する。例えば、イントラ符号化が行われる画像の場合、演算部１１３は、画面並べ替えバッファ１１２から読み出された画像から、イントラ予測部１２４から供給される予測画像を減算する。また、例えば、インター符号化が行われる画像の場合、演算部１１３は、画面並べ替えバッファ１１２から読み出された画像から、インター予測部１２５から供給される予測画像を減算する。
【０１１２】
直交変換部１１４は、演算部１１３から供給される差分情報に対して、離散コサイン変換やカルーネン・レーベ変換等の直交変換を施す。直交変換部１１４は、その変換係数を量子化部１１５に供給する。
【０１１３】
量子化部１１５は、直交変換部１１４から供給される変換係数を量子化する。量子化部１１５は、レート制御部１２７から供給される符号量の目標値に関する情報に基づいて量子化パラメータを設定し、その量子化を行う。量子化部１１５は、量子化された変換係数を可逆符号化部１１６に供給する。
【０１１４】
可逆符号化部１１６は、量子化部１１５において量子化された変換係数を任意の符号化方式で符号化する。係数データは、レート制御部１２７の制御の下で量子化されているので、この符号量は、レート制御部１２７が設定した目標値となる（若しくは目標値に近似する）。
【０１１５】
また、可逆符号化部１１６は、イントラ予測のモードを示す情報などをイントラ予測部１２４から取得し、インター予測のモードを示す情報や差分動きベクトル情報などをインター予測部１２５から取得する。さらに、可逆符号化部１１６は、シーケンスパラメータセット（SPS）、およびピクチャパラメータセット（PPS）等を含むベースレイヤのNALユニットを適宜生成する。
【０１１６】
また、可逆符号化部１１６は、ベースレイヤ領域分割設定部により設定されたベースレイヤの領域（例えばタイルやスライス等）分割に関する情報（ベースレイヤ領域分割情報とも称する）を符号化する。
【０１１７】
可逆符号化部１１６は、これらの各種情報を任意の符号化方式で符号化し、符号化データ（符号化ストリームとも称する）の一部とする（多重化する）。可逆符号化部１１６は、符号化して得られた符号化データを蓄積バッファ１１７に供給して蓄積させる。
【０１１８】
可逆符号化部１１６の符号化方式としては、例えば、可変長符号化または算術符号化等が挙げられる。可変長符号化としては、例えば、H．264/AVC方式で定められているCAVLC（Context-Adaptive Variable Length Coding）などが挙げられる。算術符号化としては、例えば、CABAC（Context-Adaptive Binary Arithmetic Coding）などが挙げられる。
【０１１９】
蓄積バッファ１１７は、可逆符号化部１１６から供給された符号化データ（ベースレイヤ符号化データ）を、一時的に保持する。蓄積バッファ１１７は、所定のタイミングにおいて、保持しているベースレイヤ符号化データを、例えば、後段の図示せぬ記録装置（記録媒体）や伝送路などに出力する。すなわち、蓄積バッファ１１７は、符号化データを伝送する伝送部でもある。
【０１２０】
また、量子化部１１５において量子化された変換係数は、逆量子化部１１８にも供給される。逆量子化部１１８は、その量子化された変換係数を、量子化部１１５による量子化に対応する方法で逆量子化する。逆量子化部１１８は、得られた変換係数を、逆直交変換部１１９に供給する。
【０１２１】
逆直交変換部１１９は、逆量子化部１１８から供給された変換係数を、直交変換部１１４による直交変換処理に対応する方法で逆直交変換する。逆直交変換された出力（復元された差分情報）は、演算部１２０に供給される。
【０１２２】
演算部１２０は、逆直交変換部１１９から供給された逆直交変換結果である、復元された差分情報に、予測画像選択部１２６を介してイントラ予測部１２４若しくはインター予測部１２５からの予測画像を加算し、局部的に復号された画像（復号画像）を得る。その復号画像は、ループフィルタ１２１またはフレームメモリ１２２に供給される。
【０１２３】
ループフィルタ１２１は、デブロックフィルタや適応ループフィルタ等を含み、演算部１２０から供給される再構成画像に対して適宜フィルタ処理を行う。例えば、ループフィルタ１２１は、再構成画像に対してデブロックフィルタ処理を行うことにより再構成画像のブロック歪を除去する。また、例えば、ループフィルタ１２１は、そのデブロックフィルタ処理結果（ブロック歪みの除去が行われた再構成画像）に対して、ウィナーフィルタ（Wiener Filter）を用いてループフィルタ処理を行うことにより画質改善を行う。ループフィルタ１２１は、フィルタ処理結果（以下、復号画像と称する）をフレームメモリ１２２に供給する。
【０１２４】
なお、ループフィルタ１２１が、再構成画像に対してさらに、他の任意のフィルタ処理を行うようにしてもよい。また、ループフィルタ１２１は、必要に応じて、フィルタ処理に用いたフィルタ係数等の情報を可逆符号化部１１６に供給し、それを符号化させるようにすることもできる。
【０１２５】
フレームメモリ１２２は、供給される復号画像を記憶し、所定のタイミングにおいて、記憶している復号画像を参照画像として、選択部１２３に供給する。
【０１２６】
より具体的には、フレームメモリ１２２は、演算部１２０から供給される再構成画像と、ループフィルタ１２１から供給される復号画像とをそれぞれ記憶する。フレームメモリ１２２は、所定のタイミングにおいて、若しくは、イントラ予測部１２４等の外部からの要求に基づいて、記憶している再構成画像を、選択部１２３を介してイントラ予測部１２４に供給する。また、フレームメモリ１２２は、所定のタイミングにおいて、若しくは、インター予測部１２５等の外部からの要求に基づいて、記憶している復号画像を、選択部１２３を介して、インター予測部１２５に供給する。
【０１２７】
選択部１２３は、フレームメモリ１２２から供給される参照画像の供給先を選択する。例えば、イントラ予測の場合、選択部１２３は、フレームメモリ１２２から供給される参照画像（カレントピクチャ内の画素値）をイントラ予測部１２４に供給する。また、例えば、インター予測の場合、選択部１２３は、フレームメモリ１２２から供給される参照画像をインター予測部１２５に供給する。
【０１２８】
イントラ予測部１２４は、処理対象のフレームの画像であるカレントピクチャについて、予測処理を行い、予測画像を生成する。イントラ予測部１２４は、この予測処理を、所定のブロック毎に（ブロックを処理単位として）行う。つまり、イントラ予測部１２４は、カレントピクチャの、処理対象であるカレントブロックの予測画像を生成する。その際、イントラ予測部１２４は、選択部１２３を介してフレームメモリ１２２から参照画像として供給される再構成画像を用いて予測処理（画面内予測（イントラ予測とも称する））を行う。つまり、イントラ予測部１２４は、再構成画像に含まれる、カレントブロックの周辺の画素値を用いて予測画像を生成する。このイントラ予測に利用される周辺画素値は、カレントピクチャの、過去に処理された画素の画素値である。このイントラ予測には（すなわち、予測画像の生成の仕方には）、複数の方法（イントラ予測モードとも称する）が、候補として予め用意されている。イントラ予測部１２４は、この予め用意された複数のイントラ予測モードでこのイントラ予測を行う。
【０１２９】
イントラ予測部１２４は、候補となる全てのイントラ予測モードで予測画像を生成し、画面並べ替えバッファ１１２から供給される入力画像を用いて各予測画像のコスト関数値を評価し、最適なモードを選択する。イントラ予測部１２４は、最適なイントラ予測モードを選択すると、その最適なモードで生成された予測画像を、予測画像選択部１２６に供給する。
【０１３０】
また、上述したように、イントラ予測部１２４は、採用されたイントラ予測モードを示すイントラ予測モード情報等を、適宜可逆符号化部１１６に供給し、符号化させる。
【０１３１】
インター予測部１２５は、カレントピクチャについて、予測処理を行い、予測画像を生成する。インター予測部１２５は、この予測処理を、所定のブロック毎に（ブロックを処理単位として）行う。つまり、インター予測部１２５は、カレントピクチャの、処理対象であるカレントブロックの予測画像を生成する。その際、インター予測部１２５は、画面並べ替えバッファ１１２から供給される入力画像の画像データと、フレームメモリ１２２から参照画像として供給される復号画像の画像データとを用いて、予測処理を行う。この復号画像は、カレントピクチャより前に処理されたフレームの画像（カレントピクチャでない他のピクチャ）である。つまり、インター予測部１２５は、他のピクチャの画像を用いて予測画像を生成する予測処理（画面間予測（インター予測とも称する））を行う。
【０１３２】
このインター予測は、動き予測と動き補償よりなる。より具体的には、インター予測部１２５は、入力画像と参照画像を用いて、カレントブロックについて動き予測を行い、動きベクトルを検出する。そして、インター予測部１２５は、参照画像を用いて、検出された動きベクトルに応じて動き補償処理を行い、カレントブロックの予測画像（インター予測画像情報）を生成する。このインター予測には（すなわち、予測画像の生成の仕方には）、複数の方法（インター予測モードとも称する）が、候補として予め用意されている。インター予測部１２５は、この予め用意された複数のインター予測モードでこのようなインター予測を行う。
【０１３３】
インター予測部１２５は、候補となる全てのインター予測モードで予測画像を生成する。インター予測部１２５は、画面並べ替えバッファ１１２から供給される入力画像と、生成した差分動きベクトルの情報などを用いて、各予測画像のコスト関数値を評価し、最適なモードを選択する。インター予測部１２５は、最適なインター予測モードを選択すると、その最適なモードで生成された予測画像を、予測画像選択部１２６に供給する。
【０１３４】
インター予測部１２５は、採用されたインター予測モードを示す情報や、符号化データを復号する際に、そのインター予測モードで処理を行うために必要な情報等を可逆符号化部１１６に供給し、符号化させる。必要な情報としては、例えば、生成された差分動きベクトルの情報や、予測動きベクトル情報として予測動きベクトルのインデックスを示すフラグなどがある。
【０１３５】
予測画像選択部１２６は、演算部１１３や演算部１２０に供給する予測画像の供給元を選択する。例えば、イントラ符号化の場合、予測画像選択部１２６は、予測画像の供給元としてイントラ予測部１２４を選択し、そのイントラ予測部１２４から供給される予測画像を演算部１１３や演算部１２０に供給する。また、例えば、インター符号化の場合、予測画像選択部１２６は、予測画像の供給元としてインター予測部１２５を選択し、そのインター予測部１２５から供給される予測画像を演算部１１３や演算部１２０に供給する。
【０１３６】
レート制御部１２７は、蓄積バッファ１１７に蓄積された符号化データの符号量に基づいて、オーバフローあるいはアンダーフローが発生しないように、量子化部１１５の量子化動作のレートを制御する。
【０１３７】
ベースレイヤ領域分割設定部１２８は、ベースレイヤのピクチャについて領域分割（例えば、タイルやスライス等）を設定する。ベースレイヤ領域分割設定部１２８は、この設定を、ベースレイヤ領域分割情報として、ベースレイヤ画像符号化部１０１の各部に供給する。ベースレイヤ画像符号化部１０１の各部は、このベースレイヤ領域分割情報に示される領域毎に処理を実行する。各領域の符号化は互いに独立に処理される。したがって、例えば、複数のCPUを用いて、各領域の符号化を並列処理化することもできる。
【０１３８】
なお、ベースレイヤ画像符号化部１０１は、他のレイヤを参照せずに符号化を行う。つまり、イントラ予測部１２４およびインター予測部１２５は、他のレイヤの符号化に関する情報を参照しない。
【０１３９】
また、フレームメモリ１２２は、記憶しているベースレイヤの復号画像の画像データを、ベースレイヤの符号化に関する情報として、エンハンスメントレイヤ画像符号化部１０２に供給する。
【０１４０】
同様に、イントラ予測部１２４は、イントラ予測モード情報等を、ベースレイヤの符号化に関する情報として、エンハンスメントレイヤ画像符号化部１０２に供給する。
【０１４１】
同様に、インター予測部１２５は、動き情報等を、ベースレイヤの符号化に関する情報として、エンハンスメントレイヤ画像符号化部１０２に供給する。
【０１４２】
さらに、ベースレイヤ領域分割設定部１２８は、ベースレイヤ領域分割情報を、エンハンスメントレイヤ画像符号化部１０２にも供給する。
【０１４３】
＜エンハンスメントレイヤ画像符号化部＞
図２０は、図１８のエンハンスメントレイヤ画像符号化部１０２の主な構成例を示すブロック図である。図２０に示されるように、エンハンスメントレイヤ画像符号化部１０２は、図１９のベースレイヤ画像符号化部１０１と基本的に同様の構成を有する。
【０１４４】
つまり、エンハンスメントレイヤ画像符号化部１０２は、図２０に示されるように、A/D変換部１３１、画面並べ替えバッファ１３２、演算部１３３、直交変換部１３４、量子化部１３５、可逆符号化部１３６、蓄積バッファ１３７、逆量子化部１３８、および逆直交変換部１３９を有する。また、エンハンスメントレイヤ画像符号化部１０２は、演算部１４０、ループフィルタ１４１、フレームメモリ１４２、選択部１４３、イントラ予測部１４４、インター予測部１４５、予測画像選択部１４６、およびレート制御部１４７を有する。
【０１４５】
これらのA/D変換部１３１乃至レート制御部１４７は、図１９のA/D変換部１１１乃至レート制御部１２７に対応し、それぞれ、対応する処理部と同様の処理を行う。ただし、エンハンスメントレイヤ画像符号化部１０２の各部は、ベースレイヤではなく、エンハンスメントレイヤ画像情報の符号化についての処理を行う。したがって、A/D変換部１３１乃至レート制御部１４７の処理の説明として、上述した図１９のA/D変換部１１１乃至レート制御部１２７についての説明を適用することができるが、その場合、処理するデータは、ベースレイヤのデータではなく、エンハンスメントレイヤのデータであるものとする必要がある。また、データの入力元や出力先の処理部は、適宜、A/D変換部１３１乃至レート制御部１４７の対応する処理部に置き換えて読む必要がある。
【０１４６】
また、エンハンスメントレイヤ画像符号化部１０２は、ベースレイヤ領域分割設定部１２８を有しておらず、領域シンクロ部１４８およびアップサンプル部１４９を有する。
【０１４７】
領域シンクロ部１４８は、エンハンスメントレイヤのピクチャについて領域分割（例えば、タイルやスライス等）を設定する。領域シンクロ部１４８は、この設定を、エンハンスメントレイヤ領域分割情報として、エンハンスメントレイヤ画像符号化部１０２の各部に供給する。
【０１４８】
また、領域シンクロ部１４８は、エンハンスメントレイヤの符号化における、ベースレイヤの符号化に関する情報を参照する領域を制御する。例えば、領域シンクロ部１４８は、ベースレイヤの符号化に関する情報を参照する領域を制御する制御情報を生成し、その制御情報に応じて、イントラ予測部１４４やインター予測部１４５を制御する。つまり、領域シンクロ部１４８は、イントラ予測部１４４やインター予測部１４５がレイヤ間予測を行う際の、符号化に関する情報を参照するベースレイヤの領域を制御する。
【０１４９】
さらに、領域シンクロ部１４８は、その制御情報を可逆符号化部１３６に供給し、符号化させ、復号側に伝送させる。
【０１５０】
なお、エンハンスメントレイヤ画像符号化部１０２は、他のレイヤ（例えばベースレイヤ）の符号化に関する情報を参照して符号化を行う。
【０１５１】
領域シンクロ部１４８は、ベースレイヤ画像符号化部１０１から供給されるベースレイヤ領域分割情報を取得する。領域シンクロ部１４８は、このベースレイヤ領域分割情報を用いて、上述した制御情報を生成する。
【０１５２】
アップサンプル部１４９は、ベースレイヤ画像符号化部１０１から供給されるベースレイヤの符号化に関する情報を取得する。例えば、アップサンプル部１４９は、ベースレイヤの復号画像（ベースレイヤ復号画像とも称する）等のテクスチャ情報を、符号化に関する情報として取得する。また、例えば、レイヤ間のシンタクス予測処理（インターレイヤプレディクション）が行われる場合、アップサンプル部１４９は、ベースレイヤの動き情報やイントラ予測モード情報等のシンタクス情報も符号化に関する情報として取得する。
【０１５３】
アップサンプル部１４９は、このように取得したベースレイヤの符号化に関する情報を、アップサンプル処理する。階層符号化ではレイヤ間で、スケーラビリティ機能を有する所定のパラメータ（例えば解像度等）の値が互いに異なる。そのため、アップサンプル部１４９は、そのパラメータの値をエンハンスメントレイヤ基準に換算するように、ベースレイヤの符号化に関する情報をアップサンプル処理する（スケーラブルなパラメータの変換処理を行う）。このようにアップサンプル処理されることにより、ベースレイヤの符号化に関する情報は、エンハンスメントレイヤの符号化において利用することができるようになる。
【０１５４】
アップサンプル部１４９は、アップサンプル処理されたベースレイヤの符号化に関する情報を、フレームメモリ１４２に供給し、記憶させる。このベースレイヤの符号化に関する情報は、例えば参照画像として、イントラ予測部１４４やインター予測部１４５に供給される。なお、シンタクス情報も同様に、イントラ予測部１４４やインター予測部１４５に供給される。
【０１５５】
＜領域シンクロ部＞
図２１は、図２０の領域シンクロ部１４８の主な構成例を示すブロック図である。
【０１５６】
図２１に示されるように、領域シンクロ部１４８は、ベースレイヤ領域分割情報バッファ１７１、エンハンスメントレイヤ領域分割設定部１７２、および領域シンクロ設定部１７３を有する。
【０１５７】
ベースレイヤ領域分割情報バッファ１７１は、ベースレイヤ画像符号化部１０１から供給されるベースレイヤ領域分割情報を取得し、保持する。ベースレイヤ領域分割情報バッファ１７１は、所定のタイミングにおいて、若しくは、領域シンクロ設定部１７３等の外部からの要求に従って、保持しているベースレイヤ領域分割情報を領域シンクロ設定部１７３に供給する。
【０１５８】
エンハンスメントレイヤ領域分割設定部１７２は、エンハンスメントレイヤのピクチャの領域分割（例えば、タイルやスライス等）を設定する。この領域分割の設定方法は任意である。例えば、ユーザやアプリケーション等が設定しても良いし、予め定められていても良い。また、エンハンスメントレイヤの領域分割は、ベースレイヤの領域分割と同様であっても良いし、異なっていても良い。
【０１５９】
エンハンスメントレイヤ領域分割設定部１７２は、この設定を、エンハンスメントレイヤ領域分割情報として、エンハンスメントレイヤ画像符号化部１０２の各部に供給する。エンハンスメントレイヤ画像符号化部１０２の各部は、このエンハンスメントレイヤ領域分割情報に示される領域毎に処理を実行する。各領域の符号化は互いに独立に処理される。したがって、例えば、複数のCPUを用いて、各領域の符号化を並列処理化することもできる。
【０１６０】
また、エンハンスメントレイヤ領域分割設定部１７２は、生成したエンハンスメントレイヤ領域分割情報を、領域シンクロ設定部１７３にも供給する。
【０１６１】
さらに、エンハンスメントレイヤ領域分割設定部１７２は、生成したエンハンスメントレイヤ領域分割情報を、可逆符号化部１３６に供給し、符号化させ、復号側に伝送させる。これにより、復号側においてこの情報を参照して復号を行うことができるようになるので、復号の負荷を低減させることができる。
【０１６２】
領域シンクロ設定部１７３は、供給されるベースレイヤ領域分割情報およびエンハンスメントレイヤ分割情報を用いて、レイヤ間の領域の対応付けを行う。つまり、領域シンクロ設定部１７３は、エンハンスメントレイヤの各領域に対して、その符号化の際にベースレイヤの符号化に関する情報を参照する領域を設定する。
【０１６３】
領域シンクロ設定部１７３は、この設定を示すシンクロ領域情報を生成する。このシンクロ領域情報は、符号化に関する情報の参照先とするベースレイヤの領域を制御するものであれば、どのような仕様の情報であっても構わない。例えば、エンハンスメントレイヤの各領域に対して、符号化に関する情報の参照先とするベースレイヤの領域を対応付ける情報であってもよい。例えば、＜１．本技術の主な説明＞において上述したシンタクスのような情報であっても良い。
【０１６４】
なお、この設定方法は任意である。つまり、イントラ予測部１４４やインター予測部１４５にどの領域を参照させるかは、任意の方法により決定される。例えば、ユーザやアプリケーション等が設定しても良いし、予め定められていても良い。
【０１６５】
領域シンクロ設定部１７３は、生成したシンクロ領域情報を用いて、処理対象であるカレント領域が符号化に関する情報の参照先とするベースレイヤの領域を特定し、フレームメモリ１４２に記憶されるアップサンプル処理された符号化に関する情報（例えば参照画像等のテクスチャ情報、若しくは、動き情報やイントラ予測モード情報等のシンタクス情報）のデータにおけるその領域のデータの位置（アドレス）を示すシンクロアドレス情報を生成し、そのシンクロアドレス情報をイントラ予測部１４４やインター予測部１４５に供給する。
【０１６６】
イントラ予測部１４４やインター予測部１４５は、このシンクロアドレス情報に従ってレイヤ間予測を行うので、ベースレイヤのピクチャの一部の領域のみを参照先とすることができ、フレームメモリ１４２へのアクセス数の増大を抑制することができる。つまり、領域シンクロ設定部１７３は、このような処理を行うことにより、符号化の負荷の増大を抑制することができる。
【０１６７】
なお、領域シンクロ設定部１７３は、生成したシンクロ領域情報を、可逆符号化部１３６に供給し、符号化させ、復号側に伝送させる。これにより、復号側においてこのシンクロ領域情報を参照して復号を行うことができるようになるので、復号においても同様にメモリへのアクセス数の増大を抑制することができ、復号の負荷を低減させることができる。
【０１６８】
＜画像符号化処理の流れ＞
次に、以上のような画像符号化装置１００により実行される各処理の流れについて説明する。最初に、図２２のフローチャートを参照して、画像符号化処理の流れの例を説明する。
【０１６９】
画像符号化処理が開始されると、ステップＳ１０１において、画像符号化装置１００のベースレイヤ画像符号化部１０１は、ベースレイヤの画像データを符号化する。
【０１７０】
ステップＳ１０２において、エンハンスメントレイヤ画像符号化部１０２は、エンハンスメントレイヤの画像データを符号化する。
【０１７１】
ステップＳ１０３において、多重化部１０３は、ステップＳ１０１の処理により生成されたベースレイヤ画像符号化ストリームと、ステップＳ１０２の処理により生成されたエンハンスメントレイヤ画像符号化ストリームとを（すなわち、各レイヤのビットストリームを）多重化し、１系統の階層画像符号化ストリームを生成する。
【０１７２】
ステップＳ１０３の処理が終了すると、画像符号化装置１００は、画像符号化処理を終了する。このような画像符号化処理により１ピクチャが処理される。したがって、画像符号化装置１００は、このような画像符号化処理を階層化された動画像データの各ピクチャについて繰り返し実行する。
【０１７３】
＜ベースレイヤ符号化処理の流れ＞
次に、図２２のステップＳ１０１において、ベースレイヤ画像符号化部１０１により実行されるベースレイヤ符号化処理の流れの例を、図２３のフローチャートを参照して説明する。
【０１７４】
ベースレイヤ符号化処理が開始されると、ベースレイヤ画像符号化部１０１のベースレイヤ領域分割設定部１２８は、ステップＳ１２１において、所定の方法でベースレイヤの領域分割を決定し、ベースレイヤ領域分割情報を生成する。また、ベースレイヤ領域分割設定部１２８は、そのベースレイヤ領域分割情報を、ベースレイヤ画像符号化部１０１の各部に供給する。
【０１７５】
ステップＳ１２２において、ベースレイヤ領域分割設定部１２８は、ステップＳ１２１において生成されたベースレイヤ領域分割情報を可逆符号化部１１６に供給し、伝送させる。
【０１７６】
以降の各処理は、ステップＳ１２１において設定された領域毎に実行される。つまり、各処理は、その領域、若しくは、その領域よりも小さい所定の単位を処理単位として実行される。
【０１７７】
ステップＳ１２３において、A/D変換部１１１は、入力された動画像の各フレーム（ピクチャ）の画像をA/D変換する。
【０１７８】
ステップＳ１２４において、画面並べ替えバッファ１１２は、ステップＳ１２３においてA/D変換された画像を記憶し、各ピクチャの表示する順番から符号化する順番への並べ替えを行う。
【０１７９】
ステップＳ１２５において、イントラ予測部１２４は、イントラ予測モードのイントラ予測処理を行う。
【０１８０】
ステップＳ１２６において、インター予測部１２５は、インター予測モードでの動き予測や動き補償等を行うインター予測処理を行う。
【０１８１】
ステップＳ１２７において、予測画像選択部１２６は、コスト関数値等に基づいて、予測画像を選択する。つまり、予測画像選択部１２６は、ステップＳ１２５のイントラ予測により生成された予測画像と、ステップＳ１２６のインター予測により生成された予測画像のいずれか一方を選択する。
【０１８２】
ステップＳ１２８において、演算部１１３は、ステップＳ１２４の処理によりフレーム順を並び替えられた入力画像と、ステップＳ１２７の処理により選択された予測画像との差分を演算する。つまり、演算部１１３は、入力画像と予測画像との差分画像の画像データを生成する。このようにして求められた差分画像の画像データは、元の画像データに比べてデータ量が低減される。したがって、画像をそのまま符号化する場合に較べて、データ量を圧縮することができる。
【０１８３】
ステップＳ１２９において、直交変換部１１４は、ステップＳ１２８の処理により生成された差分画像の画像データを直交変換する。
【０１８４】
ステップＳ１３０において、量子化部１１５は、レート制御部１２７により算出された量子化パラメータを用いて、ステップＳ１２９の処理により得られた直交変換係数を量子化する。
【０１８５】
ステップＳ１３１において、逆量子化部１１８は、ステップＳ１３０の処理により生成された量子化された係数（量子化係数とも称する）を、量子化部１１５の特性に対応する特性で逆量子化する。
【０１８６】
ステップＳ１３２において、逆直交変換部１１９は、ステップＳ１３１の処理により得られた直交変換係数を逆直交変換する。
【０１８７】
ステップＳ１３３において、演算部１２０は、ステップＳ１３２の処理により復元された差分画像に、ステップＳ１２７の処理により選択された予測画像を加算することにより、再構成画像の画像データを生成する。
【０１８８】
ステップＳ１３４においてループフィルタ１２１は、ステップＳ１３３の処理により生成された再構成画像の画像データにループフィルタ処理を行う。これにより、再構成画像のブロック歪み等が除去される。
【０１８９】
ステップＳ１３５において、フレームメモリ１２２は、ステップＳ１３４の処理により得られた復号画像やステップＳ１３３の処理により得られた再構成画像等のデータを記憶する。
【０１９０】
ステップＳ１３６において、可逆符号化部１１６は、ステップＳ１３０の処理により得られた、量子化された係数を符号化する。すなわち、差分画像に対応するデータに対して、可変長符号化や算術符号化等の可逆符号化が行われる。
【０１９１】
また、このとき、可逆符号化部１１６は、ステップＳ１２７の処理により選択された予測画像の予測モードに関する情報を符号化し、差分画像を符号化して得られる符号化データに付加する。つまり、可逆符号化部１１６は、イントラ予測部１２４から供給される最適イントラ予測モード情報、または、インター予測部１２５から供給される最適インター予測モードに応じた情報なども符号化し、符号化データに付加する。
【０１９２】
さらに、可逆符号化部１１６は、各種ナルユニット等のシンタクス要素も設定し、符号化し、符号化データに付加する。
【０１９３】
ステップＳ１３７において蓄積バッファ１１７は、ステップＳ１３６の処理により得られた符号化データを蓄積する。蓄積バッファ１１７に蓄積された符号化データは、適宜読み出され、伝送路や記録媒体を介して復号側に伝送される。
【０１９４】
ステップＳ１３８においてレート制御部１２７は、ステップＳ１３７の処理により蓄積バッファ１１７に蓄積された符号化データの符号量（発生符号量）に基づいて、オーバフローあるいはアンダーフローが発生しないように、量子化部１１５の量子化動作のレートを制御する。また、レート制御部１２７は、量子化パラメータに関する情報を、量子化部１１５に供給する。
【０１９５】
ステップＳ１３９において、フレームメモリ１２２、イントラ予測部１２４、インター予測部１２５、およびベースレイヤ領域分割設定部１２８は、以上のようなベースレイヤ符号化処理において得られたベースレイヤの符号化に関する情報を、エンハンスメントレイヤの符号化処理に供給する。
【０１９６】
ステップＳ１３９の処理が終了すると、ベースレイヤ符号化処理が終了し、処理は図２２に戻る。
【０１９７】
＜エンハンスメントレイヤ符号化処理の流れ＞
次に、図２２のステップＳ１０２において、エンハンスメントレイヤ画像符号化部１０２により実行されるエンハンスメントレイヤ符号化処理の流れの例を、図２４および図２５のフローチャートを参照して説明する。
【０１９８】
エンハンスメントレイヤ符号化処理が開始されると、エンハンスメントレイヤ画像符号化部１０２のベースレイヤ領域分割情報バッファ１７１は、ステップＳ１５１において、ベースレイヤ符号化処理において生成され、供給されるベースレイヤ領域分割情報を取得する。
【０１９９】
ステップＳ１５２において、アップサンプル部１４９は、ベースレイヤ符号化処理において生成され、供給されるベースレイヤ復号画像（つまりテクスチャ情報）を符号化に関する情報として取得する。なお、インターレイヤシンタクスプレディクションが行われる場合、アップサンプル部１４９は、ベースレイヤ符号化処理において生成され、供給されるシンタクス情報も符号化に関する情報として取得する。
【０２００】
ステップＳ１５３において、アップサンプル部１４９は、ステップＳ１５２において取得したベースレイヤの符号化に関する情報（例えば、ベースレイヤ復号画像）をアップサンプル処理する。
【０２０１】
ステップＳ１５４において、フレームメモリ１４２は、ステップＳ１５３の処理によりアップサンプル処理されたベースレイヤの符号化に関する情報（例えば、ベースレイヤ復号画像）を記憶する。
【０２０２】
ステップＳ１５５において、エンハンスメントレイヤ領域分割設定部１７２は、所定の方法でエンハンスメントレイヤの領域分割を決定し、エンハンスメントレイヤ領域分割情報を生成する。また、エンハンスメントレイヤ領域分割設定部１７２は、そのエンハンスメントレイヤ領域分割情報を、エンハンスメントレイヤ画像符号化部１０２の各部に供給する。
【０２０３】
ステップＳ１５６において、領域シンクロ設定部１７３は、ステップＳ１５１において取得されたベースレイヤ領域分割情報と、ステップＳ１５５において生成されたエンハンスメントレイヤ領域分割情報とを用いて、所定の方法で、シンクロ領域情報を生成する。つまり、領域シンクロ設定部１７３は、エンハンスメントレイヤの各領域について、符号化に関する情報の参照先とするベースレイヤの領域を設定する。
【０２０４】
ステップＳ１５７において、領域シンクロ設定部１７３は、ステップＳ１５６の処理により生成されたシンクロ領域情報を用いて、符号化に関する情報の参照先とするベースレイヤの領域のデータを示すシンクロアドレス情報を生成する。
【０２０５】
ステップＳ１５８において、領域シンクロ設定部１７３は、ステップＳ１５６の処理により生成されたシンクロ領域情報を可逆符号化部１３６に供給し、伝送させる。また、エンハンスメントレイヤ領域分割設定部１７２は、ステップＳ１５５の処理により生成されたエンハンスメントレイヤ領域分割情報を可逆符号化部１３６に供給し、伝送させる。
【０２０６】
ステップＳ１５８の処理が終了すると、処理は、図２５のステップＳ１６１に進む。
【０２０７】
以降の各処理は、ステップＳ１５５において設定された領域毎に実行される。つまり、各処理は、その領域、若しくは、その領域よりも小さい所定の単位を処理単位として実行される。
【０２０８】
図２５のステップＳ１６１乃至ステップＳ１７６の各処理は、図２３のステップＳ１２３乃至ステップＳ１３８の各処理に対応し、それらの処理と同様に実行される。
【０２０９】
ステップＳ１７６の処理が終了すると、エンハンスメントレイヤ符号化処理が終了し、処理は、図２２に戻る。
【０２１０】
以上のように各処理を実行することにより、画像符号化装置１００は、レイヤ間予測において他のレイヤの符号化に関する情報を参照するためのメモリアクセスを低減し、符号化・復号の負荷の増大を抑制することができる。
【０２１１】
＜３．第２の実施の形態＞
＜画像復号装置＞
次に、以上のように符号化された符号化データの復号について説明する。図２６は、本技術を適用した画像処理装置の一態様である、図１８の画像符号化装置１００に対応する画像復号装置の主な構成例を示すブロック図である。
【０２１２】
図２６に示される画像復号装置２００は、画像符号化装置１００が生成した符号化データを、その符号化方法に対応する復号方法で復号する（すなわち、階層符号化された符号化データを階層復号する）。
【０２１３】
図２６に示されるように、画像復号装置２００は、逆多重化部２０１、ベースレイヤ画像復号部２０２、およびエンハンスメントレイヤ画像復号部２０３を有する。
【０２１４】
逆多重化部２０１は、符号化側から伝送された、ベースレイヤ画像符号化ストリームとエンハンスメントレイヤ画像符号化ストリームとが多重化された階層画像符号化ストリームを受け取り、それを逆多重化し、ベースレイヤ画像符号化ストリームと、エンハンスメントレイヤ画像符号化ストリームとを抽出する。
【０２１５】
ベースレイヤ画像復号部２０２は、逆多重化部２０１により抽出されたベースレイヤ画像符号化ストリームを復号し、ベースレイヤ画像を得る。その際、ベースレイヤ画像復号部２０２は、符号化側から供給されるベースレイヤ領域分割情報に基づいて、符号化側において設定された領域（タイルやスライス等）毎に復号を行う。
【０２１６】
エンハンスメントレイヤ画像復号部２０３は、逆多重化部２０１により抽出されたエンハンスメントレイヤ画像符号化ストリームを復号し、エンハンスメントレイヤ画像を得る。その際、エンハンスメントレイヤ画像復号部２０３は、符号化側から供給されるエンハンスメントレイヤ領域分割情報に基づいて、符号化側において設定された領域（タイルやスライス等）毎に復号を行う。
【０２１７】
また、エンハンスメントレイヤ画像復号部２０３は、符号化側から供給される、エンハンスメントレイヤの各領域の、符号化に関する情報の参照先とするベースレイヤの領域を制御する制御情報であるシンクロ領域情報を利用して、レイヤ間予測を行う。つまり、エンハンスメントレイヤ画像復号部２０３は、エンハンスメントレイヤの復号において、レイヤ間予測を行う場合、シンクロ領域情報により指定されるベースレイヤの領域の符号化に関する情報を参照する。
【０２１８】
＜ベースレイヤ画像復号部＞
図２７は、図２６のベースレイヤ画像復号部２０２の主な構成例を示すブロック図である。図２７に示されるようにベースレイヤ画像復号部２０２は、蓄積バッファ２１１、可逆復号部２１２、逆量子化部２１３、逆直交変換部２１４、演算部２１５、ループフィルタ２１６、画面並べ替えバッファ２１７、およびD/A変換部２１８を有する。また、ベースレイヤ画像復号部２０２は、フレームメモリ２１９、選択部２２０、イントラ予測部２２１、インター予測部２２２、および予測画像選択部２２３を有する。
【０２１９】
蓄積バッファ２１１は、伝送されてきた符号化データを受け取る受け取り部でもある。蓄積バッファ２１１は、伝送されてきた符号化データを受け取って、蓄積し、所定のタイミングにおいてその符号化データを可逆復号部２１２に供給する。符号化データには、予測モード情報などの復号に必要な情報が付加されている。可逆復号部２１２は、蓄積バッファ２１１より供給された、可逆符号化部１１６により符号化された情報を、その符号化方式に対応する復号方式で復号する。可逆復号部２１２は、復号して得られた差分画像の量子化された係数データを、逆量子化部２１３に供給する。
【０２２０】
また、可逆復号部２１２は、最適な予測モードにイントラ予測モードが選択されたかインター予測モードが選択されたかを判定し、その最適な予測モードに関する情報を、イントラ予測部２２１およびインター予測部２２２の内、選択されたと判定したモードの方に供給する。つまり、例えば、符号化側において最適な予測モードとしてイントラ予測モードが選択された場合、その最適な予測モードに関する情報がイントラ予測部２２１に供給される。また、例えば、符号化側において最適な予測モードとしてインター予測モードが選択された場合、その最適な予測モードに関する情報がインター予測部２２２に供給される。
【０２２１】
さらに、可逆復号部２１２は、例えば、量子化行列や量子化パラメータ等の、逆量子化に必要な情報を逆量子化部２１３に供給する。
【０２２２】
また、可逆復号部２１２は、符号化側から供給されたベースレイヤ領域分割情報を、ベースレイヤ画像復号部２０２の各処理部に供給する。ベースレイヤ画像復号部２０２の各部は、このベースレイヤ領域分割情報に示される領域毎に処理を実行する。各領域の復号は互いに独立に処理される。したがって、例えば、複数のCPUを用いて、各領域の復号を並列処理化することもできる。
【０２２３】
逆量子化部２１３は、可逆復号部２１２により復号されて得られた量子化された係数データを、量子化部１１５の量子化方式に対応する方式で逆量子化する。なお、この逆量子化部２１３は、逆量子化部１１８と同様の処理部である。つまり、逆量子化部２１３の説明は、逆量子化部１１８にも準用することができる。ただし、データの入力元や出力先等は、ベースレイヤ画像復号部２０２の各処理部に置き換えて読む必要がある。
【０２２４】
逆量子化部２１３は、得られた係数データを逆直交変換部２１４に供給する。
【０２２５】
逆直交変換部２１４は、逆量子化部２１３から供給される直交変換係数を、必要に応じて、直交変換部１１４の直交変換方式に対応する方式で逆直交変換する。なお、この逆直交変換部２１４は、逆直交変換部１１９と同様の処理部である。つまり、逆直交変換部２１４の説明は、逆直交変換部１１９にも準用することができる。ただし、データの入力元や出力先等は、ベースレイヤ画像復号部２０２の各処理部に置き換えて読む必要がある。
【０２２６】
この逆直交変換処理により差分画像の画像データが復元される。この復元された差分画像の画像データは、画像符号化装置において直交変換される前の差分画像の画像データに対応する。以下においては、この、逆直交変換部２１４の逆直交変換処理により得られた、復元された差分画像の画像データを、復号残差データとも称する。逆直交変換部２１４は、この復号残差データを、演算部２１５に供給する。また、演算部２１５には、予測画像選択部２２３を介して、イントラ予測部２２１若しくはインター予測部２２２から予測画像の画像データが供給される。
【０２２７】
演算部２１５は、この復号残差データと予測画像の画像データとを用いて、差分画像と予測画像とを加算した再構成画像の画像データを得る。この再構成画像は、演算部１１３により予測画像が減算される前の入力画像に対応する。演算部２１５は、その再構成画像をループフィルタ２１６に供給する。
【０２２８】
ループフィルタ２１６は、供給された再構成画像に対して、デブロックフィルタ処理や適応ループフィルタ処理等を含むループフィルタ処理を適宜施して復号画像を生成する。例えば、ループフィルタ２１６は、再構成画像に対してデブロックフィルタ処理を行うことにより、ブロック歪を除去する。また、例えば、ループフィルタ２１６は、そのデブロックフィルタ処理結果（ブロック歪みの除去が行われた再構成画像）に対して、ウィナーフィルタ（Wiener Filter）を用いてループフィルタ処理を行うことにより画質改善を行う。
【０２２９】
なお、ループフィルタ２１６が行うフィルタ処理の種類は任意であり、上述した以外のフィルタ処理を行ってもよい。また、ループフィルタ２１６が、画像符号化装置から供給されたフィルタ係数を用いてフィルタ処理を行うようにしてもよい。さらに、ループフィルタ２１６が、このようなフィルタ処理を省略し、入力されたデータをフィルタ処理せずに出力することもできる。
【０２３０】
ループフィルタ２１６は、フィルタ処理結果である復号画像（若しくは再構成画像）を画面並べ替えバッファ２１７およびフレームメモリ２１９に供給する。
【０２３１】
画面並べ替えバッファ２１７は、復号画像についてフレームの順番の並べ替えを行う。すなわち、画面並べ替えバッファ２１７は、画面並べ替えバッファ１１２により符号化順に並べ替えられた各フレームの画像を、元の表示順に並べ替える。つまり、画面並べ替えバッファ２１７は、符号化順に供給される各フレームの復号画像の画像データを、その順に記憶し、符号化順に記憶した各フレームの復号画像の画像データを、表示順に読み出してD/A変換部２１８に供給する。D/A変換部２１８は、画面並べ替えバッファ２１７から供給された各フレームの復号画像（デジタルデータ）をD/A変換し、アナログデータとして、図示せぬディスプレイに出力し、表示させる。
【０２３２】
フレームメモリ２１９は、供給される復号画像を記憶し、所定のタイミングにおいて、若しくは、イントラ予測部２２１やインター予測部２２２等の外部の要求に基づいて、記憶している復号画像を参照画像として、選択部２２０を介してイントラ予測部２２１やインター予測部２２２に供給する。
【０２３３】
イントラ予測部２２１には、イントラ予測モード情報等が可逆復号部２１２から適宜供給される。イントラ予測部２２１は、イントラ予測部１２４において用いられたイントラ予測モード（最適イントラ予測モード）でイントラ予測を行い、予測画像を生成する。その際、イントラ予測部２２１は、選択部２２０を介してフレームメモリ２１９から供給される再構成画像の画像データを用いてイントラ予測を行う。すなわち、イントラ予測部２２１は、この再構成画像を参照画像（周辺画素）として利用する。イントラ予測部２２１は、生成した予測画像を予測画像選択部２２３に供給する。
【０２３４】
インター予測部２２２には、最適予測モード情報や動き情報等が可逆復号部２１２から適宜供給される。インター予測部２２２は、可逆復号部２１２から取得された最適予測モード情報が示すインター予測モード（最適インター予測モード）で、フレームメモリ２１９から取得した復号画像（参照画像）を用いてインター予測を行い、予測画像を生成する。
【０２３５】
予測画像選択部２２３は、イントラ予測部２２１から供給される予測画像またはインター予測部２２２から供給される予測画像を、演算部２１５に供給する。そして、演算部２１５においては、その予測画像と逆直交変換部２１４からの復号残差データ（差分画像情報）とが加算されて再構成画像が得られる。
【０２３６】
なお、ベースレイヤ画像復号部２０２は、他のレイヤを参照せずに復号を行う。つまり、イントラ予測部２２１およびインター予測部２２２は、他のレイヤの符号化に関する情報を参照しない。
【０２３７】
また、フレームメモリ２１９は、記憶しているベースレイヤの復号画像の画像データを、ベースレイヤの符号化に関する情報として、エンハンスメントレイヤ画像復号部２０３に供給する。
【０２３８】
同様に、イントラ予測部２２１は、イントラ予測モード情報等を、ベースレイヤの符号化に関する情報として、エンハンスメントレイヤ画像復号部２０３に供給する。
【０２３９】
同様に、インター予測部２２２は、動き情報等を、ベースレイヤの符号化に関する情報として、エンハンスメントレイヤ画像復号部２０３に供給する。
【０２４０】
さらに、イントラ予測部２２１若しくはインター予測部２２２（または、可逆復号部２１２等、ベースレイヤ画像復号部２０２の任意の処理部）は、ベースレイヤ領域分割情報を、エンハンスメントレイヤ画像復号部２０３に供給する。
【０２４１】
＜エンハンスメントレイヤ画像復号部＞
図２８は、図２６のエンハンスメントレイヤ画像復号部２０３の主な構成例を示すブロック図である。図２８に示されるように、エンハンスメントレイヤ画像復号部２０３は、図２７のベースレイヤ画像復号部２０２と基本的に同様の構成を有する。
【０２４２】
つまり、エンハンスメントレイヤ画像復号部２０３は、図２８に示されるように、蓄積バッファ２３１、可逆復号部２３２、逆量子化部２３３、逆直交変換部２３４、演算部２３５、ループフィルタ２３６、画面並べ替えバッファ２３７、およびD/A変換部２３８を有する。また、エンハンスメントレイヤ画像復号部２０３は、フレームメモリ２３９、選択部２４０、イントラ予測部２４１、インター予測部２４２、および予測画像選択部２４３を有する。
【０２４３】
これらの蓄積バッファ２３１乃至予測画像選択部２４３は、図２７の蓄積バッファ２１１乃至予測画像選択部２２３に対応し、それぞれ、対応する処理部と同様の処理を行う。ただし、エンハンスメントレイヤ画像復号部２０３の各部は、ベースレイヤではなく、エンハンスメントレイヤ画像情報の符号化についての処理を行う。したがって、蓄積バッファ２３１乃至予測画像選択部２４３の処理の説明として、上述した図２７の蓄積バッファ２１１乃至予測画像選択部２２３についての説明を適用することができるが、その場合、処理するデータは、ベースレイヤのデータではなく、エンハンスメントレイヤのデータであるものとする必要がある。また、データの入力元や出力先の処理部は、適宜、エンハンスメントレイヤ画像復号部２０３の、対応する処理部に置き換えて読む必要がある。
【０２４４】
また、エンハンスメントレイヤ画像復号部２０３は、領域シンクロ部２４４およびアップサンプル部２４５を有する。
【０２４５】
領域シンクロ部２４４は、可逆復号部２３２から供給されるエンハンスメントレイヤ領域分割情報とシンクロ領域情報とを取得する。これらの情報は、復号側において生成され、復号側から伝送されたものである。さらに、領域シンクロ部２４４は、また、ベースレイヤ画像復号部２０２から供給されるベースレイヤ領域分割情報を取得する。
【０２４６】
領域シンクロ部２４４は、これらの情報を用いて、エンハンスメントレイヤの復号における、ベースレイヤの符号化に関する情報を参照する領域を制御する。例えば、領域シンクロ部２４４は、これらの情報を用いて、イントラ予測部２４１やインター予測部２４２がレイヤ間予測を行う際の、符号化に関する情報を参照するベースレイヤの領域を制御する。このようにすることにより、領域シンクロ部２４４は、符号化の際と同様に、エンハンスメントレイヤの復号における、ベースレイヤの符号化に関する情報を参照する領域を制御することができる。したがって、領域シンクロ部２４４は、メモリアクセスを低減し、復号の負荷の増大を抑制することができる。
【０２４７】
エンハンスメントレイヤ画像復号部２０３は、他のレイヤ（例えばベースレイヤ）の符号化に関する情報を参照して符号化を行う。
【０２４８】
アップサンプル部２４５は、ベースレイヤ画像復号部２０２から供給されるベースレイヤの符号化に関する情報を取得する。例えば、アップサンプル部２４５は、ベースレイヤの復号画像（ベースレイヤ復号画像とも称する）等のテクスチャ情報を、符号化に関する情報として取得する。また、例えば、レイヤ間のシンタクス予測処理（インターレイヤプレディクション）が行われる場合、アップサンプル部２４５は、ベースレイヤの動き情報やイントラ予測モード情報等のシンタクス情報も符号化に関する情報として取得する。
【０２４９】
アップサンプル部２４５は、このように取得したベースレイヤの符号化に関する情報を、アップサンプル処理する。階層符号化ではレイヤ間で、スケーラビリティ機能を有する所定のパラメータ（例えば解像度等）の値が互いに異なる。そのため、アップサンプル部２４５は、そのパラメータの値をエンハンスメントレイヤ基準に換算するように、ベースレイヤの符号化に関する情報をアップサンプル処理する（スケーラブルなパラメータの変換処理を行う）。このようにアップサンプル処理されることにより、ベースレイヤの符号化に関する情報は、エンハンスメントレイヤの復号において利用することができるようになる。
【０２５０】
アップサンプル部１４９は、アップサンプル処理されたベースレイヤの符号化に関する情報を、フレームメモリ２３９に供給し、記憶させる。このベースレイヤの符号化に関する情報は、例えば参照画像として、イントラ予測部２４１やインター予測部２４２に供給される。なお、シンタクス情報も同様に、イントラ予測部２４１やインター予測部２４２に供給される。
【０２５１】
＜領域シンクロ部＞
図２９は、図２８の領域シンクロ部２４４の主な構成例を示すブロック図である。
【０２５２】
図２９に示されるように、領域シンクロ部２４４は、ベースレイヤ領域分割情報バッファ２７１、エンハンスメントレイヤ領域分割情報バッファ２７２、およびシンクロ領域情報復号部２７３を有する。
【０２５３】
ベースレイヤ領域分割情報バッファ２７１は、ベースレイヤ画像復号部２０２から供給されるベースレイヤ領域分割情報、すなわち、符号化側から供給されたベースレイヤ領域分割情報を取得し、保持する。ベースレイヤ領域分割情報バッファ２７１は、所定のタイミングにおいて、若しくは、シンクロ領域情報復号部２７３等の外部からの要求に従って、保持しているベースレイヤ領域分割情報をシンクロ領域情報復号部２７３に供給する。
【０２５４】
エンハンスメントレイヤ領域分割情報バッファ２７２は、可逆復号部２３２から供給されるエンハンスメントレイヤ領域分割情報、すなわち、符号化側から供給されたエンハンスメントレイヤ領域分割情報を取得し、保持する。エンハンスメントレイヤ領域分割情報バッファ２７２は、所定のタイミングにおいて、若しくは、シンクロ領域情報復号部２７３等の外部からの要求に従って、保持しているエンハンスメントレイヤ領域分割情報をシンクロ領域情報復号部２７３に供給する。
【０２５５】
シンクロ領域情報復号部２７３は、ベースレイヤ領域分割情報バッファ２７１からベースレイヤ領域分割情報を取得し、エンハンスメントレイヤ領域分割情報バッファ２７２からエンハンスメントレイヤ領域分割情報を取得する。また、シンクロ領域情報復号部２７３は、可逆復号部２３２から供給されるシンクロ領域情報、すなわち、符号化側から供給されたシンクロ領域情報を取得し、保持する。
【０２５６】
このシンクロ領域情報は、エンハンスメントレイヤの各領域の、符号化に関する情報の参照先とするベースレイヤの領域を制御する情報である。シンクロ領域情報復号部２７３は、ベースレイヤ領域分割情報とエンハンスメントレイヤ領域分割情報とを用いて、このシンクロ領域情報を復号する。つまり、シンクロ領域情報復号部２７３は、ベースレイヤ領域分割情報とエンハンスメントレイヤ領域分割情報とを用いてレイヤ同士の領域の位置関係を把握し、その位置関係に従って、シンクロ領域情報が示すレイヤ間の領域の対応関係を解析する。
【０２５７】
より具体的には、シンクロ領域情報復号部２７３は、フレームメモリ２３９から供給される参照画像等の符号化に関する情報のデータにおける、エンハンスメントレイヤの処理対象であるカレント領域が符号化に関する情報の参照先とするベースレイヤの領域のデータの位置を特定する。シンクロ領域情報復号部２７３は、そのデータの位置を示す情報であるシンクロアドレス情報を生成し、それをイントラ予測部２４１若しくはインター予測部２４２に供給する。
【０２５８】
シンクロ領域情報復号部２７３が利用する情報は全て符号化側から供給された情報であるので、このようにすることにより、シンクロ領域情報復号部２７３は、領域シンクロ設定部１７３が生成するのと同様のシンクロアドレス情報を生成することができる。つまり、シンクロ領域情報復号部２７３は、領域シンクロ設定部１７３と同様の制御を行うことができる。
【０２５９】
イントラ予測部２４１やインター予測部２４２は、このシンクロアドレス情報に従ってレイヤ間予測を行うので、ベースレイヤのピクチャの一部の領域のみを参照先とすることができ、フレームメモリ２３９へのアクセス数の増大を抑制することができる。つまり、シンクロ領域情報復号部２７３は、このような処理を行うことにより、メモリアクセスを低減し、復号の負荷の増大を抑制することができる。
【０２６０】
＜画像復号処理の流れ＞
次に、以上のような画像復号装置２００により実行される各処理の流れについて説明する。最初に、図３０のフローチャートを参照して、画像復号処理の流れの例を説明する。
【０２６１】
画像復号処理が開始されると、ステップＳ２０１において、画像復号装置２００の逆多重化部２０１は、符号化側から伝送される階層画像符号化ストリームをレイヤ毎に逆多重化する。
【０２６２】
ステップＳ２０２において、ベースレイヤ画像復号部２０２は、ステップＳ２０１の処理により抽出されたベースレイヤ画像符号化ストリームを復号する。ベースレイヤ画像復号部２０２は、この復号により生成されたベースレイヤ画像のデータを出力する。
【０２６３】
ステップＳ２０３において、エンハンスメントレイヤ画像復号部２０３は、ステップＳ２０１の処理により抽出されたエンハンスメントレイヤ画像符号化ストリームを復号する。エンハンスメントレイヤ画像復号部２０３は、この復号により生成されたエンハンスメントレイヤ画像のデータを出力する。
【０２６４】
ステップＳ２０３の処理が終了すると、画像復号装置２００は、画像復号処理を終了する。このような画像復号処理により１ピクチャが処理される。したがって、画像復号装置２００は、このような画像復号処理を階層化された動画像データの各ピクチャについて繰り返し実行する。
【０２６５】
＜ベースレイヤ復号処理の流れ＞
次に、図３０のステップＳ２０２において、ベースレイヤ画像復号部２０２により実行されるベースレイヤ復号処理の流れの例を、図３１のフローチャートを参照して説明する。
【０２６６】
ベースレイヤ復号処理が開始されると、ベースレイヤ画像復号部２０２の可逆復号部２１２は、ステップＳ２２１において、蓄積バッファ２１１を介して取得した符号化データを復号し、符号化側から供給されたベースレイヤ領域分割情報を取得する。また、可逆復号部２１２は、そのベースレイヤ領域分割情報を、ベースレイヤ画像復号部２０２の各部に供給する。
【０２６７】
以降の各処理は、ステップＳ２２１において設定された領域毎に実行される。つまり、各処理は、その領域、若しくは、その領域よりも小さい所定の単位を処理単位として実行される。
【０２６８】
ステップＳ２２２において、蓄積バッファ２１１は、伝送されてきたビットストリーム（符号化データ）を蓄積する。ステップＳ２２３において、可逆復号部２１２は、蓄積バッファ２１１から供給されるビットストリーム（符号化データ）を復号する。すなわち、可逆符号化部１１６により符号化されたＩピクチャ、Ｐピクチャ、並びにＢピクチャ等の画像データが復号される。このとき、ヘッダ情報などのビットストリームに含められた画像データ以外の各種情報も復号される。
【０２６９】
ステップＳ２２４において、逆量子化部２１３は、ステップＳ２２３の処理により得られた、量子化された係数を逆量子化する。
【０２７０】
ステップＳ２２５において、逆直交変換部２１４は、ステップＳ２２４において逆量子化された係数を逆直交変換する。
【０２７１】
ステップＳ２２６において、イントラ予測部２２１若しくはインター予測部２２２は、予測処理を行い、予測画像を生成する。つまり、可逆復号部２１２において判定された、符号化の際に適用された予測モードで予測処理が行われる。より具体的には、例えば、符号化の際にイントラ予測が適用された場合、イントラ予測部２２１が、符号化の際に最適とされたイントラ予測モードで予測画像を生成する。また、例えば、符号化の際にインター予測が適用された場合、インター予測部２２２が、符号化の際に最適とされたインター予測モードで予測画像を生成する。
【０２７２】
ステップＳ２２７において、演算部２１５は、ステップＳ２２５において逆直交変換されて得られた差分画像に、ステップＳ２２６において生成された予測画像を加算する。これにより再構成画像の画像データが得られる。
【０２７３】
ステップＳ２２８において、ループフィルタ２１６は、ステップＳ２２７の処理により得られた再構成画像の画像データに対して、デブロックフィルタ処理や適応ループフィルタ処理等を含むループフィルタ処理を適宜行う。
【０２７４】
ステップＳ２２９において、画面並べ替えバッファ２１７は、ステップＳ２２８においてフィルタ処理された再構成画像の各フレームの並べ替えを行う。すなわち、符号化の際に並べ替えられたフレームの順序が、元の表示の順序に並べ替えられる。
【０２７５】
ステップＳ２３０において、D/A変換部２１８は、ステップＳ２２９においてフレームの順序が並べ替えられた画像をD/A変換する。この画像が図示せぬディスプレイに出力され、画像が表示される。
【０２７６】
ステップＳ２３１において、フレームメモリ２１９は、ステップＳ２２８の処理により得られた復号画像やステップＳ２２７の処理により得られた再構成画像等のデータを記憶する。
【０２７７】
ステップＳ２３２において、フレームメモリ２１９、イントラ予測部２２１、およびインター予測部２２２は、符号化側から供給されたベースレイヤの符号化に関する情報を、エンハンスメントレイヤの復号処理に供給する。
【０２７８】
ステップＳ２３２の処理が終了すると、ベースレイヤ復号処理が終了し、処理は図３０に戻る。
【０２７９】
＜エンハンスメントレイヤ復号処理の流れ＞
次に、図３０のステップＳ２０３において、エンハンスメントレイヤ画像復号部２０３により実行されるエンハンスメントレイヤ復号処理の流れの例を、図３２および図３３のフローチャートを参照して説明する。
【０２８０】
エンハンスメントレイヤ復号処理が開始されると、エンハンスメントレイヤ画像復号部２０３のベースレイヤ領域分割情報バッファ２７１は、ステップＳ２５１において、ベースレイヤ復号処理においてベースレイヤ画像復号部２０２から供給されるベースレイヤ領域分割情報を取得する。このベースレイヤ領域分割情報は、符号化側から供給された情報である。
【０２８１】
ステップＳ２５２において、アップサンプル部２４５は、ベースレイヤ復号処理においてベースレイヤ画像復号部２０２から供給されるベースレイヤ復号画像（つまりテクスチャ情報）を符号化に関する情報として取得する。なお、インターレイヤシンタクスプレディクションが行われる場合、アップサンプル部２４５は、ベースレイヤ復号処理においてベースレイヤ画像復号部２０２から供給されるシンタクス情報も符号化に関する情報として取得する。この符号化に関する情報は、符号化側から供給された情報、若しくは、符号化側から供給された情報を基に復元された情報である。
【０２８２】
ステップＳ２５３において、アップサンプル部２４５は、ステップＳ２５２において取得したベースレイヤの符号化に関する情報（例えば、ベースレイヤ復号画像）をアップサンプル処理する。フレームメモリ２３９は、ステップＳ２５３の処理によりアップサンプル処理されたベースレイヤの符号化に関する情報（例えば、ベースレイヤ復号画像）を記憶する。
【０２８３】
ステップＳ２５４において、エンハンスメントレイヤ領域分割情報バッファ２７２は、可逆復号部２３２から供給されるエンハンスメントレイヤ領域分割情報を取得する。このエンハンスメントレイヤ領域分割情報は、符号化側から供給された情報である。
【０２８４】
ステップＳ２５５において、シンクロ領域情報復号部２７３は、可逆復号部２３２から供給されるシンクロ領域情報を取得する。このシンクロ領域情報は、符号化側から供給された情報である。
【０２８５】
ステップＳ２５６において、シンクロ領域情報復号部２７３は、ステップＳ２５１において取得したベースレイヤ領域分割情報と、ステップＳ２５４において取得したエンハンスメントレイヤ領域分割情報とを用いて、ステップＳ２５５において取得したシンクロ領域情報を解析し、参照先とするベースレイヤの領域のデータの位置（シンクロアドレス）を設定し、そのシンクロアドレスを示すシンクロアドレス情報を生成する。シンクロ領域情報復号部２７３は、生成したシンクロアドレス情報を、イントラ予測部２４１若しくはインター予測部２４２に供給する。シンクロアドレス情報を供給されたイントラ予測部２４１やインター予測部２４２は、そのシンクロアドレス情報を用いてレイヤ間予測を行う。
【０２８６】
ステップＳ２５６の処理が終了すると、処理は、図３３のステップＳ２１に進む。
【０２８７】
以降の各処理は、エンハンスメントレイヤ領域分割情報により示される領域毎に実行される。つまり、各処理は、その領域、若しくは、その領域よりも小さい所定の単位を処理単位として実行される。
【０２８８】
図３３のステップＳ２６１乃至ステップＳ２７０の各処理は、図３１のステップＳ２２２乃至ステップＳ２３１の各処理に対応し、それらの処理と同様に実行される。
【０２８９】
ただし、ステップＳ２６５において、レイヤ間予測を行う場合、イントラ予測部２４１またはインター予測部２４２は、図３２のステップＳ２５６において生成されたシンクロアドレス情報に従って処理を行う。つまり、イントラ予測部２４１またはインター予測部２４２は、ベースレイヤの、シンクロアドレス情報により指定される領域の符号化に関する情報のみを参照してレイヤ間予測を行う。
【０２９０】
ステップＳ２７０の処理が終了すると、エンハンスメントレイヤ復号処理が終了し、処理は、図３０に戻る。
【０２９１】
以上のように各処理を実行することにより、画像復号装置２００は、レイヤ間予測において他のレイヤの符号化に関する情報を参照するためのメモリアクセスを低減し、復号の負荷の増大を抑制することができる。
【０２９２】
以上においては、スケーラブル符号化により画像データが階層化されて複数レイヤ化されるように説明したが、そのレイヤ数は任意である。また、以上においては、符号化・復号において、エンハンスメントレイヤは、ベースレイヤを参照して処理されるように説明したが、これに限らず、エンハンスメントレイヤが、処理済の他のエンハンスメントレイヤを参照して処理されるようにしてもよい。
【０２９３】
例えば、図１８の画像符号化装置１００の場合、符号化に関する情報を参照されるエンハンスメントレイヤのエンハンスメントレイヤ画像符号化部１０２のフレームメモリ１４２、イントラ予測部１４４、およびインター予測部１４５（図２０）が、フレームメモリ１２２、イントラ予測部１２４、およびインター予測部１２５（図１９）と同様に、そのエンハンスメントレイヤの符号化に関する情報を、その符号化に関する情報を参照する他のエンハンスメントレイヤのエンハンスメントレイヤ画像符号化部１０２に供給するようにすればよい。
【０２９４】
また、例えば、図２６の画像復号装置２００の場合、符号化に関する情報を参照されるエンハンスメントレイヤのエンハンスメントレイヤ画像復号部２０３のフレームメモリ２３９、イントラ予測部２４１、およびインター予測部２４２（図２８）が、フレームメモリ２１９、イントラ予測部２２１、およびインター予測部２２２（図２７）と同様に、そのエンハンスメントレイヤの符号化に関する情報を、その符号化に関する情報を参照する他のエンハンスメントレイヤのエンハンスメントレイヤ画像復号部２０３に供給するようにすればよい。
【０２９５】
本技術の適用範囲は、スケーラブルな符号化・復号方式に基づくあらゆる画像符号化装置及び画像復号装置に適用することができる。
【０２９６】
また、本技術は、例えば、MPEG、H．26x等の様に、離散コサイン変換等の直交変換と動き補償によって圧縮された画像情報（ビットストリーム）を、衛星放送、ケーブルテレビジョン、インターネット、または携帯電話機などのネットワークメディアを介して受信する際に用いられる画像符号化装置および画像復号装置に適用することができる。また、本技術は、光、磁気ディスク、およびフラッシュメモリのような記憶メディア上で処理する際に用いられる画像符号化装置および画像復号装置に適用することができる。
【０２９７】
＜４．第３の実施の形態＞
＜多視点画像符号化・多視点画像復号への適用＞
上述した一連の処理は、多視点画像符号化・多視点画像復号に適用することができる。図３４は、多視点画像符号化方式の一例を示す。
【０２９８】
図３４に示されるように、多視点画像は、複数の視点（ビュー（view））の画像を含む。この多視点画像の複数のビューは、他のビューの情報を利用せずに自身のビューの画像のみを用いて符号化・復号を行うベースビューと、他のビューの情報を利用して符号化・復号を行うノンベースビューとによりなる。ノンベースビューの符号化・復号は、ベースビューの情報を利用するようにしても良いし、他のノンベースビューの情報を利用するようにしてもよい。
【０２９９】
つまり、多視点画像符号化・復号におけるビュー間の参照関係は、階層画像符号化・復号におけるレイヤ間の参照関係と同様である。したがって、図３４のような多視点画像の符号化・復号において、上述した方法を適用するようにしてもよい。つまり、ノンベースビューの符号化・復号において、符号化に関する情報を参照するベースビュー（若しくは他のノンベースビュー）の領域を制御するようにしてもよい。このようにすることにより、多視点画像の場合も同様に、符号化若しくは復号の負荷の増大を抑制することができる。
【０３００】
＜多視点画像符号化装置＞
図３５は、上述した多視点画像符号化を行う多視点画像符号化装置を示す図である。図３５に示されるように、多視点画像符号化装置６００は、符号化部６０１、符号化部６０２、および多重化部６０３を有する。
【０３０１】
符号化部６０１は、ベースビュー画像を符号化し、ベースビュー画像符号化ストリームを生成する。符号化部６０２は、ノンベースビュー画像を符号化し、ノンベースビュー画像符号化ストリームを生成する。多重化部６０３は、符号化部６０１において生成されたベースビュー画像符号化ストリームと、符号化部６０２において生成されたノンベースビュー画像符号化ストリームとを多重化し、多視点画像符号化ストリームを生成する。
【０３０２】
この多視点画像符号化装置６００の符号化部６０１としてベースレイヤ画像符号化部１０１（図１９）を適用し、符号化部６０２としてエンハンスメントレイヤ画像符号化部１０２（図２０）を適用してもよい。つまり、ノンベースビューの符号化において、符号化に関する情報を参照するベースビュー（若しくは他のノンベースビュー）の領域を制御するようにしてもよい。このようにすることにより、多視点画像の場合も同様に、符号化の負荷の増大を抑制することができる。なお、この多視点画像符号化の場合も、この符号化に関する情報を参照する領域を制御する制御情報を復号側に伝送することにより、復号の負荷の増大も抑制することができる。
【０３０３】
＜多視点画像復号装置＞
図３６は、上述した多視点画像復号を行う多視点画像復号装置を示す図である。図３６に示されるように、多視点画像復号装置６１０は、逆多重化部６１１、復号部６１２、および復号部６１３を有する。
【０３０４】
逆多重化部６１１は、ベースビュー画像符号化ストリームとノンベースビュー画像符号化ストリームとが多重化された多視点画像符号化ストリームを逆多重化し、ベースビュー画像符号化ストリームと、ノンベースビュー画像符号化ストリームとを抽出する。復号部６１２は、逆多重化部６１１により抽出されたベースビュー画像符号化ストリームを復号し、ベースビュー画像を得る。復号部６１３は、逆多重化部６１１により抽出されたノンベースビュー画像符号化ストリームを復号し、ノンベースビュー画像を得る。
【０３０５】
この多視点画像復号装置６１０の復号部６１２としてベースレイヤ画像復号部（図２７）を適用し、復号部６１３としてエンハンスメントレイヤ画像復号部２０３（図２８）を適用してもよい。つまり、ノンベースビューの復号において、符号化に関する情報を参照するベースビュー（若しくは他のノンベースビュー）の領域を制御するようにしてもよい。このようにすることにより、多視点画像の場合も同様に、復号の負荷の増大を抑制することができる。
【０３０６】
＜５．第４の実施の形態＞
＜コンピュータ＞
上述した一連の処理は、ハードウエアにより実行させることもできるし、ソフトウエアにより実行させることもできる。一連の処理をソフトウエアにより実行する場合には、そのソフトウエアを構成するプログラムが、コンピュータにインストールされる。ここでコンピュータには、専用のハードウエアに組み込まれているコンピュータや、各種のプログラムをインストールすることで、各種の機能を実行することが可能な、例えば汎用のパーソナルコンピュータ等が含まれる。
【０３０７】
図３７は、上述した一連の処理をプログラムにより実行するコンピュータのハードウエアの構成例を示すブロック図である。
【０３０８】
図３７に示されるコンピュータ８００において、CPU（Central Processing Unit）８０１、ROM（Read Only Memory）８０２、RAM（Random Access Memory）８０３は、バス８０４を介して相互に接続されている。
【０３０９】
バス８０４にはまた、入出力インタフェース８１０も接続されている。入出力インタフェース８１０には、入力部８１１、出力部８１２、記憶部８１３、通信部８１４、およびドライブ８１５が接続されている。
【０３１０】
入力部８１１は、例えば、キーボード、マウス、マイクロホン、タッチパネル、入力端子などよりなる。出力部８１２は、例えば、ディスプレイ、スピーカ、出力端子などよりなる。記憶部８１３は、例えば、ハードディスク、RAMディスク、不揮発性のメモリなどよりなる。通信部８１４は、例えば、ネットワークインタフェースよりなる。ドライブ８１５は、磁気ディスク、光ディスク、光磁気ディスク、または半導体メモリなどのリムーバブルメディア８２１を駆動する。
【０３１１】
以上のように構成されるコンピュータでは、CPU８０１が、例えば、記憶部８１３に記憶されているプログラムを、入出力インタフェース８１０およびバス８０４を介して、RAM８０３にロードして実行することにより、上述した一連の処理が行われる。RAM８０３にはまた、CPU８０１が各種の処理を実行する上において必要なデータなども適宜記憶される。
【０３１２】
コンピュータ（CPU８０１）が実行するプログラムは、例えば、パッケージメディア等としてのリムーバブルメディア８２１に記録して適用することができる。その場合、プログラムは、リムーバブルメディア８２１をドライブ８１５に装着することにより、入出力インタフェース８１０を介して、記憶部８１３にインストールすることができる。
【０３１３】
また、このプログラムは、ローカルエリアネットワーク、インターネット、デジタル衛星放送といった、有線または無線の伝送媒体を介して提供することもできる。その場合、プログラムは、有線または無線の伝送媒体を介して、通信部８１４で受信し、記憶部８１３にインストールすることができる。
【０３１４】
その他、このプログラムは、ROM８０２や記憶部８１３に、あらかじめインストールしておくこともできる。
【０３１５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３１６】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３１７】
また、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０３１８】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０３１９】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０３２０】
例えば、本技術は、１つの機能を、ネットワークを介して複数の装置で分担、共同して処理するクラウドコンピューティングの構成をとることができる。
【０３２１】
また、上述のフローチャートで説明した各ステップは、１つの装置で実行する他、複数の装置で分担して実行することができる。
【０３２２】
さらに、１つのステップに複数の処理が含まれる場合には、その１つのステップに含まれる複数の処理は、１つの装置で実行する他、複数の装置で分担して実行することができる。
【０３２３】
上述した実施形態に係る画像符号化装置及び画像復号装置は、例えば、衛星放送、ケーブルＴＶなどの有線放送、インターネット上での配信、及びセルラー通信による端末への配信などにおける送信機若しくは受信機、光ディスク、磁気ディスク及びフラッシュメモリなどの媒体に画像を記録する記録装置、又は、これら記憶媒体から画像を再生する再生装置などの様々な電子機器に応用され得る。以下、４つの応用例について説明する。
【０３２４】
＜６．応用例＞
＜第１の応用例：テレビジョン受像機＞
図３８は、上述した実施形態を適用したテレビジョン装置の概略的な構成の一例を示している。テレビジョン装置９００は、アンテナ９０１、チューナ９０２、デマルチプレクサ９０３、デコーダ９０４、映像信号処理部９０５、表示部９０６、音声信号処理部９０７、スピーカ９０８、外部インタフェース（I/F）部９０９、制御部９１０、ユーザインタフェース（I/F）部９１１、及びバス９１２を備える。
【０３２５】
チューナ９０２は、アンテナ９０１を介して受信される放送信号から所望のチャンネルの信号を抽出し、抽出した信号を復調する。そして、チューナ９０２は、復調により得られた符号化ビットストリームをデマルチプレクサ９０３へ出力する。即ち、チューナ９０２は、画像が符号化されている符号化ストリームを受信する、テレビジョン装置９００における伝送部としての役割を有する。
【０３２６】
デマルチプレクサ９０３は、符号化ビットストリームから視聴対象の番組の映像ストリーム及び音声ストリームを分離し、分離した各ストリームをデコーダ９０４へ出力する。また、デマルチプレクサ９０３は、符号化ビットストリームからEPG（Electronic Program Guide）などの補助的なデータを抽出し、抽出したデータを制御部９１０に供給する。なお、デマルチプレクサ９０３は、符号化ビットストリームがスクランブルされている場合には、デスクランブルを行ってもよい。
【０３２７】
デコーダ９０４は、デマルチプレクサ９０３から入力される映像ストリーム及び音声ストリームを復号する。そして、デコーダ９０４は、復号処理により生成される映像データを映像信号処理部９０５へ出力する。また、デコーダ９０４は、復号処理により生成される音声データを音声信号処理部９０７へ出力する。
【０３２８】
映像信号処理部９０５は、デコーダ９０４から入力される映像データを再生し、表示部９０６に映像を表示させる。また、映像信号処理部９０５は、ネットワークを介して供給されるアプリケーション画面を表示部９０６に表示させてもよい。また、映像信号処理部９０５は、映像データについて、設定に応じて、例えばノイズ除去などの追加的な処理を行ってもよい。さらに、映像信号処理部９０５は、例えばメニュー、ボタン又はカーソルなどのGUI（Graphical User Interface）の画像を生成し、生成した画像を出力画像に重畳してもよい。
【０３２９】
表示部９０６は、映像信号処理部９０５から供給される駆動信号により駆動され、表示デバイス（例えば、液晶ディスプレイ、プラズマディスプレイ又はOELD（Organic ElectroLuminescence Display）（有機ELディスプレイ）など）の映像面上に映像又は画像を表示する。
【０３３０】
音声信号処理部９０７は、デコーダ９０４から入力される音声データについてD/A変換及び増幅などの再生処理を行い、スピーカ９０８から音声を出力させる。また、音声信号処理部９０７は、音声データについてノイズ除去などの追加的な処理を行ってもよい。
【０３３１】
外部インタフェース部９０９は、テレビジョン装置９００と外部機器又はネットワークとを接続するためのインタフェースである。例えば、外部インタフェース部９０９を介して受信される映像ストリーム又は音声ストリームが、デコーダ９０４により復号されてもよい。即ち、外部インタフェース部９０９もまた、画像が符号化されている符号化ストリームを受信する、テレビジョン装置９００における伝送部としての役割を有する。
【０３３２】
制御部９１０は、CPUなどのプロセッサ、並びにRAM及びROMなどのメモリを有する。メモリは、CPUにより実行されるプログラム、プログラムデータ、EPGデータ、及びネットワークを介して取得されるデータなどを記憶する。メモリにより記憶されるプログラムは、例えば、テレビジョン装置９００の起動時にCPUにより読み込まれ、実行される。CPUは、プログラムを実行することにより、例えばユーザインタフェース部９１１から入力される操作信号に応じて、テレビジョン装置９００の動作を制御する。
【０３３３】
ユーザインタフェース部９１１は、制御部９１０と接続される。ユーザインタフェース部９１１は、例えば、ユーザがテレビジョン装置９００を操作するためのボタン及びスイッチ、並びに遠隔制御信号の受信部などを有する。ユーザインタフェース部９１１は、これら構成要素を介してユーザによる操作を検出して操作信号を生成し、生成した操作信号を制御部９１０へ出力する。
【０３３４】
バス９１２は、チューナ９０２、デマルチプレクサ９０３、デコーダ９０４、映像信号処理部９０５、音声信号処理部９０７、外部インタフェース部９０９及び制御部９１０を相互に接続する。
【０３３５】
このように構成されたテレビジョン装置９００において、デコーダ９０４は、上述した実施形態に係る画像復号装置２００（図２６）の機能を有する。それにより、テレビジョン装置９００での画像の復号に際して、負荷の増大を抑制することができる。
【０３３６】
＜第２の応用例：携帯電話機＞
図３９は、上述した実施形態を適用した携帯電話機の概略的な構成の一例を示している。携帯電話機９２０は、アンテナ９２１、通信部９２２、音声コーデック９２３、スピーカ９２４、マイクロホン９２５、カメラ部９２６、画像処理部９２７、多重分離部９２８、記録再生部９２９、表示部９３０、制御部９３１、操作部９３２、及びバス９３３を備える。
【０３３７】
アンテナ９２１は、通信部９２２に接続される。スピーカ９２４及びマイクロホン９２５は、音声コーデック９２３に接続される。操作部９３２は、制御部９３１に接続される。バス９３３は、通信部９２２、音声コーデック９２３、カメラ部９２６、画像処理部９２７、多重分離部９２８、記録再生部９２９、表示部９３０、及び制御部９３１を相互に接続する。
【０３３８】
携帯電話機９２０は、音声通話モード、データ通信モード、撮影モード及びテレビ電話モードを含む様々な動作モードで、音声信号の送受信、電子メール又は画像データの送受信、画像の撮像、及びデータの記録などの動作を行う。
【０３３９】
音声通話モードにおいて、マイクロホン９２５により生成されるアナログ音声信号は、音声コーデック９２３に供給される。音声コーデック９２３は、アナログ音声信号を音声データへ変換し、変換された音声データをA/D変換し圧縮する。そして、音声コーデック９２３は、圧縮後の音声データを通信部９２２へ出力する。通信部９２２は、音声データを符号化及び変調し、送信信号を生成する。そして、通信部９２２は、生成した送信信号を、アンテナ９２１を介して基地局（図示せず）へ送信する。また、通信部９２２は、アンテナ９２１を介して受信される無線信号を増幅し及び周波数変換し、受信信号を取得する。そして、通信部９２２は、受信信号を復調及び復号して音声データを生成し、生成した音声データを音声コーデック９２３へ出力する。音声コーデック９２３は、音声データを伸張し及びD/A変換し、アナログ音声信号を生成する。そして、音声コーデック９２３は、生成した音声信号をスピーカ９２４に供給して音声を出力させる。
【０３４０】
また、データ通信モードにおいて、例えば、制御部９３１は、操作部９３２を介するユーザによる操作に応じて、電子メールを構成する文字データを生成する。また、制御部９３１は、文字を表示部９３０に表示させる。また、制御部９３１は、操作部９３２を介するユーザからの送信指示に応じて電子メールデータを生成し、生成した電子メールデータを通信部９２２へ出力する。通信部９２２は、電子メールデータを符号化及び変調し、送信信号を生成する。そして、通信部９２２は、生成した送信信号を、アンテナ９２１を介して基地局（図示せず）へ送信する。また、通信部９２２は、アンテナ９２１を介して受信される無線信号を増幅し及び周波数変換し、受信信号を取得する。そして、通信部９２２は、受信信号を復調及び復号して電子メールデータを復元し、復元した電子メールデータを制御部９３１へ出力する。制御部９３１は、表示部９３０に電子メールの内容を表示させると共に、電子メールデータを記録再生部９２９の記憶媒体に記憶させる。
【０３４１】
記録再生部９２９は、読み書き可能な任意の記憶媒体を有する。例えば、記憶媒体は、RAM又はフラッシュメモリなどの内蔵型の記憶媒体であってもよく、ハードディスク、磁気ディスク、光磁気ディスク、光ディスク、USB（Universal Serial Bus）メモリ、又はメモリカードなどの外部装着型の記憶媒体であってもよい。
【０３４２】
また、撮影モードにおいて、例えば、カメラ部９２６は、被写体を撮像して画像データを生成し、生成した画像データを画像処理部９２７へ出力する。画像処理部９２７は、カメラ部９２６から入力される画像データを符号化し、符号化ストリームを記録再生部９２９の記憶媒体に記憶させる。
【０３４３】
また、テレビ電話モードにおいて、例えば、多重分離部９２８は、画像処理部９２７により符号化された映像ストリームと、音声コーデック９２３から入力される音声ストリームとを多重化し、多重化したストリームを通信部９２２へ出力する。通信部９２２は、ストリームを符号化及び変調し、送信信号を生成する。そして、通信部９２２は、生成した送信信号を、アンテナ９２１を介して基地局（図示せず）へ送信する。また、通信部９２２は、アンテナ９２１を介して受信される無線信号を増幅し及び周波数変換し、受信信号を取得する。これら送信信号及び受信信号には、符号化ビットストリームが含まれ得る。そして、通信部９２２は、受信信号を復調及び復号してストリームを復元し、復元したストリームを多重分離部９２８へ出力する。多重分離部９２８は、入力されるストリームから映像ストリーム及び音声ストリームを分離し、映像ストリームを画像処理部９２７、音声ストリームを音声コーデック９２３へ出力する。画像処理部９２７は、映像ストリームを復号し、映像データを生成する。映像データは、表示部９３０に供給され、表示部９３０により一連の画像が表示される。音声コーデック９２３は、音声ストリームを伸張し及びD/A変換し、アナログ音声信号を生成する。そして、音声コーデック９２３は、生成した音声信号をスピーカ９２４に供給して音声を出力させる。
【０３４４】
このように構成された携帯電話機９２０において、画像処理部９２７は、上述した実施形態に係る画像符号化装置１００（図１８）や画像復号装置２００（図２６）の機能を有する。それにより、携帯電話機９２０での画像の符号化および復号に際して、負荷の増大を抑制することができる。
【０３４５】
＜第３の応用例：記録再生装置＞
図４０は、上述した実施形態を適用した記録再生装置の概略的な構成の一例を示している。記録再生装置９４０は、例えば、受信した放送番組の音声データ及び映像データを符号化して記録媒体に記録する。また、記録再生装置９４０は、例えば、他の装置から取得される音声データ及び映像データを符号化して記録媒体に記録してもよい。また、記録再生装置９４０は、例えば、ユーザの指示に応じて、記録媒体に記録されているデータをモニタ及びスピーカ上で再生する。このとき、記録再生装置９４０は、音声データおよび映像データを復号する。
【０３４６】
記録再生装置９４０は、チューナ９４１、外部インタフェース（I/F）部９４２、エンコーダ９４３、HDD（Hard Disk Drive）９４４、ディスクドライブ９４５、セレクタ９４６、デコーダ９４７、OSD（On-Screen Display）９４８、制御部９４９、およびユーザインタフェース（I/F）部９５０を備える。
【０３４７】
チューナ９４１は、アンテナ（図示せず）を介して受信される放送信号から所望のチャンネルの信号を抽出し、抽出した信号を復調する。そして、チューナ９４１は、復調により得られた符号化ビットストリームをセレクタ９４６へ出力する。即ち、チューナ９４１は、記録再生装置９４０における伝送部としての役割を有する。
【０３４８】
外部インタフェース部９４２は、記録再生装置９４０と外部機器又はネットワークとを接続するためのインタフェースである。外部インタフェース部９４２は、例えば、IEEE1394インタフェース、ネットワークインタフェース、USBインタフェース、又はフラッシュメモリインタフェースなどであってよい。例えば、外部インタフェース部９４２を介して受信される映像データおよび音声データは、エンコーダ９４３へ入力される。即ち、外部インタフェース部９４２は、記録再生装置９４０における伝送部としての役割を有する。
【０３４９】
エンコーダ９４３は、外部インタフェース部９４２から入力される映像データおよび音声データが符号化されていない場合に、映像データおよび音声データを符号化する。そして、エンコーダ９４３は、符号化ビットストリームをセレクタ９４６へ出力する。
【０３５０】
HDD９４４は、映像および音声などのコンテンツデータが圧縮された符号化ビットストリーム、各種プログラムおよびその他のデータを内部のハードディスクに記録する。また、HDD９４４は、映像および音声の再生時に、これらデータをハードディスクから読み出す。
【０３５１】
ディスクドライブ９４５は、装着されている記録媒体へのデータの記録および読み出しを行う。ディスクドライブ９４５に装着される記録媒体は、例えばDVDディスク（DVD-Video、DVD-RAM、DVD-R、DVD-RW、DVD+R、DVD+RW等）又はBlu-ray（登録商標）ディスクなどであってよい。
【０３５２】
セレクタ９４６は、映像および音声の記録時には、チューナ９４１又はエンコーダ９４３から入力される符号化ビットストリームを選択し、選択した符号化ビットストリームをHDD９４４又はディスクドライブ９４５へ出力する。また、セレクタ９４６は、映像及び音声の再生時には、HDD９４４又はディスクドライブ９４５から入力される符号化ビットストリームをデコーダ９４７へ出力する。
【０３５３】
デコーダ９４７は、符号化ビットストリームを復号し、映像データ及び音声データを生成する。そして、デコーダ９４７は、生成した映像データをOSD９４８へ出力する。また、デコーダ９４７は、生成した音声データを外部のスピーカへ出力する。
【０３５４】
OSD９４８は、デコーダ９４７から入力される映像データを再生し、映像を表示する。また、OSD９４８は、表示する映像に、例えばメニュー、ボタン又はカーソルなどのGUIの画像を重畳してもよい。
【０３５５】
制御部９４９は、CPUなどのプロセッサ、並びにRAM及びROMなどのメモリを有する。メモリは、CPUにより実行されるプログラム、及びプログラムデータなどを記憶する。メモリにより記憶されるプログラムは、例えば、記録再生装置９４０の起動時にCPUにより読み込まれ、実行される。CPUは、プログラムを実行することにより、例えばユーザインタフェース部９５０から入力される操作信号に応じて、記録再生装置９４０の動作を制御する。
【０３５６】
ユーザインタフェース部９５０は、制御部９４９と接続される。ユーザインタフェース部９５０は、例えば、ユーザが記録再生装置９４０を操作するためのボタンおよびスイッチ、並びに遠隔制御信号の受信部などを有する。ユーザインタフェース部９５０は、これら構成要素を介してユーザによる操作を検出して操作信号を生成し、生成した操作信号を制御部９４９へ出力する。
【０３５７】
このように構成された記録再生装置９４０において、エンコーダ９４３は、上述した実施形態に係る画像符号化装置１００（図１８）の機能を有する。また、デコーダ９４７は、上述した実施形態に係る画像復号装置２００（図２６）の機能を有する。それにより、記録再生装置９４０での画像の符号化および復号に際して、負荷の増大を抑制することができる。
【０３５８】
＜第４の応用例：撮像装置＞
図４１は、上述した実施形態を適用した撮像装置の概略的な構成の一例を示している。撮像装置９６０は、被写体を撮像して画像を生成し、画像データを符号化して記録媒体に記録する。
【０３５９】
撮像装置９６０は、光学ブロック９６１、撮像部９６２、信号処理部９６３、画像処理部９６４、表示部９６５、外部インタフェース（I/F）部９６６、メモリ９６７、メディアドライブ９６８、OSD９６９、制御部９７０、ユーザインタフェース（I/F）部９７１、およびバス９７２を備える。
【０３６０】
光学ブロック９６１は、撮像部９６２に接続される。撮像部９６２は、信号処理部９６３に接続される。表示部９６５は、画像処理部９６４に接続される。ユーザインタフェース部９７１は、制御部９７０に接続される。バス９７２は、画像処理部９６４、外部インタフェース部９６６、メモリ９６７、メディアドライブ９６８、OSD９６９、および制御部９７０を相互に接続する。
【０３６１】
光学ブロック９６１は、フォーカスレンズ及び絞り機構などを有する。光学ブロック９６１は、被写体の光学像を撮像部９６２の撮像面に結像させる。撮像部９６２は、CCD（Charge Coupled Device）又はCMOS（Complementary Metal Oxide Semiconductor）などのイメージセンサを有し、撮像面に結像した光学像を光電変換によって電気信号としての画像信号に変換する。そして、撮像部９６２は、画像信号を信号処理部９６３へ出力する。
【０３６２】
信号処理部９６３は、撮像部９６２から入力される画像信号に対してニー補正、ガンマ補正、色補正などの種々のカメラ信号処理を行う。信号処理部９６３は、カメラ信号処理後の画像データを画像処理部９６４へ出力する。
【０３６３】
画像処理部９６４は、信号処理部９６３から入力される画像データを符号化し、符号化データを生成する。そして、画像処理部９６４は、生成した符号化データを外部インタフェース部９６６またはメディアドライブ９６８へ出力する。また、画像処理部９６４は、外部インタフェース部９６６またはメディアドライブ９６８から入力される符号化データを復号し、画像データを生成する。そして、画像処理部９６４は、生成した画像データを表示部９６５へ出力する。また、画像処理部９６４は、信号処理部９６３から入力される画像データを表示部９６５へ出力して画像を表示させてもよい。また、画像処理部９６４は、OSD９６９から取得される表示用データを、表示部９６５へ出力する画像に重畳してもよい。
【０３６４】
OSD９６９は、例えばメニュー、ボタン又はカーソルなどのGUIの画像を生成して、生成した画像を画像処理部９６４へ出力する。
【０３６５】
外部インタフェース部９６６は、例えばUSB入出力端子として構成される。外部インタフェース部９６６は、例えば、画像の印刷時に、撮像装置９６０とプリンタとを接続する。また、外部インタフェース部９６６には、必要に応じてドライブが接続される。ドライブには、例えば、磁気ディスク又は光ディスクなどのリムーバブルメディアが装着され、リムーバブルメディアから読み出されるプログラムが、撮像装置９６０にインストールされ得る。さらに、外部インタフェース部９６６は、LAN又はインターネットなどのネットワークに接続されるネットワークインタフェースとして構成されてもよい。即ち、外部インタフェース部９６６は、撮像装置９６０における伝送部としての役割を有する。
【０３６６】
メディアドライブ９６８に装着される記録媒体は、例えば、磁気ディスク、光磁気ディスク、光ディスク、又は半導体メモリなどの、読み書き可能な任意のリムーバブルメディアであってよい。また、メディアドライブ９６８に記録媒体が固定的に装着され、例えば、内蔵型ハードディスクドライブ又はSSD（Solid State Drive）のような非可搬性の記憶部が構成されてもよい。
【０３６７】
制御部９７０は、CPUなどのプロセッサ、並びにRAM及びROMなどのメモリを有する。メモリは、CPUにより実行されるプログラム、及びプログラムデータなどを記憶する。メモリにより記憶されるプログラムは、例えば、撮像装置９６０の起動時にCPUにより読み込まれ、実行される。CPUは、プログラムを実行することにより、例えばユーザインタフェース部９７１から入力される操作信号に応じて、撮像装置９６０の動作を制御する。
【０３６８】
ユーザインタフェース部９７１は、制御部９７０と接続される。ユーザインタフェース部９７１は、例えば、ユーザが撮像装置９６０を操作するためのボタン及びスイッチなどを有する。ユーザインタフェース部９７１は、これら構成要素を介してユーザによる操作を検出して操作信号を生成し、生成した操作信号を制御部９７０へ出力する。
【０３６９】
このように構成された撮像装置９６０において、画像処理部９６４は、上述した実施形態に係る画像符号化装置１００（図１８）や画像復号装置２００（図２６）の機能を有する。それにより、撮像装置９６０での画像の符号化および復号に際して、負荷の増大を抑制することができる。
【０３７０】
＜７．スケーラブル符号化の応用例＞
＜第１のシステム＞
次に、スケーラブル符号化（階層（画像）符号化）されたスケーラブル符号化データの具体的な利用例について説明する。スケーラブル符号化は、例えば、図４２に示される例のように、伝送するデータの選択のために利用される。
【０３７１】
図４２に示されるデータ伝送システム１０００において、配信サーバ１００２は、スケーラブル符号化データ記憶部１００１に記憶されているスケーラブル符号化データを読み出し、ネットワーク１００３を介して、パーソナルコンピュータ１００４、AV機器１００５、タブレットデバイス１００６、および携帯電話機１００７等の端末装置に配信する。
【０３７２】
その際、配信サーバ１００２は、端末装置の能力や通信環境等に応じて、適切な品質の符号化データを選択して伝送する。配信サーバ１００２が不要に高品質なデータを伝送しても、端末装置において高画質な画像を得られるとは限らず、遅延やオーバフローの発生要因となる恐れがある。また、不要に通信帯域を占有したり、端末装置の負荷を不要に増大させたりしてしまう恐れもある。逆に、配信サーバ１００２が不要に低品質なデータを伝送しても、端末装置において十分な画質の画像を得ることができない恐れがある。そのため、配信サーバ１００２は、スケーラブル符号化データ記憶部１００１に記憶されているスケーラブル符号化データを、適宜、端末装置の能力や通信環境等に対して適切な品質の符号化データとして読み出し、伝送する。
【０３７３】
例えば、スケーラブル符号化データ記憶部１００１は、スケーラブルに符号化されたスケーラブル符号化データ（BL+EL）１０１１を記憶するとする。このスケーラブル符号化データ（BL+EL）１０１１は、ベースレイヤとエンハンスメントレイヤの両方を含む符号化データであり、復号することにより、ベースレイヤの画像およびエンハンスメントレイヤの画像の両方を得ることができるデータである。
【０３７４】
配信サーバ１００２は、データを伝送する端末装置の能力や通信環境等に応じて、適切なレイヤを選択し、そのレイヤのデータを読み出す。例えば、配信サーバ１００２は、処理能力の高いパーソナルコンピュータ１００４やタブレットデバイス１００６に対しては、高品質なスケーラブル符号化データ（BL+EL）１０１１をスケーラブル符号化データ記憶部１００１から読み出し、そのまま伝送する。これに対して、例えば、配信サーバ１００２は、処理能力の低いAV機器１００５や携帯電話機１００７に対しては、スケーラブル符号化データ（BL+EL）１０１１からベースレイヤのデータを抽出し、スケーラブル符号化データ（BL+EL）１０１１と同じコンテンツのデータであるが、スケーラブル符号化データ（BL+EL）１０１１よりも低品質なスケーラブル符号化データ（BL）１０１２として伝送する。
【０３７５】
このようにスケーラブル符号化データを用いることにより、データ量を容易に調整することができるので、遅延やオーバフローの発生を抑制したり、端末装置や通信媒体の負荷の不要な増大を抑制したりすることができる。また、スケーラブル符号化データ（BL+EL）１０１１は、レイヤ間の冗長性が低減されているので、各レイヤの符号化データを個別のデータとする場合よりもそのデータ量を低減させることができる。したがって、スケーラブル符号化データ記憶部１００１の記憶領域をより効率よく使用することができる。
【０３７６】
なお、パーソナルコンピュータ１００４乃至携帯電話機１００７のように、端末装置には様々な装置を適用することができるので、端末装置のハードウエアの性能は、装置によって異なる。また、端末装置が実行するアプリケーションも様々であるので、そのソフトウエアの能力も様々である。さらに、通信媒体となるネットワーク１００３も、例えばインターネットやLAN（Local Area Network）等、有線若しくは無線、またはその両方を含むあらゆる通信回線網を適用することができ、そのデータ伝送能力は様々である。さらに、他の通信等によっても変化する恐れがある。
【０３７７】
そこで、配信サーバ１００２は、データ伝送を開始する前に、データの伝送先となる端末装置と通信を行い、端末装置のハードウエア性能や、端末装置が実行するアプリケーション（ソフトウエア）の性能等といった端末装置の能力に関する情報、並びに、ネットワーク１００３の利用可能帯域幅等の通信環境に関する情報を得るようにしてもよい。そして、配信サーバ１００２が、ここで得た情報を基に、適切なレイヤを選択するようにしてもよい。
【０３７８】
なお、レイヤの抽出は、端末装置において行うようにしてもよい。例えば、パーソナルコンピュータ１００４が、伝送されたスケーラブル符号化データ（BL+EL）１０１１を復号し、ベースレイヤの画像を表示しても良いし、エンハンスメントレイヤの画像を表示しても良い。また、例えば、パーソナルコンピュータ１００４が、伝送されたスケーラブル符号化データ（BL+EL）１０１１から、ベースレイヤのスケーラブル符号化データ（BL）１０１２を抽出し、記憶したり、他の装置に転送したり、復号してベースレイヤの画像を表示したりするようにしてもよい。
【０３７９】
もちろん、スケーラブル符号化データ記憶部１００１、配信サーバ１００２、ネットワーク１００３、および端末装置の数はいずれも任意である。また、以上においては、配信サーバ１００２がデータを端末装置に伝送する例について説明したが、利用例はこれに限定されない。データ伝送システム１０００は、スケーラブル符号化された符号化データを端末装置に伝送する際、端末装置の能力や通信環境等に応じて、適切なレイヤを選択して伝送するシステムであれば、任意のシステムに適用することができる。
【０３８０】
そして、以上のような図４２のようなデータ伝送システム１０００においても、図１乃至図３３を参照して上述した階層符号化・階層復号への適用と同様に本技術を適用することにより、図１乃至図３３を参照して上述した効果と同様の効果を得ることができる。
【０３８１】
＜第２のシステム＞
また、スケーラブル符号化は、例えば、図４３に示される例のように、複数の通信媒体を介する伝送のために利用される。
【０３８２】
図４３に示されるデータ伝送システム１１００において、放送局１１０１は、地上波放送１１１１により、ベースレイヤのスケーラブル符号化データ（BL）１１２１を伝送する。また、放送局１１０１は、有線若しくは無線またはその両方の通信網よりなる任意のネットワーク１１１２を介して、エンハンスメントレイヤのスケーラブル符号化データ（EL）１１２２を伝送する（例えばパケット化して伝送する）。
【０３８３】
端末装置１１０２は、放送局１１０１が放送する地上波放送１１１１の受信機能を有し、この地上波放送１１１１を介して伝送されるベースレイヤのスケーラブル符号化データ（BL）１１２１を受け取る。また、端末装置１１０２は、ネットワーク１１１２を介した通信を行う通信機能をさらに有し、このネットワーク１１１２を介して伝送されるエンハンスメントレイヤのスケーラブル符号化データ（EL）１１２２を受け取る。
【０３８４】
端末装置１１０２は、例えばユーザ指示等に応じて、地上波放送１１１１を介して取得したベースレイヤのスケーラブル符号化データ（BL）１１２１を、復号してベースレイヤの画像を得たり、記憶したり、他の装置に伝送したりする。
【０３８５】
また、端末装置１１０２は、例えばユーザ指示等に応じて、地上波放送１１１１を介して取得したベースレイヤのスケーラブル符号化データ（BL）１１２１と、ネットワーク１１１２を介して取得したエンハンスメントレイヤのスケーラブル符号化データ（EL）１１２２とを合成して、スケーラブル符号化データ（BL+EL）を得たり、それを復号してエンハンスメントレイヤの画像を得たり、記憶したり、他の装置に伝送したりする。
【０３８６】
以上のように、スケーラブル符号化データは、例えばレイヤ毎に異なる通信媒体を介して伝送させることができる。したがって、負荷を分散させることができ、遅延やオーバフローの発生を抑制することができる。
【０３８７】
また、状況に応じて、伝送に使用する通信媒体を、レイヤ毎に選択することができるようにしてもよい。例えば、データ量が比較的多いベースレイヤのスケーラブル符号化データ（BL）１１２１を帯域幅の広い通信媒体を介して伝送させ、データ量が比較的少ないエンハンスメントレイヤのスケーラブル符号化データ（EL）１１２２を帯域幅の狭い通信媒体を介して伝送させるようにしてもよい。また、例えば、エンハンスメントレイヤのスケーラブル符号化データ（EL）１１２２を伝送する通信媒体を、ネットワーク１１１２とするか、地上波放送１１１１とするかを、ネットワーク１１１２の利用可能帯域幅に応じて切り替えるようにしてもよい。もちろん、任意のレイヤのデータについて同様である。
【０３８８】
このように制御することにより、データ伝送における負荷の増大を、より抑制することができる。
【０３８９】
もちろん、レイヤ数は任意であり、伝送に利用する通信媒体の数も任意である。また、データ配信先となる端末装置１１０２の数も任意である。さらに、以上においては、放送局１１０１からの放送を例に説明したが、利用例はこれに限定されない。データ伝送システム１１００は、スケーラブル符号化された符号化データを、レイヤを単位として複数に分割し、複数の回線を介して伝送するシステムであれば、任意のシステムに適用することができる。
【０３９０】
そして、以上のような図４３のようなデータ伝送システム１１００においても、図１乃至図３３を参照して上述した階層符号化・階層復号への適用と同様に本技術を適用することにより、図１乃至図３３を参照して上述した効果と同様の効果を得ることができる。
【０３９１】
＜第３のシステム＞
また、スケーラブル符号化は、例えば、図４４に示される例のように、符号化データの記憶に利用される。
【０３９２】
図４４に示される撮像システム１２００において、撮像装置１２０１は、被写体１２１１を撮像して得られた画像データをスケーラブル符号化し、スケーラブル符号化データ（BL+EL）１２２１として、スケーラブル符号化データ記憶装置１２０２に供給する。
【０３９３】
スケーラブル符号化データ記憶装置１２０２は、撮像装置１２０１から供給されるスケーラブル符号化データ（BL+EL）１２２１を、状況に応じた品質で記憶する。例えば、通常時の場合、スケーラブル符号化データ記憶装置１２０２は、スケーラブル符号化データ（BL+EL）１２２１からベースレイヤのデータを抽出し、低品質でデータ量の少ないベースレイヤのスケーラブル符号化データ（BL）１２２２として記憶する。これに対して、例えば、注目時の場合、スケーラブル符号化データ記憶装置１２０２は、高品質でデータ量の多いスケーラブル符号化データ（BL+EL）１２２１のまま記憶する。
【０３９４】
このようにすることにより、スケーラブル符号化データ記憶装置１２０２は、必要な場合のみ、画像を高画質に保存することができるので、画質劣化による画像の価値の低減を抑制しながら、データ量の増大を抑制することができ、記憶領域の利用効率を向上させることができる。
【０３９５】
例えば、撮像装置１２０１が監視カメラであるとする。撮像画像に監視対象（例えば侵入者）が写っていない場合（通常時の場合）、撮像画像の内容は重要でない可能性が高いので、データ量の低減が優先され、その画像データ（スケーラブル符号化データ）は、低品質に記憶される。これに対して、撮像画像に監視対象が被写体１２１１として写っている場合（注目時の場合）、その撮像画像の内容は重要である可能性が高いので、画質が優先され、その画像データ（スケーラブル符号化データ）は、高品質に記憶される。
【０３９６】
なお、通常時であるか注目時であるかは、例えば、スケーラブル符号化データ記憶装置１２０２が、画像を解析することにより判定しても良い。また、撮像装置１２０１が判定し、その判定結果をスケーラブル符号化データ記憶装置１２０２に伝送するようにしてもよい。
【０３９７】
なお、通常時であるか注目時であるかの判定基準は任意であり、判定基準とする画像の内容は任意である。もちろん、画像の内容以外の条件を判定基準とすることもできる。例えば、収録した音声の大きさや波形等に応じて切り替えるようにしてもよいし、所定の時間毎に切り替えるようにしてもよいし、ユーザ指示等の外部からの指示によって切り替えるようにしてもよい。
【０３９８】
また、以上においては、通常時と注目時の２つの状態を切り替える例を説明したが、状態の数は任意であり、例えば、通常時、やや注目時、注目時、非常に注目時等のように、３つ以上の状態を切り替えるようにしてもよい。ただし、この切り替える状態の上限数は、スケーラブル符号化データのレイヤ数に依存する。
【０３９９】
また、撮像装置１２０１が、スケーラブル符号化のレイヤ数を、状態に応じて決定するようにしてもよい。例えば、通常時の場合、撮像装置１２０１が、低品質でデータ量の少ないベースレイヤのスケーラブル符号化データ（BL）１２２２を生成し、スケーラブル符号化データ記憶装置１２０２に供給するようにしてもよい。また、例えば、注目時の場合、撮像装置１２０１が、高品質でデータ量の多いベースレイヤのスケーラブル符号化データ（BL+EL）１２２１を生成し、スケーラブル符号化データ記憶装置１２０２に供給するようにしてもよい。
【０４００】
以上においては、監視カメラを例に説明したが、この撮像システム１２００の用途は任意であり、監視カメラに限定されない。
【０４０１】
そして、以上の図４４のような撮像システム１２００においても、図１乃至図３３を参照して上述した階層符号化・階層復号への適用と同様に本技術を適用することにより、図１乃至図３３を参照して上述した効果と同様の効果を得ることができる。
【０４０２】
＜８．第５の実施の形態＞
＜実施のその他の例＞
以上において本技術を適用する装置やシステム等の例を説明したが、本技術は、これに限らず、このような装置またはシステムを構成する装置に搭載するあらゆる構成、例えば、システムLSI（Large Scale Integration）等としてのプロセッサ、複数のプロセッサ等を用いるモジュール、複数のモジュール等を用いるユニット、ユニットにさらにその他の機能を付加したセット等（すなわち、装置の一部の構成）として実施することもできる。
【０４０３】
＜ビデオセット＞
本技術をセットとして実施する場合の例について、図４５を参照して説明する。図４５は、本技術を適用したビデオセットの概略的な構成の一例を示している。
【０４０４】
近年、電子機器の多機能化が進んでおり、その開発や製造において、その一部の構成を販売や提供等として実施する場合、１機能を有する構成として実施を行う場合だけでなく、関連する機能を有する複数の構成を組み合わせ、複数の機能を有する１セットとして実施を行う場合も多く見られるようになってきた。
【０４０５】
図４５に示されるビデオセット１３００は、このような多機能化された構成であり、画像の符号化や復号（いずれか一方でもよいし、両方でも良い）に関する機能を有するデバイスに、その機能に関連するその他の機能を有するデバイスを組み合わせたものである。
【０４０６】
図４５に示されるように、ビデオセット１３００は、ビデオモジュール１３１１、外部メモリ１３１２、パワーマネージメントモジュール１３１３、およびフロントエンドモジュール１３１４等のモジュール群と、コネクティビティ１３２１、カメラ１３２２、およびセンサ１３２３等の関連する機能を有するデバイスとを有する。
【０４０７】
モジュールは、互いに関連するいくつかの部品的機能をまとめ、まとまりのある機能を持った部品としたものである。具体的な物理的構成は任意であるが、例えば、それぞれ機能を有する複数のプロセッサ、抵抗やコンデンサ等の電子回路素子、その他のデバイス等を配線基板等に配置して一体化したものが考えられる。また、モジュールに他のモジュールやプロセッサ等を組み合わせて新たなモジュールとすることも考えられる。
【０４０８】
図４５の例の場合、ビデオモジュール１３１１は、画像処理に関する機能を有する構成を組み合わせたものであり、アプリケーションプロセッサ、ビデオプロセッサ、ブロードバンドモデム１３３３、およびRFモジュール１３３４を有する。
【０４０９】
プロセッサは、所定の機能を有する構成をSoC（System On a Chip）により半導体チップに集積したものであり、例えばシステムLSI（Large Scale Integration）等と称されるものもある。この所定の機能を有する構成は、論理回路（ハードウエア構成）であってもよいし、CPU、ROM、RAM等と、それらを用いて実行されるプログラム（ソフトウエア構成）であってもよいし、その両方を組み合わせたものであってもよい。例えば、プロセッサが、論理回路とCPU、ROM、RAM等とを有し、機能の一部を論理回路（ハードウエア構成）により実現し、その他の機能をCPUにおいて実行されるプログラム（ソフトウエア構成）により実現するようにしてもよい。
【０４１０】
図４５のアプリケーションプロセッサ１３３１は、画像処理に関するアプリケーションを実行するプロセッサである。このアプリケーションプロセッサ１３３１において実行されるアプリケーションは、所定の機能を実現するために、演算処理を行うだけでなく、例えばビデオプロセッサ１３３２等、ビデオモジュール１３１１内外の構成を必要に応じて制御することもできる。
【０４１１】
ビデオプロセッサ１３３２は、画像の符号化・復号（その一方若しくは両方）に関する機能を有するプロセッサである。
【０４１２】
ブロードバンドモデム１３３３は、インターネットや公衆電話回線網等の広帯域の回線を介して行われる有線若しくは無線（またはその両方）の広帯域通信に関する処理を行うプロセッサ（若しくはモジュール）である。例えば、ブロードバンドモデム１３３３は、送信するデータ（デジタル信号）をデジタル変調する等してアナログ信号に変換したり、受信したアナログ信号を復調してデータ（デジタル信号）に変換したりする。例えば、ブロードバンドモデム１３３３は、ビデオプロセッサ１３３２が処理する画像データや画像データが符号化されたストリーム、アプリケーションプログラム、設定データ等、任意の情報をデジタル変調・復調することができる。
【０４１３】
RFモジュール１３３４は、アンテナを介して送受信されるRF（Radio Frequency）信号に対して、周波数変換、変復調、増幅、フィルタ処理等を行うモジュールである。例えば、RFモジュール１３３４は、ブロードバンドモデム１３３３により生成されたベースバンド信号に対して周波数変換等を行ってRF信号を生成する。また、例えば、RFモジュール１３３４は、フロントエンドモジュール１３１４を介して受信されたRF信号に対して周波数変換等を行ってベースバンド信号を生成する。
【０４１４】
なお、図４５において点線１３４１に示されるように、アプリケーションプロセッサ１３３１とビデオプロセッサ１３３２を、一体化し、１つのプロセッサとして構成されるようにしてもよい。
【０４１５】
外部メモリ１３１２は、ビデオモジュール１３１１の外部に設けられた、ビデオモジュール１３１１により利用される記憶デバイスを有するモジュールである。この外部メモリ１３１２の記憶デバイスは、どのような物理構成により実現するようにしてもよいが、一般的にフレーム単位の画像データのような大容量のデータの格納に利用されることが多いので、例えばDRAM（Dynamic Random Access Memory）のような比較的安価で大容量の半導体メモリにより実現するのが望ましい。
【０４１６】
パワーマネージメントモジュール１３１３は、ビデオモジュール１３１１（ビデオモジュール１３１１内の各構成）への電力供給を管理し、制御する。
【０４１７】
フロントエンドモジュール１３１４は、RFモジュール１３３４に対してフロントエンド機能（アンテナ側の送受信端の回路）を提供するモジュールである。図４５に示されるように、フロントエンドモジュール１３１４は、例えば、アンテナ部１３５１、フィルタ１３５２、および増幅部１３５３を有する。
【０４１８】
アンテナ部１３５１は、無線信号を送受信するアンテナおよびその周辺の構成を有する。アンテナ部１３５１は、増幅部１３５３から供給される信号を無線信号として送信し、受信した無線信号を電気信号（RF信号）としてフィルタ１３５２に供給する。フィルタ１３５２は、アンテナ部１３５１を介して受信されたRF信号に対してフィルタ処理等を行い、処理後のRF信号をRFモジュール１３３４に供給する。増幅部１３５３は、RFモジュール１３３４から供給されるRF信号を増幅し、アンテナ部１３５１に供給する。
【０４１９】
コネクティビティ１３２１は、外部との接続に関する機能を有するモジュールである。コネクティビティ１３２１の物理構成は、任意である。例えば、コネクティビティ１３２１は、ブロードバンドモデム１３３３が対応する通信規格以外の通信機能を有する構成や、外部入出力端子等を有する。
【０４２０】
例えば、コネクティビティ１３２１が、Bluetooth（登録商標）、IEEE 802.11（例えばWi-Fi（Wireless Fidelity、登録商標））、NFC（Near Field Communication）、IrDA（InfraRed Data Association）等の無線通信規格に準拠する通信機能を有するモジュールや、その規格に準拠した信号を送受信するアンテナ等を有するようにしてもよい。また、例えば、コネクティビティ１３２１が、USB（Universal Serial Bus）、HDMI（登録商標）（High-Definition Multimedia Interface）等の有線通信規格に準拠する通信機能を有するモジュールや、その規格に準拠した端子を有するようにしてもよい。さらに、例えば、コネクティビティ１３２１が、アナログ入出力端子等のその他のデータ（信号）伝送機能等を有するようにしてもよい。
【０４２１】
なお、コネクティビティ１３２１が、データ（信号）の伝送先のデバイスを含むようにしてもよい。例えば、コネクティビティ１３２１が、磁気ディスク、光ディスク、光磁気ディスク、または半導体メモリ等の記録媒体に対してデータの読み出しや書き込みを行うドライブ（リムーバブルメディアのドライブだけでなく、ハードディスク、SSD（Solid State Drive）、NAS（Network Attached Storage）等も含む）を有するようにしてもよい。また、コネクティビティ１３２１が、画像や音声の出力デバイス（モニタやスピーカ等）を有するようにしてもよい。
【０４２２】
カメラ１３２２は、被写体を撮像し、被写体の画像データを得る機能を有するモジュールである。カメラ１３２２の撮像により得られた画像データは、例えば、ビデオプロセッサ１３３２に供給されて符号化される。
【０４２３】
センサ１３２３は、例えば、音声センサ、超音波センサ、光センサ、照度センサ、赤外線センサ、イメージセンサ、回転センサ、角度センサ、角速度センサ、速度センサ、加速度センサ、傾斜センサ、磁気識別センサ、衝撃センサ、温度センサ等、任意のセンサ機能を有するモジュールである。センサ１３２３により検出されたデータは、例えば、アプリケーションプロセッサ１３３１に供給されてアプリケーション等により利用される。
【０４２４】
以上においてモジュールとして説明した構成をプロセッサとして実現するようにしてもよいし、逆にプロセッサとして説明した構成をモジュールとして実現するようにしてもよい。
【０４２５】
以上のような構成のビデオセット１３００において、後述するようにビデオプロセッサ１３３２に本技術を適用することができる。したがって、ビデオセット１３００は、本技術を適用したセットとして実施することができる。
【０４２６】
＜ビデオプロセッサの構成例＞
図４６は、本技術を適用したビデオプロセッサ１３３２（図４５）の概略的な構成の一例を示している。
【０４２７】
図４６の例の場合、ビデオプロセッサ１３３２は、ビデオ信号およびオーディオ信号の入力を受けてこれらを所定の方式で符号化する機能と、符号化されたビデオデータおよびオーディオデータを復号し、ビデオ信号およびオーディオ信号を再生出力する機能とを有する。
【０４２８】
図４６に示されるように、ビデオプロセッサ１３３２は、ビデオ入力処理部１４０１、第１画像拡大縮小部１４０２、第２画像拡大縮小部１４０３、ビデオ出力処理部１４０４、フレームメモリ１４０５、およびメモリ制御部１４０６を有する。また、ビデオプロセッサ１３３２は、エンコード・デコードエンジン１４０７、ビデオES（Elementary Stream）バッファ１４０８Ａおよび１４０８Ｂ、並びに、オーディオESバッファ１４０９Ａおよび１４０９Ｂを有する。さらに、ビデオプロセッサ１３３２は、オーディオエンコーダ１４１０、オーディオデコーダ１４１１、多重化部（MUX（Multiplexer））１４１２、逆多重化部（DMUX（Demultiplexer））１４１３、およびストリームバッファ１４１４を有する。
【０４２９】
ビデオ入力処理部１４０１は、例えばコネクティビティ１３２１（図４５）等から入力されたビデオ信号を取得し、デジタル画像データに変換する。第１画像拡大縮小部１４０２は、画像データに対してフォーマット変換や画像の拡大縮小処理等を行う。第２画像拡大縮小部１４０３は、画像データに対して、ビデオ出力処理部１４０４を介して出力する先でのフォーマットに応じて画像の拡大縮小処理を行ったり、第１画像拡大縮小部１４０２と同様のフォーマット変換や画像の拡大縮小処理等を行ったりする。ビデオ出力処理部１４０４は、画像データに対して、フォーマット変換やアナログ信号への変換等を行って、再生されたビデオ信号として例えばコネクティビティ１３２１（図４５）等に出力する。
【０４３０】
フレームメモリ１４０５は、ビデオ入力処理部１４０１、第１画像拡大縮小部１４０２、第２画像拡大縮小部１４０３、ビデオ出力処理部１４０４、およびエンコード・デコードエンジン１４０７によって共用される画像データ用のメモリである。フレームメモリ１４０５は、例えばDRAM等の半導体メモリとして実現される。
【０４３１】
メモリ制御部１４０６は、エンコード・デコードエンジン１４０７からの同期信号を受けて、アクセス管理テーブル１４０６Ａに書き込まれたフレームメモリ１４０５へのアクセススケジュールに従ってフレームメモリ１４０５に対する書き込み・読み出しのアクセスを制御する。アクセス管理テーブル１４０６Ａは、エンコード・デコードエンジン１４０７、第１画像拡大縮小部１４０２、第２画像拡大縮小部１４０３等で実行される処理に応じて、メモリ制御部１４０６により更新される。
【０４３２】
エンコード・デコードエンジン１４０７は、画像データのエンコード処理、並びに、画像データが符号化されたデータであるビデオストリームのデコード処理を行う。例えば、エンコード・デコードエンジン１４０７は、フレームメモリ１４０５から読み出した画像データを符号化し、ビデオストリームとしてビデオESバッファ１４０８Ａに順次書き込む。また、例えば、ビデオESバッファ１４０８Ｂからビデオストリームを順次読み出して復号し、画像データとしてフレームメモリ１４０５に順次書き込む。エンコード・デコードエンジン１４０７は、これらの符号化や復号において、フレームメモリ１４０５を作業領域として使用する。また、エンコード・デコードエンジン１４０７は、例えばマクロブロック毎の処理を開始するタイミングで、メモリ制御部１４０６に対して同期信号を出力する。
【０４３３】
ビデオESバッファ１４０８Ａは、エンコード・デコードエンジン１４０７によって生成されたビデオストリームをバッファリングして、多重化部（MUX）１４１２に供給する。ビデオESバッファ１４０８Ｂは、逆多重化部（DMUX）１４１３から供給されたビデオストリームをバッファリングして、エンコード・デコードエンジン１４０７に供給する。
【０４３４】
オーディオESバッファ１４０９Ａは、オーディオエンコーダ１４１０によって生成されたオーディオストリームをバッファリングして、多重化部（MUX）１４１２に供給する。オーディオESバッファ１４０９Ｂは、逆多重化部（DMUX）１４１３から供給されたオーディオストリームをバッファリングして、オーディオデコーダ１４１１に供給する。
【０４３５】
オーディオエンコーダ１４１０は、例えばコネクティビティ１３２１（図４５）等から入力されたオーディオ信号を例えばデジタル変換し、例えばMPEGオーディオ方式やAC3（AudioCode number 3）方式等の所定の方式で符号化する。オーディオエンコーダ１４１０は、オーディオ信号が符号化されたデータであるオーディオストリームをオーディオESバッファ１４０９Ａに順次書き込む。オーディオデコーダ１４１１は、オーディオESバッファ１４０９Ｂから供給されたオーディオストリームを復号し、例えばアナログ信号への変換等を行って、再生されたオーディオ信号として例えばコネクティビティ１３２１（図４５）等に供給する。
【０４３６】
多重化部（MUX）１４１２は、ビデオストリームとオーディオストリームとを多重化する。この多重化の方法（すなわち、多重化により生成されるビットストリームのフォーマット）は任意である。また、この多重化の際に、多重化部（MUX）１４１２は、所定のヘッダ情報等をビットストリームに付加することもできる。つまり、多重化部（MUX）１４１２は、多重化によりストリームのフォーマットを変換することができる。例えば、多重化部（MUX）１４１２は、ビデオストリームとオーディオストリームとを多重化することにより、転送用のフォーマットのビットストリームであるトランスポートストリームに変換する。また、例えば、多重化部（MUX）１４１２は、ビデオストリームとオーディオストリームとを多重化することにより、記録用のファイルフォーマットのデータ（ファイルデータ）に変換する。
【０４３７】
逆多重化部（DMUX）１４１３は、多重化部（MUX）１４１２による多重化に対応する方法で、ビデオストリームとオーディオストリームとが多重化されたビットストリームを逆多重化する。つまり、逆多重化部（DMUX）１４１３は、ストリームバッファ１４１４から読み出されたビットストリームからビデオストリームとオーディオストリームとを抽出する（ビデオストリームとオーディオストリームとを分離する）。つまり、逆多重化部（DMUX）１４１３は、逆多重化によりストリームのフォーマットを変換（多重化部（MUX）１４１２による変換の逆変換）することができる。例えば、逆多重化部（DMUX）１４１３は、例えばコネクティビティ１３２１やブロードバンドモデム１３３３等（いずれも図４５）から供給されたトランスポートストリームを、ストリームバッファ１４１４を介して取得し、逆多重化することにより、ビデオストリームとオーディオストリームとに変換することができる。また、例えば、逆多重化部（DMUX）１４１３は、例えばコネクティビティ１３２１により（図４５）各種記録媒体から読み出されたファイルデータを、ストリームバッファ１４１４を介して取得し、逆多重化することにより、ビデオストリームとオーディオストリームとに変換することができる。
【０４３８】
ストリームバッファ１４１４は、ビットストリームをバッファリングする。例えば、ストリームバッファ１４１４は、多重化部（MUX）１４１２から供給されたトランスポートストリームをバッファリングし、所定のタイミングにおいて、若しくは外部からの要求等に基づいて、例えばコネクティビティ１３２１やブロードバンドモデム１３３３（いずれも図４５）等に供給する。
【０４３９】
また、例えば、ストリームバッファ１４１４は、多重化部（MUX）１４１２から供給されたファイルデータをバッファリングし、所定のタイミングにおいて、若しくは外部からの要求等に基づいて、例えばコネクティビティ１３２１（図４５）等に供給し、各種記録媒体に記録させる。
【０４４０】
さらに、ストリームバッファ１４１４は、例えばコネクティビティ１３２１やブロードバンドモデム１３３３等（いずれも図４５）を介して取得したトランスポートストリームをバッファリングし、所定のタイミングにおいて、若しくは外部からの要求等に基づいて、逆多重化部（DMUX）１４１３に供給する。
【０４４１】
また、ストリームバッファ１４１４は、例えばコネクティビティ１３２１（図４５）等において各種記録媒体から読み出されたファイルデータをバッファリングし、所定のタイミングにおいて、若しくは外部からの要求等に基づいて、逆多重化部（DMUX）１４１３に供給する。
【０４４２】
次に、このような構成のビデオプロセッサ１３３２の動作の例について説明する。例えば、コネクティビティ１３２１（図４５）等からビデオプロセッサ１３３２に入力されたビデオ信号は、ビデオ入力処理部１４０１において４：２：２Ｙ／Ｃｂ／Ｃｒ方式等の所定の方式のデジタル画像データに変換され、フレームメモリ１４０５に順次書き込まれる。このデジタル画像データは、第１画像拡大縮小部１４０２または第２画像拡大縮小部１４０３に読み出されて、４：２：０Ｙ／Ｃｂ／Ｃｒ方式等の所定の方式へのフォーマット変換および拡大縮小処理が行われ、再びフレームメモリ１４０５に書き込まれる。この画像データは、エンコード・デコードエンジン１４０７によって符号化され、ビデオストリームとしてビデオESバッファ１４０８Ａに書き込まれる。
【０４４３】
また、コネクティビティ１３２１（図４５）等からビデオプロセッサ１３３２に入力されたオーディオ信号は、オーディオエンコーダ１４１０によって符号化され、オーディオストリームとして、オーディオESバッファ１４０９Ａに書き込まれる。
【０４４４】
ビデオESバッファ１４０８Ａのビデオストリームと、オーディオESバッファ１４０９Ａのオーディオストリームは、多重化部（MUX）１４１２に読み出されて多重化され、トランスポートストリーム若しくはファイルデータ等に変換される。多重化部（MUX）１４１２により生成されたトランスポートストリームは、ストリームバッファ１４１４にバッファされた後、例えばコネクティビティ１３２１やブロードバンドモデム１３３３（いずれも図４５）等を介して外部ネットワークに出力される。また、多重化部（MUX）１４１２により生成されたファイルデータは、ストリームバッファ１４１４にバッファされた後、例えばコネクティビティ１３２１（図４５）等に出力され、各種記録媒体に記録される。
【０４４５】
また、例えばコネクティビティ１３２１やブロードバンドモデム１３３３（いずれも図４５）等を介して外部ネットワークからビデオプロセッサ１３３２に入力されたトランスポートストリームは、ストリームバッファ１４１４にバッファされた後、逆多重化部（DMUX）１４１３により逆多重化される。また、例えばコネクティビティ１３２１（図４５）等において各種記録媒体から読み出され、ビデオプロセッサ１３３２に入力されたファイルデータは、ストリームバッファ１４１４にバッファされた後、逆多重化部（DMUX）１４１３により逆多重化される。つまり、ビデオプロセッサ１３３２に入力されたトランスポートストリームまたはファイルデータは、逆多重化部（DMUX）１４１３によりビデオストリームとオーディオストリームとに分離される。
【０４４６】
オーディオストリームは、オーディオESバッファ１４０９Ｂを介してオーディオデコーダ１４１１に供給され、復号されてオーディオ信号が再生される。また、ビデオストリームは、ビデオESバッファ１４０８Ｂに書き込まれた後、エンコード・デコードエンジン１４０７により順次読み出されて復号されてフレームメモリ１４０５に書き込まれる。復号された画像データは、第２画像拡大縮小部１４０３によって拡大縮小処理されて、フレームメモリ１４０５に書き込まれる。そして、復号された画像データは、ビデオ出力処理部１４０４に読み出されて、４：２：２Ｙ／Ｃｂ／Ｃｒ方式等の所定の方式にフォーマット変換され、さらにアナログ信号に変換されて、ビデオ信号が再生出力される。
【０４４７】
このように構成されるビデオプロセッサ１３３２に本技術を適用する場合、エンコード・デコードエンジン１４０７に、上述した各実施形態に係る本技術を適用すればよい。つまり、例えば、エンコード・デコードエンジン１４０７が、上述した実施の形態に係る画像符号化装置１００（図１８）や画像復号装置２００（図２６）の機能を有するようにすればよい。このようにすることにより、ビデオプロセッサ１３３２は、図１乃至図３３を参照して上述した効果と同様の効果を得ることができる。
【０４４８】
なお、エンコード・デコードエンジン１４０７において、本技術（すなわち、上述した各実施形態に係る画像符号化装置や画像復号装置の機能）は、論理回路等のハードウエアにより実現するようにしてもよいし、組み込みプログラム等のソフトウエアにより実現するようにしてもよいし、それらの両方により実現するようにしてもよい。
【０４４９】
＜ビデオプロセッサの他の構成例＞
図４７は、本技術を適用したビデオプロセッサ１３３２（図４５）の概略的な構成の他の例を示している。図４７の例の場合、ビデオプロセッサ１３３２は、ビデオデータを所定の方式で符号化・復号する機能とを有する。
【０４５０】
より具体的には、図４７に示されるように、ビデオプロセッサ１３３２は、制御部１５１１、ディスプレイインタフェース１５１２、ディスプレイエンジン１５１３、画像処理エンジン１５１４、および内部メモリ１５１５を有する。また、ビデオプロセッサ１３３２は、コーデックエンジン１５１６、メモリインタフェース１５１７、多重化・逆多重化部（MUX DMUX）１５１８、ネットワークインタフェース１５１９、およびビデオインタフェース１５２０を有する。
【０４５１】
制御部１５１１は、ディスプレイインタフェース１５１２、ディスプレイエンジン１５１３、画像処理エンジン１５１４、およびコーデックエンジン１５１６等、ビデオプロセッサ１３３２内の各処理部の動作を制御する。
【０４５２】
図４７に示されるように、制御部１５１１は、例えば、メインCPU１５３１、サブCPU１５３２、およびシステムコントローラ１５３３を有する。メインCPU１５３１は、ビデオプロセッサ１３３２内の各処理部の動作を制御するためのプログラム等を実行する。メインCPU１５３１は、そのプログラム等に従って制御信号を生成し、各処理部に供給する（つまり、各処理部の動作を制御する）。サブCPU１５３２は、メインCPU１５３１の補助的な役割を果たす。例えば、サブCPU１５３２は、メインCPU１５３１が実行するプログラム等の子プロセスやサブルーチン等を実行する。システムコントローラ１５３３は、メインCPU１５３１およびサブCPU１５３２が実行するプログラムを指定する等、メインCPU１５３１およびサブCPU１５３２の動作を制御する。
【０４５３】
ディスプレイインタフェース１５１２は、制御部１５１１の制御の下、画像データを例えばコネクティビティ１３２１（図４５）等に出力する。例えば、ディスプレイインタフェース１５１２は、デジタルデータの画像データをアナログ信号に変換し、再生されたビデオ信号として、またはデジタルデータの画像データのまま、コネクティビティ１３２１（図４５）のモニタ装置等に出力する。
【０４５４】
ディスプレイエンジン１５１３は、制御部１５１１の制御の下、画像データに対して、その画像を表示させるモニタ装置等のハードウエアスペックに合わせるように、フォーマット変換、サイズ変換、色域変換等の各種変換処理を行う。
【０４５５】
画像処理エンジン１５１４は、制御部１５１１の制御の下、画像データに対して、例えば画質改善のためのフィルタ処理等、所定の画像処理を施す。
【０４５６】
内部メモリ１５１５は、ディスプレイエンジン１５１３、画像処理エンジン１５１４、およびコーデックエンジン１５１６により共用される、ビデオプロセッサ１３３２の内部に設けられたメモリである。内部メモリ１５１５は、例えば、ディスプレイエンジン１５１３、画像処理エンジン１５１４、およびコーデックエンジン１５１６の間で行われるデータの授受に利用される。例えば、内部メモリ１５１５は、ディスプレイエンジン１５１３、画像処理エンジン１５１４、またはコーデックエンジン１５１６から供給されるデータを格納し、必要に応じて（例えば、要求に応じて）、そのデータを、ディスプレイエンジン１５１３、画像処理エンジン１５１４、またはコーデックエンジン１５１６に供給する。この内部メモリ１５１５は、どのような記憶デバイスにより実現するようにしてもよいが、一般的にブロック単位の画像データやパラメータ等といった小容量のデータの格納に利用することが多いので、例えばSRAM（Static Random Access Memory）のような比較的（例えば外部メモリ１３１２と比較して）小容量だが応答速度が高速な半導体メモリにより実現するのが望ましい。
【０４５７】
コーデックエンジン１５１６は、画像データの符号化や復号に関する処理を行う。このコーデックエンジン１５１６が対応する符号化・復号の方式は任意であり、その数は１つであってもよいし、複数であってもよい。例えば、コーデックエンジン１５１６は、複数の符号化・復号方式のコーデック機能を備え、その中から選択されたもので画像データの符号化若しくは符号化データの復号を行うようにしてもよい。
【０４５８】
図４７に示される例において、コーデックエンジン１５１６は、コーデックに関する処理の機能ブロックとして、例えば、MPEG-2 Video１５４１、AVC/H.264１５４２、HEVC/H.265１５４３、HEVC/H.265(Scalable)１５４４、HEVC/H.265(Multi-view)１５４５、およびMPEG-DASH１５５１を有する。
【０４５９】
MPEG-2 Video１５４１は、画像データをMPEG-2方式で符号化したり復号したりする機能ブロックである。AVC/H.264１５４２は、画像データをAVC方式で符号化したり復号したりする機能ブロックである。HEVC/H.265１５４３は、画像データをHEVC方式で符号化したり復号したりする機能ブロックである。HEVC/H.265(Scalable)１５４４は、画像データをHEVC方式でスケーラブル符号化したりスケーラブル復号したりする機能ブロックである。HEVC/H.265(Multi-view)１５４５は、画像データをHEVC方式で多視点符号化したり多視点復号したりする機能ブロックである。
【０４６０】
MPEG-DASH１５５１は、画像データをMPEG-DASH（MPEG-Dynamic Adaptive Streaming over HTTP）方式で送受信する機能ブロックである。MPEG-DASHは、HTTP（HyperText Transfer Protocol）を使ってビデオのストリーミングを行う技術であり、予め用意された解像度等が互いに異なる複数の符号化データの中から適切なものをセグメント単位で選択し伝送することを特徴の１つとする。MPEG-DASH１５５１は、規格に準拠するストリームの生成やそのストリームの伝送制御等を行い、画像データの符号化・復号については、上述したMPEG-2 Video１５４１乃至HEVC/H.265(Multi-view)１５４５を利用する。
【０４６１】
メモリインタフェース１５１７は、外部メモリ１３１２用のインタフェースである。画像処理エンジン１５１４やコーデックエンジン１５１６から供給されるデータは、メモリインタフェース１５１７を介して外部メモリ１３１２に供給される。また、外部メモリ１３１２から読み出されたデータは、メモリインタフェース１５１７を介してビデオプロセッサ１３３２（画像処理エンジン１５１４若しくはコーデックエンジン１５１６）に供給される。
【０４６２】
多重化・逆多重化部（MUX DMUX）１５１８は、符号化データのビットストリーム、画像データ、ビデオ信号等、画像に関する各種データの多重化や逆多重化を行う。この多重化・逆多重化の方法は任意である。例えば、多重化の際に、多重化・逆多重化部（MUX DMUX）１５１８は、複数のデータを１つにまとめるだけでなく、所定のヘッダ情報等をそのデータに付加することもできる。また、逆多重化の際に、多重化・逆多重化部（MUX DMUX）１５１８は、１つのデータを複数に分割するだけでなく、分割した各データに所定のヘッダ情報等を付加することもできる。つまり、多重化・逆多重化部（MUX DMUX）１５１８は、多重化・逆多重化によりデータのフォーマットを変換することができる。例えば、多重化・逆多重化部（MUX DMUX）１５１８は、ビットストリームを多重化することにより、転送用のフォーマットのビットストリームであるトランスポートストリームや、記録用のファイルフォーマットのデータ（ファイルデータ）に変換することができる。もちろん、逆多重化によりその逆変換も可能である。
【０４６３】
ネットワークインタフェース１５１９は、例えばブロードバンドモデム１３３３やコネクティビティ１３２１（いずれも図４５）等向けのインタフェースである。ビデオインタフェース１５２０は、例えばコネクティビティ１３２１やカメラ１３２２（いずれも図４５）等向けのインタフェースである。
【０４６４】
次に、このようなビデオプロセッサ１３３２の動作の例について説明する。例えば、コネクティビティ１３２１やブロードバンドモデム１３３３（いずれも図４５）等を介して外部ネットワークからトランスポートストリームを受信すると、そのトランスポートストリームは、ネットワークインタフェース１５１９を介して多重化・逆多重化部（MUX DMUX）１５１８に供給されて逆多重化され、コーデックエンジン１５１６により復号される。コーデックエンジン１５１６の復号により得られた画像データは、例えば、画像処理エンジン１５１４により所定の画像処理が施され、ディスプレイエンジン１５１３により所定の変換が行われ、ディスプレイインタフェース１５１２を介して例えばコネクティビティ１３２１（図４５）等に供給され、その画像がモニタに表示される。また、例えば、コーデックエンジン１５１６の復号により得られた画像データは、コーデックエンジン１５１６により再符号化され、多重化・逆多重化部（MUX DMUX）１５１８により多重化されてファイルデータに変換され、ビデオインタフェース１５２０を介して例えばコネクティビティ１３２１（図４５）等に出力され、各種記録媒体に記録される。
【０４６５】
さらに、例えば、コネクティビティ１３２１（図４５）等により図示せぬ記録媒体から読み出された、画像データが符号化された符号化データのファイルデータは、ビデオインタフェース１５２０を介して多重化・逆多重化部（MUX DMUX）１５１８に供給されて逆多重化され、コーデックエンジン１５１６により復号される。コーデックエンジン１５１６の復号により得られた画像データは、画像処理エンジン１５１４により所定の画像処理が施され、ディスプレイエンジン１５１３により所定の変換が行われ、ディスプレイインタフェース１５１２を介して例えばコネクティビティ１３２１（図４５）等に供給され、その画像がモニタに表示される。また、例えば、コーデックエンジン１５１６の復号により得られた画像データは、コーデックエンジン１５１６により再符号化され、多重化・逆多重化部（MUX DMUX）１５１８により多重化されてトランスポートストリームに変換され、ネットワークインタフェース１５１９を介して例えばコネクティビティ１３２１やブロードバンドモデム１３３３（いずれも図４５）等に供給され図示せぬ他の装置に伝送される。
【０４６６】
なお、ビデオプロセッサ１３３２内の各処理部の間での画像データやその他のデータの授受は、例えば、内部メモリ１５１５や外部メモリ１３１２を利用して行われる。また、パワーマネージメントモジュール１３１３は、例えば制御部１５１１への電力供給を制御する。
【０４６７】
このように構成されるビデオプロセッサ１３３２に本技術を適用する場合、コーデックエンジン１５１６に、上述した各実施形態に係る本技術を適用すればよい。つまり、例えば、コーデックエンジン１５１６が、上述した実施の形態に係る画像符号化装置１００（図１８）や画像復号装置２００（図２６）を実現する機能ブロックを有するようにすればよい。このようにすることにより、ビデオプロセッサ１３３２は、図１乃至図３３を参照して上述した効果と同様の効果を得ることができる。
【０４６８】
なお、コーデックエンジン１５１６において、本技術（すなわち、上述した各実施形態に係る画像符号化装置や画像復号装置の機能）は、論理回路等のハードウエアにより実現するようにしてもよいし、組み込みプログラム等のソフトウエアにより実現するようにしてもよいし、それらの両方により実現するようにしてもよい。
【０４６９】
以上にビデオプロセッサ１３３２の構成を２例示したが、ビデオプロセッサ１３３２の構成は任意であり、上述した２例以外のものであってもよい。また、このビデオプロセッサ１３３２は、１つの半導体チップとして構成されるようにしてもよいが、複数の半導体チップとして構成されるようにしてもよい。例えば、複数の半導体を積層する３次元積層LSIとしてもよい。また、複数のLSIにより実現されるようにしてもよい。
【０４７０】
＜装置への適用例＞
ビデオセット１３００は、画像データを処理する各種装置に組み込むことができる。例えば、ビデオセット１３００は、テレビジョン装置９００（図３８）、携帯電話機９２０（図３９）、記録再生装置９４０（図４０）、撮像装置９６０（図４１）等に組み込むことができる。ビデオセット１３００を組み込むことにより、その装置は、図１乃至図３３を参照して上述した効果と同様の効果を得ることができる。
【０４７１】
また、ビデオセット１３００は、例えば、図４２のデータ伝送システム１０００におけるパーソナルコンピュータ１００４、AV機器１００５、タブレットデバイス１００６、および携帯電話機１００７等の端末装置、図４３のデータ伝送システム１１００における放送局１１０１および端末装置１１０２、並びに、図４４の撮像システム１２００における撮像装置１２０１およびスケーラブル符号化データ記憶装置１２０２等にも組み込むことができる。ビデオセット１３００を組み込むことにより、その装置は、図１乃至図３３を参照して上述した効果と同様の効果を得ることができる。さらに、図４８のコンテンツ再生システムや、図５４の無線通信システムにおける各装置にも組み込むことができる。
【０４７２】
なお、上述したビデオセット１３００の各構成の一部であっても、ビデオプロセッサ１３３２を含むものであれば、本技術を適用した構成として実施することができる。例えば、ビデオプロセッサ１３３２のみを本技術を適用したビデオプロセッサとして実施することができる。また、例えば、上述したように点線１３４１により示されるプロセッサやビデオモジュール１３１１等を、本技術を適用したプロセッサやモジュール等として実施することができる。さらに、例えば、ビデオモジュール１３１１、外部メモリ１３１２、パワーマネージメントモジュール１３１３、およびフロントエンドモジュール１３１４を組み合わせ、本技術を適用したビデオユニット１３６１として実施することもできる。いずれの構成の場合であっても、図１乃至図３３を参照して上述した効果と同様の効果を得ることができる。
【０４７３】
つまり、ビデオプロセッサ１３３２を含むものであればどのような構成であっても、ビデオセット１３００の場合と同様に、画像データを処理する各種装置に組み込むことができる。例えば、ビデオプロセッサ１３３２、点線１３４１により示されるプロセッサ、ビデオモジュール１３１１、または、ビデオユニット１３６１を、テレビジョン装置９００（図３８）、携帯電話機９２０（図３９）、記録再生装置９４０（図４０）、撮像装置９６０（図４１）、図４２のデータ伝送システム１０００におけるパーソナルコンピュータ１００４、AV機器１００５、タブレットデバイス１００６、および携帯電話機１００７等の端末装置、図４３のデータ伝送システム１１００における放送局１１０１および端末装置１１０２、並びに、図４４の撮像システム１２００における撮像装置１２０１およびスケーラブル符号化データ記憶装置１２０２等に組み込むことができる。さらに、図４８のコンテンツ再生システムや、図５４の無線通信システムにおける各装置にも組み込むことができる。そして、本技術を適用したいずれかの構成を組み込むことにより、その装置は、ビデオセット１３００の場合と同様に、図１乃至図３３を参照して上述した効果と同様の効果を得ることができる。
【０４７４】
なお、本技術は、予め用意された解像度等が互いに異なる複数の符号化データの中から適切なものをセグメント単位で選択して使用する、例えば、後述するMPEG DASH等のようなHTTPストリーミングのコンテンツ再生システムやWi-Fi規格の無線通信システムにも適用することができる。
【０４７５】
＜９．MPEG-DASHの応用例＞
＜コンテンツ再生システムの概要＞
まず、図４８乃至図５０を参照し、本技術を適用可能なコンテンツ再生システムについて概略的に説明する。
【０４７６】
以下では、まず、このような各実施形態において共通する基本構成について図４８および図４９を参照して説明する。
【０４７７】
図４８は、コンテンツ再生システムの構成を示した説明図である。図４８に示したように、コンテンツ再生システムは、コンテンツサーバ１６１０、１６１１と、ネットワーク１６１２と、コンテンツ再生装置１６２０（クライアント装置）と、を備える。
【０４７８】
コンテンツサーバ１６１０、１６１１とコンテンツ再生装置１６２０は、ネットワーク１６１２を介して接続されている。このネットワーク１６１２は、ネットワーク１６１２に接続されている装置から送信される情報の有線、または無線の伝送路である。
【０４７９】
例えば、ネットワーク１６１２は、インターネット、電話回線網、衛星通信網などの公衆回線網や、Ethernet（登録商標）を含む各種のLAN（Local Area Network）、WAN（Wide Area Network）などを含んでもよい。また、ネットワーク１６１２は、IP-VPN（Internet Protocol-Virtual Private Network）などの専用回線網を含んでもよい。
【０４８０】
コンテンツサーバ１６１０は、コンテンツデータを符号化し、符号化データおよび符号化データのメタ情報を含むデータファイルを生成して記憶する。なお、コンテンツサーバ１６１０がMP4形式のデータファイルを生成する場合、符号化データは「mdat」に該当し、メタ情報は「moov」に該当する。
【０４８１】
また、コンテンツデータは、音楽、講演およびラジオ番組などの音楽データや、映画、テレビジョン番組、ビデオプログラム、写真、文書、絵画および図表などの映像データや、ゲームおよびソフトウエアなどであってもよい。
【０４８２】
ここで、コンテンツサーバ１６１０は、同一コンテンツに関し、異なるビットレートで複数のデータファイルを生成する。またコンテンツサーバ１６１１は、コンテンツ再生装置１６２０からのコンテンツの再生要求に対して、コンテンツサーバ１６１０のURLの情報に、コンテンツ再生装置１６２０で当該URLに付加させるパラメータの情報を含めてコンテンツ再生装置１６２０に送信する。以下、図４９を参照して当該事項について具体的に説明する。
【０４８３】
図４９は、図４８のコンテンツ再生システムにおけるデータの流れを示した説明図である。コンテンツサーバ１６１０は、同一のコンテンツデータを異なるビットレートで符号化し、図４９に示したように例えば２MbpsのファイルＡ、１．５MbpsのファイルＢ、１MbpsのファイルＣを生成する。相対的に、ファイルＡはハイビットレートであり、ファイルＢは標準ビットレートであり、ファイルＣはロービットレートである。
【０４８４】
また、図４９に示したように、各ファイルの符号化データは複数のセグメントに区分されている。例えば、ファイルＡの符号化データは「Ａ１」、「Ａ２」、「Ａ３」、・・・「Ａｎ」というセグメントに区分されており、ファイルＢの符号化データは「Ｂ１」、「Ｂ２」、「Ｂ３」、・・・「Ｂｎ」というセグメントに区分されており、ファイルＣの符号化データは「Ｃ１」、「Ｃ２」、「Ｃ３」、・・・「Ｃｎ」というセグメントに区分されている。
【０４８５】
なお、各セグメントはMP4のシンクサンプル（たとえば、AVC/H．264の映像符号化ではIDR−ピクチャ）で始まる単独で再生可能な１または２以上の映像符号化データおよび音声符号化データより構成サンプルで構成されてもよい。例えば、一秒３０フレームのビデオデータが１５フレーム固定長のGOP（Group of Picture）にて符号化されていた場合、各セグメントは、４GOPに相当する２秒分の映像ならびに音声符号化データであっても、２０GOPに相当する１０秒分の映像ならびに音声符号化データであってもよい。
【０４８６】
また、各ファイルにおける配置順番が同一のセグメントによる再生範囲（コンテンツの先頭からの時間位置の範囲）は同一である。例えば、セグメント「Ａ２」、セグメント「Ｂ２」、およびセグメント「Ｃ２」の再生範囲は同一であり、各セグメントが２秒分の符号化データである場合、セグメント「Ａ２」、セグメント「Ｂ２」、およびセグメント「Ｃ２」の再生範囲は、いずれもコンテンツの２秒乃至４秒である。
【０４８７】
コンテンツサーバ１６１０は、このような複数のセグメントから構成されるファイルＡ乃至ファイルＣを生成すると、ファイルＡ乃至ファイルＣを記憶する。そして、コンテンツサーバ１６１０は、図４９に示したように、異なるファイルを構成するセグメントをコンテンツ再生装置１６２０に順次に送信し、コンテンツ再生装置１６２０は、受信したセグメントをストリーミング再生する。
【０４８８】
ここで、本実施形態によるコンテンツサーバ１６１０は、各符号化データのビットレート情報およびアクセス情報を含むプレイリストファイル（以下、MPD：Media Presentation Description）をコンテンツ再生装置１６２０に送信し、コンテンツ再生装置１６２０は、MPDに基づき、複数のビットレートのうちのいずれかのビットレートを選択し、選択したビットレートに対応するセグメントの送信をコンテンツサーバ１６１０に要求する。
【０４８９】
図４８では、１つのコンテンツサーバ１６１０のみが図示されているが、本開示は係る例に限定されないことは言うまでもない。
【０４９０】
図５０は、MPDの具体例を示した説明図である。図５０に示したように、MPDには、異なるビットレート（BANDWIDTH）を有する複数の符号化データに関するアクセス情報が含まれる。例えば、図５０に示したMPDは、２５６Kbps、１．０２４Mbps、１．３８４Mbps、１．５３６Mbps、２．０４８Mbpsの各々の符号化データが存在することを示す共に、各符号化データに関するアクセス情報を含む。コンテンツ再生装置１６２０は、かかるMPDに基づき、ストリーミング再生する符号化データのビットレートを動的に変更することが可能である。
【０４９１】
なお、図４８にはコンテンツ再生装置１６２０の一例として携帯端末を示しているが、コンテンツ再生装置１６２０はかかる例に限定されない。例えば、コンテンツ再生装置１６２０は、PC（Personal Computer）、家庭用映像処理装置（DVDレコーダ、ビデオデッキなど）、PDA（Personal Digital Assistants）、家庭用ゲーム機器、家電機器などの情報処理装置であってもよい。また、コンテンツ再生装置１６２０は、携帯電話、PHS（Personal Handyphone System）、携帯用音楽再生装置、携帯用映像処理装置、携帯用ゲーム機器などの情報処理装置であってもよい。
【０４９２】
＜コンテンツサーバ１６１０の構成＞
以上、図４８乃至図５０を参照し、コンテンツ再生システムの概要を説明した。続いて、図５１を参照し、コンテンツサーバ１６１０の構成を説明する。
【０４９３】
図５１は、コンテンツサーバ１６１０の構成を示した機能ブロック図である。図５１に示したように、コンテンツサーバ１６１０は、ファイル生成部１６３１と、記憶部１６３２と、通信部１６３３と、を備える。
【０４９４】
ファイル生成部１６３１は、コンテンツデータを符号化するエンコーダ１６４１を備え、同一のコンテンツでビットレートが異なる複数の符号化データ、および上述したMPDを生成する。例えば、ファイル生成部１６３１は、２５６Kbps、１．０２４Mbps、１．３８４Mbps、１．５３６Mbps、２．０４８Mbpsの各々の符号化データを生成した場合、図５０に示したようなMPDを生成する。
【０４９５】
記憶部１６３２は、ファイル生成部１６３１により生成されたビットレートが異なる複数の符号化データおよびMPDを記憶する。この記憶部１６３２は、不揮発性メモリ、磁気ディスク、光ディスク、およびMO（Magneto  Optical）ディスクなどの記憶媒体であってもよい。不揮発性メモリとしては、例えば、EEPROM（Electrically Erasable Programmable Read-Only Memory）、EPROM（Erasable Programmable ROM）があげられる。また、磁気ディスクとしては、ハードディスクおよび円盤型磁性体ディスクなどがあげられる。また、光ディスクとしては、CD（Compact Disc、DVD-R（Digital Versatile Disc Recordable）およびBD（Blu-Ray Disc（登録商標））などがあげられる。
【０４９６】
通信部１６３３は、コンテンツ再生装置１６２０とのインタフェースであって、ネットワーク１６１２を介してコンテンツ再生装置１６２０と通信する。より詳細には、通信部１６３３は、HTTPに従ってコンテンツ再生装置１６２０と通信するHTTPサーバとしての機能を有する。例えば、通信部１６３３は、MPDをコンテンツ再生装置１６２０に送信し、HTTPに従ってコンテンツ再生装置１６２０からMPDに基づいて要求された符号化データを記憶部１６３２から抽出し、HTTPレスポンスとしてコンテンツ再生装置１６２０に符号化データを送信する。
【０４９７】
＜コンテンツ再生装置１６２０の構成＞
以上、本実施形態によるコンテンツサーバ１６１０の構成を説明した。続いて、図５２を参照し、コンテンツ再生装置１６２０の構成を説明する。
【０４９８】
図５２は、コンテンツ再生装置１６２０の構成を示した機能ブロック図である。図５２に示したように、コンテンツ再生装置１６２０は、通信部１６５１と、記憶部１６５２と、再生部１６５３と、選択部１６５４と、現在地取得部１６５６と、を備える。
【０４９９】
通信部１６５１は、コンテンツサーバ１６１０とのインタフェースであって、コンテンツサーバ１６１０に対してデータを要求し、コンテンツサーバ１６１０からデータを取得する。より詳細には、通信部１６５１は、HTTPに従ってコンテンツ再生装置１６２０と通信するHTTPクライアントとしての機能を有する。例えば、通信部１６５１は、HTTP Rangeを利用することにより、コンテンツサーバ１６１０からMPDや符号化データのセグメントを選択的に取得することができる。
【０５００】
記憶部１６５２は、コンテンツの再生に関する種々の情報を記憶する。例えば、通信部１６５１によりコンテンツサーバ１６１０から取得されるセグメントを順次にバッファリングする。記憶部１６５２にバッファリングされた符号化データのセグメントは、FIFO（First In First Out）で再生部１６５３へ順次に供給される。
【０５０１】
また記憶部１６５２は、後述のコンテンツサーバ１６１１から要求された、MPDに記述されているコンテンツのURLへのパラメータの付加指示に基づき、通信部１６５１でURLにパラメータを付加して、そのURLへアクセスするための定義を記憶する。
【０５０２】
再生部１６５３は、記憶部１６５２から供給されるセグメントを順次に再生する。具体的には、再生部１６５３は、セグメントのデコード、DA変換、およびレンダリングなどを行う。
【０５０３】
選択部１６５４は、MPDに含まれるいずれのビットレートに対応する符号化データのセグメントを取得するかを同一コンテンツ内で順次に選択する。例えば、選択部１６５４がネットワーク１６１２の帯域に応じてセグメント「Ａ１」、「Ｂ２」、「Ａ３」を順次に選択すると、図４９に示したように、通信部１６５１がコンテンツサーバ１６１０からセグメント「Ａ１」、「Ｂ２」、「Ａ３」を順次に取得する。
【０５０４】
現在地取得部１６５６は、コンテンツ再生装置１６２０の現在の位置を取得するものであり、例えばGPS（Global Positioning System）受信機などの現在地を取得するモジュールで構成されていても良い。また現在地取得部１６５６は、無線ネットワークを使用してコンテンツ再生装置１６２０の現在の位置を取得するものであってもよい。
【０５０５】
＜コンテンツサーバ１６１１の構成＞
図５３は、コンテンツサーバ１６１１の構成例を示す説明図である。図５３に示したように、コンテンツサーバ１６１１は、記憶部１６７１と、通信部１６７２と、を備える。
【０５０６】
記憶部１６７１は、MPDのURLの情報を記憶する。MPDのURLの情報は、コンテンツの再生を要求するコンテンツ再生装置１６２０からの求めに応じ、コンテンツサーバ１６１１からコンテンツ再生装置１６２０へ送信される。また記憶部１６７１は、コンテンツ再生装置１６２０へのMPDのURLの情報を提供する際に、当該MPDに記述されているURLにコンテンツ再生装置１６２０でパラメータを付加させる際の定義情報を記憶する。
【０５０７】
通信部１６７２は、コンテンツ再生装置１６２０とのインタフェースであって、ネットワーク１６１２を介してコンテンツ再生装置１６２０と通信する。すなわち通信部１６７２は、コンテンツの再生を要求するコンテンツ再生装置１６２０から、MPDのURLの情報の要求を受信し、コンテンツ再生装置１６２０へMPDのURLの情報を送信する。通信部１６７２から送信されるMPDのURLには、コンテンツ再生装置１６２０でパラメータを付加させるための情報が含まれる。
【０５０８】
コンテンツ再生装置１６２０でMPDのURLに付加させるパラメータについては、コンテンツサーバ１６１１およびコンテンツ再生装置１６２０で共有する定義情報で様々に設定することが出来る。一例を挙げれば、コンテンツ再生装置１６２０の現在位置、コンテンツ再生装置１６２０を使用するユーザのユーザID、コンテンツ再生装置１６２０のメモリサイズ、コンテンツ再生装置１６２０のストレージの容量などの情報を、コンテンツ再生装置１６２０でMPDのURLに付加させることが出来る。
【０５０９】
以上のような構成のコンテンツ再生システムにおいて、図１乃至図３３を参照して上述したような本技術を適用することにより、図１乃至図３３を参照して上述した効果と同様の効果を得ることができる。
【０５１０】
すなわち、コンテンツサーバ１６１０のエンコーダ１６４１が、上述した実施形態に係る画像符号化装置１００（図１８）の機能を有するようにする。また、コンテンツ再生装置１６２０の再生部１６５３が、上述した実施形態に係る画像復号装置２００（図２６）の機能を有するようにする。それにより、画像の符号化および復号に際して、負荷の増大を抑制することができる。
【０５１１】
また、コンテンツ再生システムにおいて、本技術により符号化されたデータを送受信することにより、符号化効率の低減を抑制することができる。
【０５１２】
＜１０．Wi-Fi規格の無線通信システムの応用例＞
＜無線通信装置の基本動作例＞
本技術を適用可能な無線通信システムにおける無線通信装置の基本動作例について説明する。
【０５１３】
最初に、P2P（Peer to Peer）接続を確立して特定のアプリケーションを動作させるまでの無線パケット送受信がなされる。
【０５１４】
次に、第２層で接続する前に、使用する特定のアプリケーションを指定してからP2P接続を確立して特定のアプリケーションを動作させるまでの無線パケット送受信がなされる。その後、第２層での接続後に、特定のアプリケーションを起動する場合の無線パケット送受信がなされる。
【０５１５】
＜特定のアプリケーション動作開始時における通信例＞
図５４および図５５は、上述したP2P（Peer to Peer）接続を確立して特定のアプリケーションを動作させるまでの無線パケット送受信の例であり、無線通信の基礎となる各装置による通信処理例を示すシーケンスチャートである。具体的には、Wi-Fi Allianceにおいて標準化されているWi-Fiダイレクト（Direct）規格（Wi-Fi P2Pと呼ばれることもある）での接続に至るダイレクト接続の確立手順の一例を示す。
【０５１６】
ここで、Wi-Fiダイレクトでは、複数の無線通信装置が互いの存在を検出する（Device Discovery、Service Discovery）。そして、接続機器選択を行うとその選択された機器間において、WPS（Wi-Fi Protected Setup）で機器認証を行うことによりダイレクト接続を確立する。また、Wi-Fiダイレクトでは、複数の無線通信装置が親機（Group Owner）または子機（Client）の何れとしての役割を担うかを決定して通信グループを形成する。
【０５１７】
ただし、この通信処理例では、一部のパケット送受信については省略して示す。例えば、初回接続時には、上述したように、WPSを使うためのパケット交換が必要であり、AuthenticationRequest／Responseのやり取り等においてもパケット交換が必要となる。しかしながら、図５４および図５５では、これらのパケット交換についての図示を省略し、２回目以降の接続についてのみを示す。
【０５１８】
なお、図５４および図５５では、第１無線通信装置１７０１および第２無線通信装置１７０２間における通信処理例を示すが、他の無線通信装置間における通信処理についても同様である。
【０５１９】
最初に、第１無線通信装置１７０１および第２無線通信装置１７０２間においてDevice Discoveryが行われる（１７１１）。例えば、第１無線通信装置１７０１は、Probe request（応答要求信号）を送信し、このProbe requestに対するProbe response（応答信号）を第２無線通信装置１７０２から受信する。これにより、第１無線通信装置１７０１および第２無線通信装置１７０２は、互いの存在を発見することができる。また、Device Discoveryにより、相手のデバイス名や種類（TV、PC、スマートフォン等）を取得することができる。
【０５２０】
続いて、第１無線通信装置１７０１および第２無線通信装置１７０２間においてService Discoveryが行われる（１７１２）。例えば、第１無線通信装置１７０１は、Device Discoveryで発見した第２無線通信装置１７０２が対応しているサービスを問い合わせるService Discovery Queryを送信する。そして、第１無線通信装置１７０１は、Service Discovery Responseを第２無線通信装置１７０２から受信することにより、第２無線通信装置１７０２が対応しているサービスを取得する。すなわち、Service Discoveryにより、相手が実行可能なサービス等を取得することができる。相手が実行可能なサービスは、例えば、service、protocol（DLNA（Digital Living Network Alliance） DMR（Digital Media Renderer）等）である。
【０５２１】
続いて、ユーザにより接続相手の選択操作（接続相手選択操作）が行われる（１７１３）。この接続相手選択操作は、第１無線通信装置１７０１および第２無線通信装置１７０２の何れか一方のみに発生することもある。例えば、第１無線通信装置１７０１の表示部に接続相手選択画面が表示され、この接続相手選択画面において接続相手として第２無線通信装置１７０２がユーザ操作により選択される。
【０５２２】
ユーザにより接続相手選択操作が行われると（１７１３）、第１無線通信装置１７０１および第２無線通信装置１７０２間においてGroup Owner Negotiationが行われる（１７１４）。図５４および図５５では、Group Owner Negotiationの結果により、第１無線通信装置１７０１がグループオーナー（Group Owner）１７１５になり、第２無線通信装置１７０２がクライアント（Client）１７１６になる例を示す。
【０５２３】
続いて、第１無線通信装置１７０１および第２無線通信装置１７０２間において、各処理（１７１７乃至１７２０）が行われることにより、ダイレクト接続が確立される。すなわち、Association（Ｌ２（第２層） link確立）（１７１７）、Secure link確立（１７１８）が順次行われる。また、IP Address Assignment（１７１９）、SSDP（Simple Service Discovery Protocol）等によるＬ３上でのＬ４ setup（１７２０）が順次行われる。なお、Ｌ２（layer2）は、第２層（データリンク層）を意味し、Ｌ３（layer3）は、第３層（ネットワーク層）を意味し、Ｌ４（layer4）は、第４層（トランスポート層）を意味する。
【０５２４】
続いて、ユーザにより特定のアプリケーションの指定または起動操作（アプリ指定・起動操作）が行われる（１７２１）。このアプリ指定・起動操作は、第１無線通信装置１７０１および第２無線通信装置１７０２の何れか一方のみに発生することもある。例えば、第１無線通信装置１７０１の表示部にアプリ指定・起動操作画面が表示され、このアプリ指定・起動操作画面において特定のアプリケーションがユーザ操作により選択される。
【０５２５】
ユーザによりアプリ指定・起動操作が行われると（１７２１）、このアプリ指定・起動操作に対応する特定のアプリケーションが第１無線通信装置１７０１および第２無線通信装置１７０２間において実行される（１７２２）。
【０５２６】
ここで、Wi-Fi Direct規格以前の仕様（IEEE802.11で標準化された仕様）の範囲内で、AP（Access Point）−STA（Station）間の接続を行う場合を想定する。この場合には、第２層で接続する前（IEEE802.11用語ではassociation前）には、どのようなデバイスと繋ごうとしているのかを事前に知ることができなかった。
【０５２７】
これに対して、図５４および図５５に示すように、Wi-Fi Directでは、Device discoveryやService Discovery（option）において、接続候補相手を探す際に、接続相手の情報を取得することができる。この接続相手の情報は、例えば、基本的なデバイスのタイプや、対応している特定のアプリケーション等である。そして、その取得された接続相手の情報に基づいて、ユーザに接続相手を選択させることができる。
【０５２８】
この仕組みを拡張して、第２層で接続する前に特定のアプリケーションを指定して、接続相手を選択し、この選択後に、自動的に特定のアプリケーションを起動させる無線通信システムを実現することも可能である。このような場合の接続に至るシーケンスの一例を、図５７に示す。また、この通信処理において送受信されるフレームフォーマット（frame format）の構成例を図５６に示す。
【０５２９】
＜フレームフォーマットの構成例＞
図５６は、本技術の基礎となる各装置による通信処理において送受信されるフレームフォーマット（frame format）の構成例を模式的に示す図である。すなわち、図５６には、第２層での接続を確立するためのMAC frameの構成例を示す。具体的には、図５７に示すシーケンスを実現するためのAssociation Request/Response（１７８７）のフレームフォーマットの一例である。
【０５３０】
なお、Frame Control（１７５１）からSequence Control（１７５６）までは、MACヘッダである。また、Association Requestを送信する際には、Frame Control（１７５１）において、Ｂ３Ｂ２＝"０ｂ００"、かつ、Ｂ７Ｂ６Ｂ５Ｂ４＝"０ｂ００００"が設定される。また、Association Responseをencapsulateする際には、Frame Control（１７５１）において、Ｂ３Ｂ２＝"０ｂ００"、かつ、Ｂ７Ｂ６Ｂ５Ｂ４＝"０ｂ０００１"が設定される。なお、「０ｂ００」は、２進法で「００」であることを示し、「０ｂ００００」は、２進法で「００００」であることを示し、「０ｂ０００１」は、２進法で「０００１」であることを示す。
【０５３１】
ここで、図５６に示すMAC frameは、基本的には、IEEE802.11-2007仕様書section7.2．3.4節と7.2．3.5節に記載のAssociation Request/Responseframe formatである。ただし、IEEE802.11仕様書内で定義されているInformation Element（以下、IEと省略）だけでなく、独自に拡張したIEを含めている点が異なる。
【０５３２】
また、Vendor Specific IE（１７６０）であることを示すため、IE Type（Information Element ID（１７６１））には、１０進数で１２７がセットされる。この場合、IEEE802.11−2007仕様7.3．2.26節により、Lengthフィールド（１７６２）と、OUIフィールド（１７６３）が続き、この後にvendor specific content（１７６４）が配置される。
【０５３３】
Vendor specific content（１７６４）の内容としては、最初にvendor specific IEのtypeを示すフィールド（IE type（１７６５））を設ける。そして、この後に、複数のsubelement（１７６６）を格納することができる構成とすることが考えられる。
【０５３４】
subelement（１７６６）の内容として、使われるべき特定のアプリケーションの名称（１７６７）や、その特定のアプリケーション動作時のデバイスの役割（１７６８）を含めることが考えられる。また、特定のアプリケーション、または、その制御のために使われるポート番号等の情報（Ｌ４セットアップのための情報）（１７６９）や、特定のアプリケーション内でのCapabilityに関する情報（Capability情報）を含めることが考えられる。ここで、Capability情報は、例えば、指定する特定のアプリケーションがDLNAの場合に、音声送出／再生に対応している、映像送出／再生に対応している等を特定するための情報である。
【０５３５】
以上のような構成の無線通信システムにおいて、図１乃至図３３を参照して上述したような本技術を適用することにより、図１乃至図３３を参照して上述した効果と同様の効果を得ることができる。すなわち、画像の符号化および復号に際して、負荷の増大を抑制することができる。また、上述した無線通信システムにおいて、本技術により符号化されたデータを送受信することにより、符号化効率の低減を抑制することができる。
【０５３６】
また、本明細書では、各種情報が、符号化ストリームに多重化されて、符号化側から復号側へ伝送される例について説明した。しかしながら、これら情報を伝送する手法はかかる例に限定されない。例えば、これら情報は、符号化ビットストリームに多重化されることなく、符号化ビットストリームと関連付けられた別個のデータとして伝送され又は記録されてもよい。ここで、「関連付ける」という用語は、ビットストリームに含まれる画像（スライス若しくはブロックなど、画像の一部であってもよい）と当該画像に対応する情報とを復号時にリンクさせ得るようにすることを意味する。即ち、情報は、画像（又はビットストリーム）とは別の伝送路上で伝送されてもよい。また、情報は、画像（又はビットストリーム）とは別の記録媒体（又は同一の記録媒体の別の記録エリア）に記録されてもよい。さらに、情報と画像（又はビットストリーム）とは、例えば、複数フレーム、１フレーム、又はフレーム内の一部分などの任意の単位で互いに関連付けられてよい。
【０５３７】
以上、添付図面を参照しながら本開示の好適な実施形態について詳細に説明したが、本開示はかかる例に限定されない。本開示の属する技術の分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０５３８】
なお、本技術は以下のような構成も取ることができる。
（１）  複数レイヤよりなる画像データのカレントレイヤについて、ピクチャを複数に分割する所定の領域毎に符号化された他のレイヤの、符号化に関する情報を参照する前記領域を制御する制御情報を生成する生成部と、
前記生成部により生成された前記制御情報の制御に従って、前記他のレイヤの一部の領域の前記符号化に関する情報を参照し、前記画像データのカレントレイヤを符号化する符号化部と、
前記符号化部により生成された前記画像データの符号化データと、前記生成部により生成された前記制御情報とを伝送する伝送部と
を備える画像符号化装置。
（２）  前記制御情報は、前記他のレイヤの、前記符号化に関する情報の参照を許可する領域を指定するか、前記符号化に関する情報の参照を禁止する領域を指定するか、若しくは、前記符号化に関する情報を参照する領域を指定することにより、前記符号化に関する情報を参照することができる領域を制限する情報である
（１）、（３）乃至（９）のいずれかに記載の画像符号化装置。
（３）  前記制御情報は、前記領域を、ラスタスキャン順に割り当てられた識別番号、ピクチャ内における前記領域の縦方向および横方向の位置を示す情報、若しくは、前記符号化データにおける前記領域のデータの位置を示す情報により指定する
（１）、（２）、（４）乃至（９）のいずれかに記載の画像符号化装置。
（４）  前記伝送部は、前記符号化に関する情報を参照する領域を制御するかを示す情報をさらに伝送する
（１）乃至（３）、（５）乃至（９）のいずれかに記載の画像符号化装置。
（５）  前記符号化に関する情報は、前記画像データの符号化の際に利用される予測画像の生成に用いられる情報である
（１）乃至（４）、（６）乃至（９）のいずれかに記載の画像符号化装置。
（６）  前記予測画像の生成に用いられる情報は、前記画像データのテクスチャ予測に用いられる情報と、前記画像データのシンタクス予測に用いられる情報とを含み、
前記制御情報は、前記テクスチャ予測に用いられる情報を参照する領域と、前記シンタクス予測に用いられる情報を参照する領域とを、互いに独立に制御する情報である
（１）乃至（５）、（７）乃至（９）のいずれかに記載の画像符号化装置。
（７）  前記生成部は、前記画像データの前記カレントレイヤの、ピクチャを複数に分割する所定の領域毎に前記制御情報を生成し、
前記符号化部は、前記画像データの前記カレントレイヤを前記領域毎に、前記生成部が生成した各領域の前記制御情報の制御に従って、前記他のレイヤの一部の領域の前記符号化に関する情報を参照し、符号化する
（１）乃至（６）、（８）、（９）のいずれかに記載の画像符号化装置。
（８）  前記伝送部は、前記カレントレイヤの領域分割が前記他のレイヤの領域分割と同様であるかを示す情報をさらに伝送する
（１）乃至（７）、（９）のいずれかに記載の画像符号化装置。
（９）  前記領域は、前記画像データのスライス若しくはタイルである
（１）乃至（８）のいずれかに記載の画像符号化装置。
（１０）  複数レイヤよりなる画像データのカレントレイヤについて、ピクチャを複数に分割する所定の領域毎に符号化された他のレイヤの、符号化に関する情報を参照する前記領域を制御する制御情報を生成し、
生成された前記制御情報の制御に従って、前記他のレイヤの一部の領域の前記符号化に関する情報を参照し、前記画像データのカレントレイヤを符号化し、
前記画像データが符号化されて生成された符号化データと、生成された前記制御情報とを伝送する
画像符号化方法。
（１１）  複数レイヤよりなる画像データのカレントレイヤの符号化データと、前記画像データの、ピクチャを複数に分割する所定の領域毎に符号化された他のレイヤの、符号化に関する情報を参照する前記領域を制御する制御情報とを受け取る受け取り部と、
前記受け取り部により受け取られた前記制御情報の制御に従って、前記他のレイヤの一部の領域の前記符号化に関する情報を参照し、前記符号化データを復号する復号部と
を備える画像復号装置。
（１２）  前記制御情報は、前記他のレイヤの、前記符号化に関する情報の参照を許可する領域を指定するか、前記符号化に関する情報の参照を禁止する領域を指定するか、若しくは、前記符号化に関する情報を参照する領域を指定することにより、前記符号化に関する情報を参照することができる領域を制限する情報である
（１１）、（１３）乃至（１９）のいずれかに記載の画像復号装置。
（１３）  前記制御情報は、前記領域を、ラスタスキャン順に割り当てられた識別番号、ピクチャ内における前記領域の縦方向および横方向の位置を示す情報、若しくは、前記符号化データにおける前記領域のデータの位置を示す情報により指定する
（１１）、（１２）、（１４）乃至（１９）のいずれかに記載の画像復号装置。
（１４）  前記受け取り部は、前記符号化に関する情報を参照する領域を制御するかを示す情報をさらに受け取る
（１１）乃至（１３）、（１５）乃至（１９）のいずれかに記載の画像復号装置。
（１５）  前記符号化に関する情報は、前記符号化データの復号の際に利用される予測画像の生成に用いられる情報である
（１１）乃至（１４）、（１６）乃至（１９）のいずれかに記載の画像復号装置。
（１６）  前記予測画像の生成に用いられる情報は、前記画像データのテクスチャ予測に用いられる情報と、前記画像データのシンタクス予測に用いられる情報とを含み、
前記制御情報は、前記テクスチャ予測に用いられる情報を参照する領域と、前記シンタクス予測に用いられる情報を参照する領域とを、互いに独立に制御する情報である
（１１）乃至（１５）、（１７）乃至（１９）のいずれかに記載の画像復号装置。
（１７）  前記受け取り部は、前記画像データのカレントレイヤの、ピクチャを複数に分割する所定の領域毎に符号化された符号化データと、前記領域毎の前記制御情報とを受け取り、
前記復号部は、前記受け取り部により受け取られた前記符号化データを前記領域毎に、各領域の前記制御情報の制御に従って、前記他のレイヤの一部の領域の前記符号化に関する情報を参照し、復号する
（１１）乃至（１６）、（１８）、（１９）のいずれかに記載の画像復号装置。
（１８）  前記受け取り部は、前記カレントレイヤの領域分割が前記他のレイヤの領域分割と同様であるかを示す情報をさらに受け取る
（１１）乃至（１７）、（１９）のいずれかに記載の画像復号装置。
（１９）  前記領域は、前記画像データのスライス若しくはタイルである
（１１）乃至（１８）のいずれかに記載の画像復号装置。
（２０）  複数レイヤよりなる画像データのカレントレイヤの符号化データと、前記画像データの、ピクチャを複数に分割する所定の領域毎に符号化された他のレイヤの、符号化に関する情報を参照する前記領域を制御する制御情報とを受け取り、
受け取られた前記制御情報の制御に従って、前記他のレイヤの一部の領域の前記符号化に関する情報を参照し、前記符号化データを復号する
画像復号方法。
【符号の説明】
【０５３９】
１００  画像符号化装置，  １０１  ベースレイヤ画像符号化部，  １０２  エンハンスメントレイヤ画像符号化部，  １０３  多重化部，  １１６  可逆符号化部，  １１７  蓄積バッファ，  １２２  フレームメモリ，  １２４  イントラ予測部，  １２５  インター予測部，  １３６  可逆符号化部，  １３７  蓄積バッファ，  １４２  フレームメモリ，  １４４  イントラ予測部，  １４５  インター予測部，  １４８  領域シンクロ部，  １４９  アップサンプル部，  １７１  ベースレイヤ領域分割情報バッファ，  １７２  エンハンスメントレイヤ領域分割設定部，  １７３  領域シンクロ設定部，  ２００  画像復号装置，  ２０１  逆多重化部，  ２０２  ベースレイヤ画像復号部，  ２０３  エンハンスメントレイヤ画像復号部，  ２１１  蓄積バッファ，  ２１２  可逆復号部，  ２１９  フレームメモリ，  ２２１  イントラ予測部，  ２２２  インター予測部，  ２３１  蓄積バッファ，  ２３２  可逆復号部，  ２３９  フレームメモリ，  ２４１  イントラ予測部，  ２４２  インター予測部，  ２４４  領域シンクロ部，  ２４５  アップサンプル部，  ２７１  ベースレイヤ領域分割情報バッファ，  ２７２  エンハンスメントレイヤ領域分割情報バッファ，  ２７３  シンクロ領域情報復号部
【図１】
2020017998.tif 000005
【図２】
2020017998.tif 000006
【図３】
2020017998.tif 000007
【図４】
2020017998.tif 000008
【図５】
2020017998.tif 000009
【図６】
2020017998.tif 000010
【図７】
2020017998.tif 000011
【図８】
2020017998.tif 000012
【図９】
2020017998.tif 000013
【図１０】
2020017998.tif 000014
【図１１】
2020017998.tif 000015
【図１２】
2020017998.tif 000016
【図１３】
2020017998.tif 000017
【図１４】
2020017998.tif 000018
【図１５】
2020017998.tif 000019
【図１６】
2020017998.tif 000020
【図１７】
2020017998.tif 000021
【図１８】
2020017998.tif 000022
【図１９】
2020017998.tif 000023
【図２０】
2020017998.tif 000024
【図２１】
2020017998.tif 000025
【図２２】
2020017998.tif 000026
【図２３】
2020017998.tif 000027
【図２４】
2020017998.tif 000028
【図２５】
2020017998.tif 000029
【図２６】
2020017998.tif 000030
【図２７】
2020017998.tif 000031
【図２８】
2020017998.tif 000032
【図２９】
2020017998.tif 000033
【図３０】
2020017998.tif 000034
【図３１】
2020017998.tif 000035
【図３２】
2020017998.tif 000036
【図３３】
2020017998.tif 000037
【図３４】
2020017998.tif 000038
【図３５】
2020017998.tif 000039
【図３６】
2020017998.tif 000040
【図３７】
2020017998.tif 000041
【図３８】
2020017998.tif 000042
【図３９】
2020017998.tif 000043
【図４０】
2020017998.tif 000044
【図４１】
2020017998.tif 000045
【図４２】
2020017998.tif 000046
【図４３】
2020017998.tif 000047
【図４４】
2020017998.tif 000048
【図４５】
2020017998.tif 000049
【図４６】
2020017998.tif 000050
【図４７】
2020017998.tif 000051
【図４８】
2020017998.tif 000052
【図４９】
2020017998.tif 000053
【図５０】
2020017998.tif 000054
【図５１】
2020017998.tif 000055
【図５２】
2020017998.tif 000056
【図５３】
2020017998.tif 000057
【図５４】
2020017998.tif 000058
【図５５】
2020017998.tif 000059
【図５６】
2020017998.tif 000060
【図５７】
2020017998.tif 000061